(57)【特許請求の範囲】
【請求項１】
協調マルチポイント（ＣｏＭＰ）動作をサポートする無線通信システムにおいて、端末が物理下りリンク共有チャネル（ＰＤＳＣＨ）信号を受信する方法であって、
１つまたは複数のＰＤＳＣＨリソース要素マッピングおよび疑似コロケーション指示子（ＰＱＩ）パラメータセットを受信するステップであって、前記１つまたは複数のＰＱＩパラメータセットのそれぞれが、ＰＤＳＣＨ開始シンボルパラメータ、電力がゼロであるチャネル状態情報参照信号（ＺＰ  ＣＳＩ−ＲＳ）パラメータおよび電力がゼロでないチャネル状態情報参照信号（ＮＺＰ  ＣＳＩ−ＲＳ）パラメータを有するステップと、
１つまたは複数の拡張物理下りリンク制御チャネル（ＥＰＤＣＣＨ）セットを設定する情報を受信するステップと、
下りリンクサブフレームで前記ＰＤＳＣＨの開始シンボルインデックスを決定するステップと、
前記開始シンボルインデックスに基づいて前記ＰＤＳＣＨ信号を受信するステップと、を有し、
前記ＰＤＳＣＨ信号は、物理下りリンク制御チャネル（ＰＤＣＣＨ）またはＥＰＤＣＣＨを介して受信される下りリンク制御情報（ＤＣＩ）によってスケジューリングされ、
前記ＤＣＩがＤＣＩフォーマット１Ａによって構成され、前記ＤＣＩが前記ＥＰＤＣＣＨを介して受信され、前記下りリンクサブフレームが非マルチキャストブロードキャスト単一周波数ネットワーク（ＭＢＳＦＮ）サブフレームである場合、前記ＰＤＳＣＨの開始シンボルインデックスは、前記ＥＰＤＣＣＨのＥＰＤＣＣＨ開始シンボル値と同一になるよう決定され、
前記ＰＤＳＣＨ開始シンボルパラメータ、前記ＺＰ  ＣＳＩ−ＲＳパラメータおよび前記ＮＺＰ  ＣＳＩ−ＲＳパラメータを有する前記１つまたは複数のＰＱＩパラメータセットのそれぞれは、前記１つまたは複数のＥＰＤＣＣＨセットのそれぞれにマッピングされる、ＰＤＳＣＨ信号受信方法。
【請求項２】
前記ＤＣＩが前記ＤＣＩフォーマット１Ａによって設定され、前記下りリンクサブフレームが前記非ＭＢＳＦＮサブフレームである場合、前記ＰＤＳＣＨの開始シンボルインデックスは、前記ＤＣＩが前記ＰＤＣＣＨまたは前記ＥＰＤＣＣＨのいずれを介して受信されるかによって決定される、請求項１に記載のＰＤＳＣＨ信号受信方法。
【請求項３】
前記ＤＣＩが前記ＤＣＩフォーマット１Ａによって構成され、前記ＤＣＩが前記ＰＤＣＣＨを介して受信され、前記下りリンクサブフレームが前記非ＭＢＳＦＮサブフレームである場合、前記ＰＤＳＣＨの開始シンボルインデックスは、制御フォーマットインジケータ（ＣＦＩ）値によって決定される、請求項１または２に記載のＰＤＳＣＨ信号受信方法。
【請求項４】
前記ＰＤＳＣＨは、サービングセルのアンテナポート０を介して受信されるか、または、送信ダイバーシチモードで受信され、
前記ＰＤＣＣＨは、前記サービングセルから受信される、請求項３に記載のＰＤＳＣＨ信号受信方法。
【請求項５】
前記ＰＤＳＣＨは、セル固有参照信号（ＣＲＳ）に基づいて受信される、請求項１に記載のＰＤＳＣＨ信号受信方法。
【請求項６】
前記端末は、送信モード１０（ＴＭ１０）に設定される、請求項１に記載のＰＤＳＣＨ信号受信方法。
【請求項７】
前記開始シンボルインデックスは、前記下りリンクサブフレームで前記ＰＤＳＣＨがマッピングされる開始直交周波数分割多重（ＯＦＤＭ）シンボルを示す、請求項１に記載のＰＤＳＣＨ信号受信方法。
【請求項８】
協調マルチポイント（ＣｏＭＰ）動作をサポートする無線通信システムにおいて、物理下りリンク共有チャネル（ＰＤＳＣＨ）信号を受信する端末装置であって、
送信モジュールと、
受信モジュールと、
プロセッサと、を有し、
前記受信モジュールは、前記プロセッサの制御下で、
１つまたは複数のＰＤＳＣＨリソース要素マッピングおよび疑似コロケーション指示子（ＰＱＩ）パラメータセットを受信し、前記１つまたは複数のＰＱＩパラメータセットのそれぞれが、ＰＤＳＣＨ開始シンボルパラメータ、電力がゼロであるチャネル状態情報参照信号（ＺＰ  ＣＳＩ−ＲＳ）パラメータおよび電力がゼロでないチャネル状態情報参照信号（ＮＺＰ  ＣＳＩ−ＲＳ）パラメータを有し、
１つまたは複数の拡張物理下りリンク制御チャネル（ＥＰＤＣＣＨ）セットを設定する情報を受信するように構成され、
前記プロセッサは、
下りリンクサブフレームで前記ＰＤＳＣＨの開始シンボルインデックスを決定し、
前記開始シンボルインデックスに基づいて前記ＰＤＳＣＨ信号を前記受信モジュールを用いて受信するように構成され、
前記ＰＤＳＣＨ信号は、物理下りリンク制御チャネル（ＰＤＣＣＨ）またはＥＰＤＣＣＨを介して受信される下りリンク制御情報（ＤＣＩ）によってスケジューリングされ、
前記ＤＣＩがＤＣＩフォーマット１Ａによって構成され、前記ＤＣＩが前記ＥＰＤＣＣＨを介して受信され、前記下りリンクサブフレームが非マルチキャストブロードキャスト単一周波数ネットワーク（ＭＢＳＦＮ）サブフレームである場合、前記ＰＤＳＣＨの開始シンボルインデックスは、前記ＥＰＤＣＣＨのＥＰＤＣＣＨ開始シンボル値と同一になるよう決定され、
前記ＰＤＳＣＨ開始シンボルパラメータ、前記ＺＰ  ＣＳＩ−ＲＳパラメータおよび前記ＮＺＰ  ＣＳＩ−ＲＳパラメータを有する前記１つまたは複数のＰＱＩパラメータセットのそれぞれは、前記１つまたは複数のＥＰＤＣＣＨセットのそれぞれにマッピングされる、ＰＤＳＣＨ信号受信端末装置。
【発明の詳細な説明】
【技術分野】
【０００１】
以下の説明は、無線通信システムに関し、特に、アンテナポートの関係を考慮した下りリンク信号送信もしくは受信方法、並びに、アンテナポートの関係を考慮した下りリンク信号送信もしくは受信装置に関する。
【背景技術】
【０００２】
多入力多出力（Multi-Input Multi-Output；ＭＩＭＯ）技術は、単一の送信アンテナおよび単一の受信アンテナを用いることから脱皮し、複数の送信アンテナおよび複数の受信アンテナを用いてデータの送受信効率を向上させる技術である。受信端は、単一のアンテナを用いる場合には単一のアンテナ経路（path）を通してデータを受信するが、複数のアンテナを用いる場合には複数の経路を通してデータを受信する。したがって、データの送信速度および送信量を向上させることができ、カバレッジ（coverage）を増大させることができる。
【０００３】
ＭＩＭＯ動作の多重化利得を高めるために、ＭＩＭＯ受信端からチャネル状態情報（Channel Status Information；ＣＳＩ）のフィードバックを受け取ってＭＩＭＯ送信端で用いることができる。受信端では、送信端からの所定の参照信号（Reference Signal；ＲＳ）を用いてチャネル測定を行うことによってＣＳＩを決定することができる。
【発明の概要】
【発明が解決しようとする課題】
【０００４】
発展した無線通信システムでは、互いに異なるアンテナポート間の関係を様々に定義することができる。例えば、ネットワーク側の互いに異なるＲＳポートが、実際に同一の位置に存在するか否かを照会せずに、端末側で、互いに異なるＲＳポートが疑似コロケーション（Quasi Co-Located；ＱＣＬ）されていると仮定したり、またはＱＣＬされていないと仮定することができる。
【０００５】
本発明は、アンテナポートの関係（特に、ＱＣＬ関係）を考慮して、ネットワーク側から送信される下りリンク信号を端末側で正確にかつ効率的に受信する方法を提供することを目的とする。
【０００６】
本発明で達成しようとする技術的課題は、上記の技術的課題に制限されず、言及していない他の技術的課題は、以下の記載から、本発明の属する技術の分野における通常の知識を有する者に明確に理解されるであろう。
【課題を解決するための手段】
【０００７】
上記の技術的課題を解決するために、本発明の一実施例に係る無線通信システムにおいて端末が物理下りリンク共有チャネル（Physical Downlink Shared CHannel；ＰＤＳＣＨ）信号を受信する方法は、下りリンクサブフレームで前記ＰＤＳＣＨの開始シンボルインデックスを決定するステップと、前記開始シンボルインデックスに基づいて前記ＰＤＳＣＨ信号を受信するステップと、を有することができる。ここで、前記ＰＤＳＣＨは、物理下りリンク制御チャネル（Physical Downlink Control CHannel；ＰＤＣＣＨ）または拡張ＰＤＣＣＨ（Enhanced PDCCH；ＥＰＤＣＣＨ）を介して受信される下りリンク制御情報（Downlink Control Information；ＤＣＩ）によってスケジューリングされてもよい。前記ＤＣＩが前記ＥＰＤＣＣＨを介して送信されるＤＣＩフォーマット１Ａによって構成され、前記下りリンクサブフレームが非（non-）マルチキャストブロードキャスト単一周波数ネットワーク（Multicast Broadcast Single Frequency Network；ＭＢＳＦＮ）サブフレームである場合に、前記開始シンボルインデックスは、上位層によって設定されたＥＰＤＣＣＨ開始シンボル値によって決定されてもよい。
【０００８】
上記の技術的課題を解決するために、本発明の他の実施例に係る無線通信システムにおいて物理下り共有チャネル（ＰＤＳＣＨ）信号を受信する端末装置は、送信モジュールと、受信モジュールと、プロセッサと、を有することができる。プロセッサは、下りリンクサブフレームでＰＤＳＣＨの開始シンボルインデックスを決定し、開始シンボルインデックスに基づいてＰＤＳＣＨ信号を受信モジュールを用いて受信するように設定されてもよい。ここで、ＰＤＳＣＨは、物理下り制御チャネル（ＰＤＣＣＨ）またはＥＰＤＣＣＨ（Enhanced PDCCH）を介して受信される下りリンク制御情報（ＤＣＩ）によってスケジューリングされてもよい。ＤＣＩがＥＰＤＣＣＨを介して送信されるＤＣＩフォーマット１Ａによって構成され、下りリンクサブフレームが非ＭＢＳＦＮ（non-Multicast Broadcast Single Frequency Network）サブフレームである場合に、開始シンボルインデックスは、上位層によって設定されたＥＰＤＣＣＨ開始シンボル値によって決定されてもよい。
【０００９】
上記の本発明に係る実施例において以下の事項を共通に適用することができる。
【００１０】
ＥＰＤＣＣＨ開始シンボル値は、ＥＰＤＣＣＨが受信されるＥＰＤＣＣＨセットに対して設定されたものであってもよい。
【００１１】
ＤＣＩがＰＤＣＣＨを介して送信されるＤＣＩフォーマット１Ａによって構成され、下りリンクサブフレームが非ＭＢＳＦＮサブフレームである場合に、開始シンボルインデックスは、制御フォーマットインジケータ（Control Format Indicator；ＣＦＩ）値によって決定されてもよい。
【００１２】
ＰＤＳＣＨは、サービングセルのアンテナポート０を介して受信されるか、または、送信ダイバーシチモードで受信され、ＰＤＣＣＨは、サービングセルから受信されてもよい。
【００１３】
ＰＤＳＣＨは、セル固有参照信号（Cell-specific Reference Signal；ＣＲＳ）に基づいて受信されてもよい。
【００１４】
端末は、送信モード１０（ＴＭ１０）に設定されてもよい。
【００１５】
開始シンボルインデックスは、下りリンクサブフレームでＰＤＳＣＨがマッピングされる開始直交周波数分割多重（Orthogonal Frequency Division Multiplexing；ＯＦＤＭ）シンボルを示してもよい。
【００１６】
本発明について前述した一般的な説明と後述する詳細な説明は例示であり、請求項に記載の発明に関する更なる説明のためのものである。
【発明の効果】
【００１７】
本発明によれば、アンテナポートの関係（特に、ＱＣＬ関係）を考慮して、ネットワーク側から送信される下りリンク信号を端末側で正確にかつ効率的に受信する方法を提供することができる。
【００１８】
本発明から得られる効果は以上で言及した効果に制限されず、言及していない他の効果は、以下の記載から、本発明の属する技術の分野における通常の知識を有する者には明らかであろう。
【図面の簡単な説明】
【００１９】
【図１】無線フレームの構造を説明する図である。
【図２】下りリンクスロットにおけるリソースグリッド（resource grid)を示す図である。
【図３】下りリンクサブフレームの構造を示す図である。
【図４】上りリンクサブフレームの構造を示す図である。
【図５】マルチアンテナを有する無線通信システムの構成図である。
【図６】一つのリソースブロック対におけるＣＲＳおよびＤＲＳの例示パターンを示す図である。
【図７】ＬＴＥ−Ａシステムで定義されるＤＭＲＳパターンの一例を示す図である。
【図８】ＬＴＥ−Ａシステムで定義されるＣＳＩ−ＲＳパターンの例を示す図である。
【図９】ＣＳＩ−ＲＳが周期的に送信される方式の一例を説明する図である。
【図１０】キャリアアグリゲーションを説明する図である。
【図１１】クロスキャリアスケジューリング（cross-carrier scheduling）を説明する図である。
【図１２】本発明に係るＰＤＳＣＨ信号送受信方法を説明するフローチャートである。
【図１３】本発明に係る基地局装置および端末装置の好適な実施例の構成を示す図である。
【発明を実施するための形態】
【００２０】
本明細書に添付される図面は、本発明に関する理解を提供するためのもので、本発明の様々な実施の形態を示し、明細書の記載と共に本発明の原理を説明する。
【００２１】
以下の実施例は、本発明の構成要素と特徴を所定の形態で組み合わせたものである。各構成要素または特徴は、特別の言及がない限り、選択可能であると考慮すればよい。各構成要素または特徴は、他の構成要素や特徴と組み合わせていない形態で実施されもてよく、一部の構成要素および／または特徴を組み合わせて本発明の実施例を構成してもよい。本発明の実施例で説明される動作の順序は変更されてもよい。ある実施例の一部の構成や特徴は、他の実施例に含まれてもよく、他の実施例の対応する構成または特徴に取り替えられてもよい。
【００２２】
本明細書において、本発明の実施例を、基地局と端末との間のデータ送信および受信の関係を中心に説明する。ここで、基地局は、端末と通信を直接行うネットワークの終端ノード（terminal node）としての意味を持つ。本文書で基地局によって行われるとした特定の動作は、場合によっては基地局の上位ノード（upper node）によって行われることもある。
【００２３】
すなわち、基地局を含めた複数のネットワークノード（network nodes）からなるネットワークにおいて端末との通信のために行われる様々な動作は、基地局または基地局以外の他のネットワークノードによって行われ得ることは明らかである。「基地局（Base Station；ＢＳ）」は、固定局（fixed station）、Ｎｏｄｅ Ｂ、ｅＮｏｄｅ Ｂ（ｅＮＢ）、アクセスポイント（ＡＰ：Access Point）、リモートラジオヘッド（Remote Radio Head；ＲＲＤ）、送信ポイント（ＴＰ）、受信ポイント（ＲＰ）などの用語に置き換えてもよい。中継機は、ＲＮ（Relay Node）、ＲＳ（Relay Station）などの用語に置き換えてもよい。また、「端末（Terminal）」は、ＵＥ（User Equipment）、ＭＳ（Mobile Station）、ＭＳＳ（Mobile Subscriber Station）、ＳＳ（Subscriber Station）などの用語に置き換えてもよい。
【００２４】
以下の説明で使われる特定の用語は、本発明の理解を助けるために提供されるものであり、このような特定の用語の使用は、本発明の技術的思想から逸脱しない範囲で他の形態に変更してもよい。
【００２５】
場合によって、本発明の概念が曖昧になることを避けるために、公知の構造および装置は省略されたり、各構造および装置の主要機能を中心にしたブロック図の形式で図示されることもある。また、本明細書を通じて同一の構成要素には同一の図面符号を付して説明する。
【００２６】
本発明の実施例は、無線接続システムであるＩＥＥＥ ８０２システム、３ＧＰＰシステム、３ＧＰＰ ＬＴＥおよびＬＴＥ−Ａ（LTE-Advanced）システム並びに３ＧＰＰ２システムの少なくとも一つに関して開示された標準文書によって裏付けることができる。すなわち、本発明の実施例において、本発明の技術的思想を明確にするために説明を省いたステップまたは部分は、上記の文書によって裏付けることができる。また、本文書で開示している用語はいずれも上記の標準文書によって説明することができる。
【００２７】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線接続システムに用いることができる。ＣＤＭＡは、ＵＴＲＡ（Universal Terrestrial Radio Access）やＣＤＭＡ２０００などの無線技術（radio technology）によって具現することができる。ＴＤＭＡは、ＧＳＭ（登録商標）（Global System for Mobile communications）／ＧＰＲＳ（General Packet Radio Service）／ＥＤＧＥ（Enhanced Data Rates for GSM Evolution）などの無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Evolved UTRA）などの無線技術によって具現することができる。ＵＴＲＡはＵＭＴＳ（Universal Mobile Telecommunications System）の一部である。３ＧＰＰ（3rd Generation Partnership Project） ＬＴＥ（Long Term Evolution）は、Ｅ−ＵＴＲＡを使用するＥ−ＵＭＴＳ（Evolved UMTS）の一部で、下りリンクにおいてＯＦＤＭＡを採用し、上りリンクにおいてＳＣ−ＦＤＭＡを採用する。ＬＴＥ−Ａ（Advanced）は、３ＧＰＰ ＬＴＥの進展版である。ＷｉＭＡＸは、ＩＥＥＥ ８０２．１６ｅ規格（Wireless MAN-OFDMA Reference System）および進展したＩＥＥＥ ８０２．１６ｍ規格（Wireless MAN-OFDMA Advanced system）によって説明することができる。明確性のために、以下では３ＧＰＰ ＬＴＥおよび３ＧＰＰ ＬＴＥ−Ａシステムを中心に説明するが、本発明の技術的思想がこれに制限されることはない。
【００２８】
図１は、無線フレームの構造を説明する図である。
【００２９】
セルラＯＦＤＭ無線パケット通信システムにおいて、上り／下りリンクデータパケット送信はサブフレーム（subframe）単位で行われ、１サブフレームは、複数のＯＦＤＭシンボルを含む一定の時間区間として定義される。３ＧＰＰ ＬＴＥ標準では、ＦＤＤ（Frequency Division Duplex）に適用可能なタイプ１無線フレーム（radio frame）構造と、ＴＤＤ（Time Division Duplex）に適用可能なタイプ２無線フレーム構造と、をサポートする。
【００３０】
図１（ａ）は、タイプ１の無線フレーム構造を示す図である。下りリンク無線フレームは１０個のサブフレームで構成され、１個のサブフレームは時間領域（time domain）において２個のスロットで構成される。１個のサブフレームを送信するために掛かる時間をＴＴＩ（Transmission Time Interval）という。例えば、１サブフレームの長さは１ｍｓであり、１スロットの長さは０．５ｍｓであってもよい。１スロットは時間領域において複数の直交周波数分割多重（Orthogonal Frequency Division Multiplexing；ＯＦＤＭ）シンボルを含み、周波数領域において複数のリソースブロック（Resource Block；ＲＢ）を含む。３ＧＰＰ ＬＴＥシステムでは、下りリンクでＯＦＤＭＡを用いるので、ＯＦＤＭシンボルが１シンボル区間を表す。ＯＦＤＭシンボルは、ＳＣ−ＦＤＭＡシンボルまたはシンボル区間と呼ばれることもある。リソースブロック（ＲＢ）は、リソース割当単位であり、１スロットにおいて複数の連続した副搬送波（subcarrier）を含むことができる。
【００３１】
１スロットに含まれるＯＦＤＭシンボルの数は、ＣＰ（Cyclic Prefix）の構成（configuration）によって異なることがある。ＣＰには拡張ＣＰ（extended CP）と通常ＣＰ（normal CP）がある。例えば、ＯＦＤＭシンボルが通常ＣＰによって構成された場合、１スロットに含まれるＯＦＤＭシンボルの数は７個であってもよい。ＯＦＤＭシンボルが拡張ＣＰによって構成された場合、１ＯＦＤＭシンボルの長さが増加するため、１スロットに含まれるＯＦＤＭシンボルの数は、通常ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合には、シンボル間干渉をより減らすために拡張ＣＰを用いることができる。
【００３２】
通常ＣＰが用いられる場合、１スロットは７個のＯＦＤＭシンボルを含み、１サブフレームは１４個のＯＦＤＭシンボルを含む。このとき、各サブフレームにおける先頭２個または３個のＯＦＤＭシンボルは物理下りリンク制御チャネル（Physical Downlink Control CHannel；ＰＤＣＣＨ）に割り当て、残りのＯＦＤＭシンボルは物理下りリンク共有チャネル（Physical Downlink Shared CHannel；ＰＤＳＣＨ）に割り当てることができる。
【００３３】
図１（ｂ）は、タイプ２の無線フレームの構造を示す図である。タイプ２無線フレームは、２個のハーフフレーム（half frame）で構成され、各ハーフフレームは、５個のサブフレーム、ＤｗＰＴＳ（Downlink Pilot Time Slot）、保護区間（Guard Period；ＧＰ）、およびＵｐＰＴＳ（Uplink Pilot Time Slot）で構成され、一つのサブフレームは２個のスロットで構成される。ＤｗＰＴＳ、ＧＰおよびＵｐＰＴＳで構成されるサブフレームを、特別サブフレーム（special subframe）と呼ぶことができる。ＤｗＰＴＳは、端末での初期セル探索、同期またはチャネル推定に用いられる。ＵｐＰＴＳは、基地局でのチャネル推定と端末の上り送信同期とに用いられる。保護区間は、上りリンクと下りリンクとの間で下りリンク信号のマルチパス遅延によって上りリンクで生じる干渉を除去するための区間である。一方、無線フレームのタイプにかかわらず、１個のサブフレームは２個のスロットで構成される。
【００３４】
無線フレームの構造は例示に過ぎず、無線フレームに含まれるサブフレームの数、サブフレームに含まれるスロットの数、またはスロットに含まれるシンボルの数は様々に変更することができる。
【００３５】
図２は、下りリンクスロットにおけるリソースグリッド（resource grid）を示す図である。
【００３６】
同図では、１下りリンクスロットが時間領域で７個のＯＦＤＭシンボルを含み、１リソースブロック（ＲＢ）が周波数領域で１２個の副搬送波を含むとしているが、本発明はこれに制限されない。例えば、通常ＣＰ（Cyclic Prefix）の場合では１スロットが７ ＯＦＤＭシンボルを含むが、拡張ＣＰ（extended-CP）では１スロットが６ ＯＦＤＭシンボルを含むことができる。リソースグリッド上の各要素をリソース要素（resource element）と呼ぶ。１リソースブロックは１２×７個のリソース要素を含む。下りリンクスロットに含まれるリソースブロックの数ＮDLは、下りリンク送信帯域幅による。上りリンクスロットの構造は下りリンクスロットの構造と同一であってもよい。
【００３７】
図３は、下りリンクサブフレームの構造を示す図である。
【００３８】
１サブフレーム内で第一のスロットの先頭における最大３個のＯＦＤＭシンボルは、制御チャネルが割り当てられる制御領域に対応する。残りのＯＦＤＭシンボルは、物理下りリンク共有チャネル（Physical Downlink Shared Chancel；ＰＤＳＣＨ）が割り当てられるデータ領域に対応する。
【００３９】
３ＧＰＰ ＬＴＥシステムで用いられる下りリンク制御チャネルには、例えば、物理制御フォーマット指示子チャネル（Physical Control Format Indicator CHannel；ＰＣＦＩＣＨ）、物理下りリンク制御チャネル（Physical Downlink Control CHannel；ＰＤＣＣＨ）、物理ＨＡＲＱ指示子チャネル（Physical Hybrid automatic repeat request Indicator Chanel；ＰＨＩＣＨ）などがある。ＰＣＦＩＣＨは、サブフレームの最初のＯＦＤＭシンボルで送信され、サブフレーム内の制御チャネル送信に用いられるＯＦＤＭシンボルの数に関する情報を含む。ＰＨＩＣＨは、上り送信の応答としてＨＡＲＱ ＡＣＫ／ＮＡＣＫ信号を含む。ＰＤＣＣＨで送信される制御情報を、下りリンク制御情報（Downlink Control Information；ＤＣＩ）という。ＤＣＩは、上りリンクまたは下りリンクスケジューリング情報を含んだり、任意の端末グループに対する上り送信電力制御命令を含む。ＰＤＣＣＨは、下りリンク共有チャネル（ＤＬ−ＳＣＨ）のリソース割当および送信フォーマット、上りリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上で送信されるランダムアクセス応答（Random Access Response）などの上位層制御メッセージのリソース割当、任意の端末グループ内の個別端末に対する送信電力制御命令のセット、送信電力制御情報、ＶｏＩＰ（Voice over IP）の活性化などを含むことができる。複数のＰＤＣＣＨが制御領域内で送信され、端末は複数のＰＤＣＣＨをモニタリングすることもできる。
【００４０】
ＰＤＣＣＨは一つまたは複数の連続する制御チャネル要素（Control Channel Element；ＣＣＥ）のアグリゲーション（aggregation（集約））で送信される。ＣＣＥは、無線チャネルの状態に基づくコーディングレートでＰＤＣＣＨを提供するために用いられる論理割当単位である。ＣＣＥは、複数のリソース要素グループに対応する。ＰＤＣＣＨのフォーマットと利用可能なビット数とは、ＣＣＥの数とＣＣＥによって提供されるコーディングレートとの間の相関関係によって決定される。
【００４１】
基地局は、端末に送信されるＤＣＩによってＰＤＣＣＨフォーマットを決定し、制御情報に巡回冗長検査（Cyclic Redundancy Check；ＣＲＣ）を付加する。ＣＲＣは、ＰＤＣＣＨの所有者または用途によって無線ネットワーク一時識別子（Radio Network Temporary Identifier；ＲＮＴＩ）という識別子でマスクされる。ＰＤＣＣＨが特定の端末に対するものであれば、端末のｃｅｌｌ−ＲＮＴＩ（Ｃ−ＲＮＴＩ）識別子をＣＲＣにマスクすることができる。または、ＰＤＣＣＨがページングメッセージに対するものであれば、ページング指示子識別子（Paging Indicator Identifier；Ｐ−ＲＮＴＩ）をＣＲＣにマスクすることができる。ＰＤＣＣＨがシステム情報（より具体的には、システム情報ブロック（ＳＩＢ））に対するものであれば、システム情報識別子およびシステム情報ＲＮＴＩ（ＳＩ−ＲＮＴＩ）をＣＲＣにマスクすることができる。端末のランダムアクセスプリアンブルの送信に対する応答であるランダムアクセス応答を示すために、ランダムアクセス−ＲＮＴＩ（ＲＡ−ＲＮＴＩ）をＣＲＣにマスクすることができる。
【００４２】
図４は、上りリンクサブフレームの構造を示す図である。
【００４３】
上りリンクサブフレームは、周波数領域で制御領域とデータ領域とに区別できる。制御領域には上りリンク制御情報を含む物理上り制御チャネル（Physical Uplink Control CHannel；ＰＵＣＣＨ）が割り当てられる。データ領域には、ユーザデータを含む物理上り共有チャネル（Physical Uplink Shared CHannel；ＰＵＳＣＨ）が割り当てられる。単一搬送波特性を維持するために、一つの端末はＰＵＣＣＨおよびＰＵＳＣＨを同時に送信しない。一つの端末のＰＵＣＣＨは、サブフレームにおいてリソースブロック対（RB pair）に割り当てられる。リソースブロック対に属するリソースブロックは、２スロットに対して互いに異なる副搬送波を占める。これを、ＰＵＣＣＨに割り当てられるリソースブロック対がスロット境界で周波数ホッピング（frequency-hopped）するという。
【００４４】
マルチアンテナ（ＭＩＭＯ）システムのモデル化
図５は、マルチアンテナを有する無線通信システムの構成図である。
【００４５】
図５（ａ）に示すように、送信アンテナの数をＮT個、受信アンテナの数をＮR個に増やすと、送信機または受信機のいずれか一方のみで複数のアンテナを用いる場合とは違い、アンテナ数に比例して理論的なチャネル送信容量が増加する。したがって、送信レートを向上させ、周波数効率を画期的に向上させることができる。チャネル送信容量が増加することから、送信レートを、理論的に、単一アンテナ利用時の最大送信レート（Ｒo）にレート増加率（Ｒi）を掛けた分だけ増加させることができる。
【００４６】
【数１】
0006342904.tif 000002
【００４７】
例えば、４個の送信アンテナと４個の受信アンテナとを用いるＭＩＭＯ通信システムでは、シングルアンテナシステムに比べて理論上、４倍の伝送レートを取得することができる。マルチアンテナシステムの理論的容量増加が９０年代半ばに証明されて以来、これを実質的なデータ伝送率の向上へと導くための種々の技術が現在まで活発に研究されている。それらのいくつかの技術は、既に３世代移動通信および次世代無線ＬＡＮなどの様々な無線通信の標準に反映されている。
【００４８】
現在までのマルチアンテナ関連の研究動向をみると、様々なチャネル環境および多元接続環境におけるマルチアンテナ通信容量計算などと関連した情報理論側面の研究、マルチアンテナシステムの無線チャネル測定およびモデル化の研究、並びに、伝送信頼度の向上および伝送率の向上のための時空間信号処理技術の研究などを含め、様々な観点で活発に研究が行われている。
【００４９】
マルチアンテナシステムにおける通信方法を数学モデルを用いてより具体的に説明する。当該システムには、ＮT個の送信アンテナおよびＮR個の受信アンテナが存在するとする。
【００５０】
送信信号について説明すると、ＮT個の送信アンテナがある場合に、送信可能な最大情報はＮT個である。送信情報を下記の数式（２）のように表現することができる。
【００５１】
【数２】
0006342904.tif 000003
【００５２】
【数３】
0006342904.tif 000004
【００５３】
【数４】
0006342904.tif 000005
【００５４】
【数５】
0006342904.tif 000006
【００５５】
【数６】
0006342904.tif 000007
【００５６】
【数７】
0006342904.tif 000008
【００５７】
【数８】
0006342904.tif 000009
【００５８】
【数９】
0006342904.tif 000010
【００５９】
【数１０】
0006342904.tif 000011
【００６０】
【数１１】
0006342904.tif 000012
【００６１】
【数１２】
0006342904.tif 000013
【００６２】
一方、図５（ｂ）は、ＮT個の送信アンテナから受信アンテナｉへのチャネルを示す図である。これらのチャネルをまとめてベクトルおよび行列の形態で表示することができる。図５（ｂ）で、合計ＮT個の送信アンテナから受信アンテナｉに到着するチャネルは、次のように表すことができる。
【００６３】
【数１３】
0006342904.tif 000014
【００６４】
したがって、ＮT個の送信アンテナからＮR個の受信アンテナに到着する全てのチャネルは、次のように表現することができる。
【００６５】
【数１４】
0006342904.tif 000015
【００６６】
【数１５】
0006342904.tif 000016
【００６７】
【数１６】
0006342904.tif 000017
【００６８】
上述した数式モデルによって受信信号を次の通り表現することができる。
【００６９】
【数１７】
0006342904.tif 000018
【００７０】
【数１８】
0006342904.tif 000019
【００７１】
【数１９】
0006342904.tif 000020
【００７２】
【数２０】
0006342904.tif 000021
【００７３】
ランクの他の定義は、行列を固有値分解（Eigen value decomposition）したとき、０でない固有値の数として定義することができる。同様に、ランクの更に他の定義は、特異値分解（singular value decomposition）したとき、０でない特異値の数として定義することができる。したがって、チャネル行列においてランクの物理的な意味は、与えられたチャネルで送信できる互いに異なる情報片の最大数ということができる。
【００７４】
本文書の説明において、ＭＩＭＯ送信における‘ランク（Rank）’とは、特定の時点および特定の周波数リソースで独立して信号を送信できる経路の数を表し、‘レイヤ（layer）の数’は、各経路を通して送信される信号ストリームの数を表す。送信端は、信号の送信に用いられるランク数に対応する数のレイヤを送信するのが一般的であるため、特別な言及がない限り、ランクはレイヤ数と同じ意味を有する。
【００７５】
参照信号（Reference Signal；ＲＳ）
無線通信システムでパケットを送信する際、送信されるパケットは無線チャネルを介して送信されるため、送信過程で信号の歪みが発生しうる。歪んだ信号を受信側で正しく受信するためには、チャネル情報を用いて受信信号から歪みを補正しなければならない。チャネル情報を把握するために、送信側も受信側も知っている信号を送信し、該信号がチャネルを介して受信される際の歪みの程度を用いてチャネル情報を得る方法を主に用いる。該信号をパイロット信号（Pilot Signal）または参照信号（Reference Signal）という。
【００７６】
マルチアンテナを用いてデータを送受信する場合に、正しい信号を受信するためには、各送信アンテナと受信アンテナとの間のチャネル状況を知る必要がある。そのために、各送信アンテナ別に異なる参照信号が存在しなければならない。
【００７７】
移動通信システムにおいて、参照信号（ＲＳ）はその目的によって２種類に大別できる。その一つは、チャネル情報の取得のために用いられるＲＳであり、もう一つは、データ復調のために用いられるＲＳである。前者は、端末が下りチャネル情報を取得するためのＲＳであるため、広帯域で送信されなければならず、特定のサブフレームで下りデータを受信しない端末であっても、当該ＲＳを受信および測定可能でなければならない。このようなＲＳは、ハンドオーバなどのための測定などにも用いられる。後者は、基地局が下りデータを送る時、そのリソースで送るＲＳであり、端末は、当該ＲＳを受信することによってチャネル推定ができ、データを復調することができる。このようなＲＳは、データの送信される領域で送信されなければならない。
【００７８】
既存の３ＧＰＰ ＬＴＥ（例えば、３ＧＰＰ ＬＴＥリリース−８）システムでは、ユニキャスト（unicast）サービスのために２種類の下りリンクＲＳを定義する。その一つは、共通参照信号（Common RS；ＣＲＳ）であり、もう一つは、専用参照信号（Dedicated RS；ＤＲＳ）である。ＣＲＳは、チャネル状態に関する情報取得およびハンドオーバなどのための測定などに用いられ、セル固有（cell-specific）ＲＳと呼ぶことができる。ＤＲＳは、データ復調のために用いられ、端末固有（UE-specific）ＲＳと呼ぶことができる。既存の３ＧＰＰ ＬＴＥシステムにおいて、ＤＲＳは、データ復調のみのために用いることができ、ＣＲＳは、チャネル情報取得のためにもデータ復調のためにも用いることができる。
【００７９】
ＣＲＳは、セル固有に送信されるＲＳであり、広帯域（wideband）に対してサブフレームごとに送信される。ＣＲＳは、基地局の送信アンテナ数によって最大４個のアンテナポートに対して送信可能である。例えば、基地局の送信アンテナが２個である場合、０番と１番のアンテナポートに対するＣＲＳを送信し、４個の場合は、０〜３番のアンテナポートに対するＣＲＳをそれぞれ送信する。
【００８０】
図６は、一つのリソースブロック対におけるＣＲＳおよびＤＲＳの例示パターンを示す図である。
【００８１】
図６の参照信号パターンの例では、基地局が４個の送信アンテナをサポートするシステムで、一つのリソースブロック対（通常ＣＰの場合、時間上で１４個のＯＦＤＭシンボル×周波数上で１２個の副搬送波）上におけるＣＲＳおよびＤＲＳのパターンを示している。図６で、‘Ｒ０’、‘Ｒ１’、‘Ｒ２’および‘Ｒ３’と表示されたリソース要素（Resource Element；ＲＥ）は、それぞれ、アンテナポートインデックス０、１、２および３に対するＣＲＳの位置を表す。一方、図６で‘Ｄ’と表示されたリソース要素は、ＬＴＥシステムで定義されるＤＲＳの位置を表す。
【００８２】
ＬＴＥシステムの進展版のＬＴＥ−Ａシステムでは、下りリンクで最大８個の送信アンテナをサポートすることができる。そのため、最大８個の送信アンテナに対するＲＳもサポートされなければならない。ＬＴＥシステムにおける下りリンクＲＳは最大４個のアンテナポートのみに対して定義されているため、ＬＴＥ−Ａシステムにおいて基地局が４個より最大８個の下りリンク送信アンテナを有する場合、それらのアンテナポートに対するＲＳがさらに定義されなければならない。最大８個の送信アンテナポートに対するＲＳとして、チャネル測定のためのＲＳ、データ復調のためのＲＳの両方とも考慮されなければならない。
【００８３】
ＬＴＥ−Ａシステムを設計する上で重要な考慮すべき事項の一つは、下位互換性（backward compatibility）である。下位互換性とは、既存のＬＴＥ端末がＬＴＥ−Ａシステムでも正しく動作するようにサポートすることを意味する。ＲＳ送信の観点からは、ＬＴＥ標準で定義されているＣＲＳが全帯域でサブフレームごとに送信される時間−周波数領域に最大８個の送信アンテナポートに対するＲＳを追加すると、ＲＳオーバーヘッドが過度に大きくなる。そのため、最大８個のアンテナポートに対するＲＳを新しく設計するに当たり、ＲＳオーバーヘッドを減らすことを考慮しなければならない。
【００８４】
ＬＴＥ−Ａシステムで新しく導入されるＲＳは、大きく、２種類に分類できる。その一つは、送信ランク、変調およびコーディング方式（Modulation and Coding Scheme；ＭＣＳ）、プリコーディング行列インデックス（Precoding Matrix Index；ＰＭＩ）などの選択のためのチャネル測定を目的とするＲＳであるチャネル状態情報−参照信号（Channel State Information RS；ＣＳＩ−ＲＳ）であり、もう一つは、最大８個の送信アンテナを通して送信されるデータの復調を目的とするＲＳである復調−参照信号（DeModulation RS；ＤＭ ＲＳ）である。
【００８５】
チャネル測定目的のＣＳＩ−ＲＳは、既存のＬＴＥシステムにおけるＣＲＳが、チャネル測定、ハンドオーバなどの測定などを目的とすると同時にデータ復調を目的として用いられるのとは違い、チャネル測定を目的として設計されるという特徴がある。勿論、ＣＳＩ−ＲＳは、ハンドオーバなどの測定などの目的に用いられてもよい。ＣＳＩ−ＲＳがチャネル状態に関する情報を得る目的のみで送信されるため、既存のＬＴＥシステムにおけるＣＲＳとは違い、サブフレームごとに送信されなくてもよい。したがって、ＣＳＩ−ＲＳのオーバーヘッドを減らすために、ＣＳＩ−ＲＳは時間軸上で間欠的に（例えば、周期的に）送信されるように設計されてもよい。
【００８６】
ある下りリンクサブフレーム上でデータが送信される場合、データ送信がスケジューリングされた端末に専用の（dedicated）ＤＭ ＲＳが送信される。すなわち、ＤＭＲＳは、端末固有（UE-specific）ＲＳと呼ぶこともできる。特定の端末専用のＤＭ ＲＳは、当該端末がスケジューリングされたリソース領域、すなわち、当該端末に対するデータが送信される時間−周波数領域でのみ送信されるように設計することができる。
【００８７】
図７は、ＬＴＥ−Ａシステムで定義されるＤＭ ＲＳパターンの一例を示す図である。
【００８８】
図７は、下りリンクデータが送信される一つのリソースブロック対（通常ＣＰの場合、時間上で１４個のＯＦＤＭシンボル×周波数上で１２個の副搬送波）上で、ＤＭ ＲＳが送信されるリソース要素の位置を示している。ＤＭ ＲＳは、ＬＴＥ−Ａシステムでさらに定義される４個のアンテナポート（アンテナポートインデックス７、８、９および１０）に対して送信することができる。互いに異なるアンテナポートに対するＤＭ ＲＳは、異なる周波数リソース（副搬送波）および／または異なる時間リソース（ＯＦＤＭシンボル）に位置することで区別することができる（すなわち、ＦＤＭおよび／またはＴＤＭ方式で多重化できる）。また、同一の時間−周波数リソース上に位置する互いに異なるアンテナポートに対するＤＭ ＲＳは、直交コード（orthogonal code）によって区別することができる（すなわち、ＣＤＭ方式で多重化できる）。図７の例で、ＤＭ ＲＳ ＣＤＭグループ１と表示されたリソース要素（ＲＥ）には、アンテナポート７および８に対するＤＭ ＲＳを位置させることができ、これらは、直交コードによって多重化できる。同様に、図７の例で、ＤＭ ＲＳグループ２と表示されたリソース要素には、アンテナポート９および１０に対するＤＭ ＲＳを位置させることができ、これらは、直交コードによって多重化できる。
【００８９】
基地局でＤＭＲＳを送信するに当たり、データに適用されるプリコーディングと同じプリコーディングがＤＭＲＳに適用される。したがって、端末でＤＭＲＳ（または、端末固有ＲＳ）を用いて推定されるチャネル情報は、プリコーディングされたチャネル情報である。端末は、ＤＭＲＳから推定したプリコーディングされたチャネル情報を用いて、データ復調を容易に行うことができる。しかし、端末は、ＤＭＲＳに適用されたプリコーディング情報を把握できず、ＤＭＲＳを用いては、プリコーディングされていないチャネル情報を取得することができない。端末は、ＤＭＲＳ以外の別の参照信号、すなわち、前述したＣＳＩ−ＲＳを用いて、プリコーディングされていないチャネル情報を取得することができる。
【００９０】
図８は、ＬＴＥ−Ａシステムで定義されるＣＳＩ−ＲＳパターンの例を示す図である。
【００９１】
図８は、下りリンクデータが送信される一つのリソースブロック対（通常ＣＰの場合、時間上で１４個のＯＦＤＭシンボル×周波数上で１２個の副搬送波）上でＣＳＩ−ＲＳが送信されるリソース要素の位置を示している。ある下りリンクサブフレームで、図８（ａ）乃至８（ｅ）のいずれか一つのＣＳＩ−ＲＳパターンを用いることができる。ＣＳＩ−ＲＳは、ＬＴＥ−Ａシステムでさらに定義される８個のアンテナポート（アンテナポートインデックス１５、１６、１７、１８、１９、２０、２１および２２）に対して送信することができる。互いに異なるアンテナポートに対するＣＳＩ−ＲＳは、異なった周波数リソース（副搬送波）および／または異なった時間リソース（ＯＦＤＭシンボル）に位置することで区別することができる（すなわち、ＦＤＭおよび／またはＴＤＭ方式で多重化できる）。また、同一の時間−周波数リソース上に位置する互いに異なるアンテナポートに対するＣＳＩ−ＲＳは、直交コード（orthogonal code）によって区別することができる（すなわち、ＣＤＭ方式で多重化できる）。図８（ａ）の例で、ＣＳＩ−ＲＳ ＣＤＭグループ１と表示されたリソース要素（ＲＥ）には、アンテナポート１５および１６に対するＣＳＩ−ＲＳを位置させることができ、これらは、直交コードによって多重化できる。図８（ａ）の例で、ＣＳＩ−ＲＳ ＣＤＭグループ２と表示されたリソース要素には、アンテナポート１７および１８に対するＣＳＩ−ＲＳを位置させることができ、これらは、直交コードによって多重化できる。図８（ａ）の例で、ＣＳＩ−ＲＳ ＣＤＭグループ３と表示されたリソース要素には、アンテナポート１９および２０に対するＣＳＩ−ＲＳを位置させることができ、これらは、直交コードによって多重化できる。図８（ａ）の例で、ＣＳＩ−ＲＳ ＣＤＭグループ４と表示されたリソース要素には、アンテナポート２１および２２に対するＣＳＩ−ＲＳを位置させることができ、これらは、直交コードによって多重化できる。図８（ａ）を参照して説明した原理を、図８（ｂ）乃至８（ｅ）に適用することもできる。
【００９２】
図６乃至図８のＲＳパターンは単なる例示であり、本発明の様々な実施例を適用するにあって特定のＲＳパターンに限定されるものでない。すなわち、図６乃至図８と異なるＲＳパターンが定義および使用される場合にも、本発明の様々な実施例を同様に適用することができる。
【００９３】
ＣＳＩ−ＲＳ設定（configuration）
前述したように、下りリンクで最大８個の送信アンテナをサポートするＬＴＥ−Ａシステムにおいて、基地局は、全てのアンテナポートに対するＣＳＩ−ＲＳを送信しなければならない。最大８個の送信アンテナポートに対するＣＳＩ−ＲＳをサブフレームごとに送信すると過度なオーバーヘッドにつながりうるため、ＣＳＩ−ＲＳをサブフレームごとに送信せず、時間軸で間欠的に送信することによってそのオーバーヘッドを減らす必要がある。そのために、ＣＳＩ−ＲＳを、一つのサブフレームの整数倍の周期で周期的に送信したり、特定の送信パターンで送信することができる。
【００９４】
このとき、ＣＳＩ−ＲＳが送信される周期やパターンは、ネットワーク（例えば、基地局）が設定（configuration）することができる。ＣＳＩ−ＲＳに基づく測定を行うために、端末は、必ず自体の属するセル（または、送信ポイント（ＴＰ））のそれぞれのＣＳＩ−ＲＳアンテナポートに対するＣＳＩ−ＲＳ設定（configuration）を知っていなければならない。ＣＳＩ−ＲＳ設定は、ＣＳＩ−ＲＳが送信される下りリンクサブフレームインデックス、送信サブフレームにおける、ＣＳＩ−ＲＳリソース要素（ＲＥ）の時間−周波数位置（例えば、図８（ａ）乃至図８（ｅ）のようなＣＳＩ−ＲＳパターン）、および、ＣＳＩ−ＲＳシーケンス（ＣＳＩ−ＲＳ用に用いられるシーケンスであって、スロット番号、セルＩＤ、ＣＰ長などに基づいて所定の規則に従って擬似ランダム（pseudo-random）に生成される）などを含むことができる。すなわち、任意の（given）基地局で複数のＣＳＩ−ＲＳ設定を用いることができ、基地局は、複数のＣＳＩ−ＲＳ設定のうち、セル内の端末に対して用いられるＣＳＩ−ＲＳ設定を知らせることができる。
【００９５】
複数のＣＳＩ−ＲＳ設定は、端末がＣＳＩ−ＲＳの送信電力が０でない（non-zero）と仮定するＣＳＩ−ＲＳ設定を一つ含んでも含まなくてもよく、また、端末が送信電力が０であると仮定するＣＳＩ−ＲＳ設定を一つまたは複数含んでも含まなくてもよい。
【００９６】
また、上位層によって、送信電力が０のＣＳＩ−ＲＳ設定に関するパラメータ（例えば、１６ビットビットマップＺｅｒｏＰｏｗｅｒＣＳＩ−ＲＳパラメータ）のそれぞれのビットは、ＣＳＩ−ＲＳ設定（または、ＣＳＩ−ＲＳ設定によってＣＳＩ−ＲＳを割り当て可能なＲＥ）に対応させることができ、端末は、当該パラメータで１に設定されるビットに対応するＣＳＩ−ＲＳ設定のＣＳＩ−ＲＳ ＲＥにおける送信電力が０であると仮定することができる。
【００９７】
また、それぞれのアンテナポートに対するＣＳＩ−ＲＳは区別される必要があるため、それぞれのアンテナポートに対するＣＳＩ−ＲＳが送信されるリソースは互いに直交（orthogonal）しなければならない。図８で説明した通り、それぞれのアンテナポートに対するＣＳＩ−ＲＳを、直交する周波数リソース、直交する時間リソースおよび／または直交するコードリソースを用いてＦＤＭ、ＴＤＭおよび／またはＣＤＭ方式で多重化できる。
【００９８】
ＣＳＩ−ＲＳに関する情報（ＣＳＩ−ＲＳ設定）を基地局がセル内の端末に知らせるとき、まず、各アンテナポートに対するＣＳＩ−ＲＳがマッピングされる時間−周波数に関する情報を知らせなければならない。具体的には、時間に関する情報は、ＣＳＩ−ＲＳが送信されるサブフレーム番号、ＣＳＩ−ＲＳが送信される周期、ＣＳＩ−ＲＳが送信されるサブフレームオフセット、特定のアンテナのＣＳＩ−ＲＳリソース要素（ＲＥ）が送信されるＯＦＤＭシンボル番号などを含むことができる。周波数に関する情報は、特定のアンテナのＣＳＩ−ＲＳリソース要素（ＲＥ）が送信される周波数間隔（spacing）、周波数軸におけるＲＥのオフセットまたはシフト値などを含むことができる。
【００９９】
図９は、ＣＳＩ−ＲＳが周期的に送信される方式の一例を説明する図である。
【０１００】
ＣＳＩ−ＲＳは、一つのサブフレームの整数倍の周期（例えば、５サブフレーム周期、１０サブフレーム周期、２０サブフレーム周期、４０サブフレーム周期または８０サブフレーム周期）で周期的に送信することができる。
【０１０１】
図９では、一つの無線フレームが１０個のサブフレーム（サブフレーム番号０乃至９）で構成されている。図９は、例えば、基地局のＣＳＩ−ＲＳの送信周期が１０ｍｓ（すなわち、１０サブフレーム）であり、ＣＳＩ−ＲＳ送信オフセット（Offset）が３である場合を示している。複数のセルのＣＳＩ−ＲＳが時間上で均一に分布されるように、オフセット値は、基地局ごとにそれぞれ異なる値を有することができる。１０ｍｓの周期でＣＳＩ−ＲＳが送信される場合、オフセット値は０〜９のいずれか一つを有することができる。同様に、例えば、５ｍｓの周期でＣＳＩ−ＲＳが送信される場合、オフセット値は０〜４のいずれか一つの値を有することができ、２０ｍｓの周期でＣＳＩ−ＲＳが送信される場合、オフセット値は０〜１９のいずれか一つの値を有することができ、４０ｍｓの周期でＣＳＩ−ＲＳが送信される場合、オフセット値は０〜３９のいずれか一つの値を有することができ、８０ｍｓの周期でＣＳＩ−ＲＳが送信される場合、オフセット値は０〜７９のいずれか一つの値を有することができる。このオフセット値は、所定の周期でＣＳＩ−ＲＳを送信する基地局がＣＳＩ−ＲＳ送信を開始するサブフレームの値を表す。基地局がＣＳＩ−ＲＳの送信周期およびオフセット値を知らせると、端末は、その値を用いて当該サブフレーム位置で基地局のＣＳＩ−ＲＳを受信することができる。端末は、受信したＣＳＩ−ＲＳを用いてチャネルを測定し、その結果としてＣＱＩ、ＰＭＩおよび／またはＲＩ（Rank Indicator）などの情報を基地局に報告することができる。本文書で、ＣＱＩ、ＰＭＩおよびＲＩを区別して説明する場合以外は、これらを総称してＣＱＩ（または、ＣＳＩ）ということができる。また、ＣＳＩ−ＲＳに関連した上記の情報は、セル固有情報であり、セル内の端末に共通に適用することができる。また、ＣＳＩ−ＲＳ送信周期およびオフセットは、ＣＳＩ−ＲＳ設定別に異なるように指定することができる。例えば、後述するように、０の送信電力で送信されるＣＳＩ−ＲＳを示すＣＳＩ−ＲＳ設定と０でない（non-zero）送信電力で送信されるＣＳＩ−ＲＳを示すＣＳＩ−ＲＳ設定とに対して、別々のＣＳＩ−ＲＳ送信周期およびオフセットを設定することができる。
【０１０２】
ＰＤＳＣＨ送信が可能な全てのサブフレームで送信されるＣＲＳとは違い、ＣＳＩ−ＲＳは、一部のサブフレームでのみ送信されるように設定することができる。例えば、上位層でＣＳＩサブフレームセットＣCSI,0およびＣCSI,1を設定することができる。ＣＳＩ参照リソース（すなわち、ＣＳＩ計算の基準となる所定のリソース領域）は、ＣCSI,0またはＣCSI,1のいずれかに属してもよく、ＣCSI,0およびＣCSI,1の両方に同時に属しなくてもよい。そのため、ＣＳＩサブフレームセットＣCSI,0およびＣCSI,1が上位層によって設定される場合に、端末は、ＣＳＩサブフレームセットのいずれにも属しないサブフレームに存在するＣＳＩ参照リソースに関するトリガ（または、ＣＳＩ計算に関する指示）を受け取ると期待することができない。
【０１０３】
また、ＣＳＩ参照リソースは、有効な下りリンクサブフレーム上で設定されてもよい。有効な下りリンクサブフレームは、様々な要件を満たすサブフレームとして設定することができる。それらの要件の一つは、周期的ＣＳＩ報告の場合に、端末に対してＣＳＩサブフレームセットが設定されると、周期的ＣＳＩ報告にリンク（link）されるＣＳＩサブフレームセットに属するサブフレームであることでもよい。
【０１０４】
また、ＣＳＩ参照リソースで、端末は、次のような仮定を考慮してＣＱＩインデックスを導出することができる（詳細な事項は、３ＧＰＰ ＴＳ ３６．２１３を参照）。
−  １サブフレームの先頭の３個のＯＦＤＭシンボルは、制御シグナリングによって占有される。
−  １次同期信号（primary synchronization signal）、２次（secondary）同期信号または物理放送チャネル（ＰＢＣＨ）によって用いられるリソース要素はない。
−  非マルチキャストブロードキャスト単一周波数ネットワーク（non-Multicast Broadcast Single Frequency Network；non-ＭＢＳＦＮ）サブフレームのＣＰ長。
−  冗長バージョン（Redundancy Version）は０である。
−  チャネル測定のためにＣＳＩ−ＲＳが用いられる場合、ＰＤＳＣＨ ＥＰＲＥ（Energy Per Resource Element）とＣＳＩ−ＲＳ ＥＰＲＥとの比率（ratio）は、所定の規則に従う。
−  送信モード（Transmission Mode；ＴＭ）９（すなわち、最大８レイヤ送信をサポートするモード）におけるＣＳＩ報告の場合に、端末に対してＰＭＩ／ＲＩ報告が設定されると、ＤＭＲＳオーバーヘッドは最も最近に報告されたランクに一致すると仮定する（例えば、ＤＭＲＳオーバーヘッドは、図７で説明した通り、２個以上のアンテナポート（すなわち、ランク２以下）の場合には、一つのリソースブロック対におけるＤＭＲＳオーバーヘッドが１２ ＲＥであるが、３個以上のアンテナポート（すなわち、ランク３以上）の場合には、２４ ＲＥであるから、最も最近に報告されたランク値に対応するＤＭＲＳオーバーヘッドを仮定してＣＱＩインデックスを計算することができる。）
−ＣＳＩ−ＲＳおよび０（ゼロ）電力ＣＳＩ−ＲＳに対してＲＥが割り当てられない。
−ＰＲＳ（Positioning RS）に対してはＲＥが割り当てられない。
−ＰＤＳＣＨ送信方式は、端末に対して現在設定されている送信モード（デフォルトモードであってもよい）に従う。
−ＰＤＳＣＨ ＥＰＲＥとセル固有参照信号ＥＰＲＥとの比率（ratio）は所定の規則に従う。
【０１０５】
このようなＣＳＩ−ＲＳ設定は、例えば、ＲＲＣ（Radio Resource Control）シグナリングを用いて基地局が端末に知らせることができる。すなわち、専用（dedicated）ＲＲＣシグナリングを用いてＣＳＩ−ＲＳ設定に関する情報がセル内の各端末に提供されるようにすることができる。例えば、端末が初期アクセスまたはハンドオーバによって基地局と接続（connection）を確立（establish）する過程で、基地局が当該端末にＲＲＣシグナリングでＣＳＩ−ＲＳ設定を知らせるようにすることができる。或いは、基地局が端末にＣＳＩ−ＲＳ測定に基づくチャネル状態フィードバックを要求するＲＲＣシグナリングメッセージを送信する時、当該ＲＲＣシグナリングメッセージでＣＳＩ−ＲＳ設定を当該端末に知らせるようにすることもできる。
【０１０６】
一方、ＣＳＩ−ＲＳが存在する時間位置、すなわち、セル固有サブフレーム設定周期およびセル固有サブフレームオフセットは、例えば、次の表１のようにまとめることができる。
【０１０７】
【表１】
0006342904.tif 000022
【０１０８】
【数２１】
0006342904.tif 000023
【０１０９】
【数２２】
0006342904.tif 000024
【０１１０】
下記の表２のように定義されるＣＳＩ−ＲＳ−Ｃｏｎｆｉｇ情報要素（ＩＥ）は、ＣＳＩ−ＲＳ設定を特定するために用いることができる。
【０１１１】
【表２】
0006342904.tif 000025
【０１１２】
上記の表２で、アンテナポートカウント（ａｎｔｅｎｎａＰｏｒｔｓＣｏｕｎｔ）パラメータは、ＣＳＩ−ＲＳの送信のために用いられるアンテナポート（すなわち、ＣＳＩ−ＲＳポート）の数を示し、ａｎ１は１個に対応し、ａｎ２は２個に対応する。
【０１１３】
上記の表２で、ｐ＿Ｃパラメータは、端末がＣＳＩフィードバックを導出（derive）する時に仮定するＰＤＳＣＨ ＥＰＲＥ（Energy Per Resource Element）とＣＳＩ−ＲＳ ＥＰＲＥとの比率を示す。
【０１１４】
上記の表２で、リソース設定（ｒｅｓｏｕｒｃｅＣｏｎｆｉｇ）パラメータは、例えば、図８のようなＲＢ対でＣＳＩ−ＲＳがマッピングされるリソース要素の位置を決定する値を有する。
【０１１５】
【数２３】
0006342904.tif 000026
【０１１６】
上記の表２で、ｚｅｒｏＴｘＰｏｗｅｒＲｅｓｏｕｒｃｅＣｏｎｆｉｇＬｉｓｔおよびｚｅｒｏＴｘＰｏｗｅｒＳｕｂｆｒａｍｅＣｏｎｆｉｇは、それぞれ、送信電力０のＣＳＩ−ＲＳに対するｒｅｓｏｕｒｃｅＣｏｎｆｉｇおよびｓｕｂｆｒａｍｅＣｏｎｆｉｇに対応する。
【０１１７】
上記の表２のＣＳＩ−ＲＳ設定ＩＥに関するより具体的な事項については、標準文書ＴＳ ３６．３３１を参照されたい。
【０１１８】
ＣＳＩ−ＲＳシーケンスの生成
【数２４】
0006342904.tif 000027
【０１１９】
【数２５】
0006342904.tif 000028
【０１２０】
【数２６】
0006342904.tif 000029
【０１２１】
【数２７】
0006342904.tif 000030
【０１２２】
【数２８】
0006342904.tif 000031
【０１２３】
ＣＳＩ−ＲＳシーケンス生成に関するより具体的な事項については、標準文書ＴＳ ３６．２１１ ｖ１０．４．０を参照されたい。
【０１２４】
チャネル状態情報（ＣＳＩ）
ＭＩＭＯ方式は、開ループ（open-loop）方式と閉ループ（closed-loop）方式とに区別できる。開ループＭＩＭＯ方式は、ＭＩＭＯ受信端からのチャネル状態情報のフィードバックを受け取らずに送信端でＭＩＭＯ送信を行う方式を意味する。閉ループＭＩＭＯ方式は、ＭＩＭＯ受信端からチャネル状態情報のフィードバックを受け取って送信端でＭＩＭＯ送信を行う方式を意味する。閉ループＭＩＭＯ方式では、ＭＩＭＯ送信アンテナの多重化利得（multiplexing gain）を得るために、送信端および受信端のそれぞれがチャネル状態情報に基づいてビームフォーミングを行うことができる。受信端（例えば、端末）がチャネル状態情報をフィードバックできるように、送信端（例えば、基地局）は受信端（例えば、端末）に上り制御チャネルまたは上り共有チャネルを割り当てることができる。
【０１２５】
端末は、ＣＲＳおよび／またはＣＳＩ−ＲＳを用いて下りリンクチャネルに対する推定および／または測定を行うことができる。端末によって基地局にフィードバックされるチャネル情報（ＣＳＩ）は、ランク指示子（ＲＩ）、プリコーディング行列インデックス（ＰＭＩ）およびチャネル品質指示子（ＣＱＩ）を含むことができる。
【０１２６】
ＲＩは、チャネルランクに関する情報である。チャネルのランクは、同一の時間−周波数リソースを介して互いに異なる情報を送信できるレイヤ（または、ストリーム）の最大数を意味する。ランク値は、チャネルの長期間（long term）フェージングによって主に決定されるため、ＰＭＩおよびＣＱＩに比べてより長い周期でフィードバックされてもよい。
【０１２７】
ＰＭＩは、送信端からの送信に用いられるプリコーディング行列に関する情報であり、チャネルの空間特性を反映する値である。プリコーディングとは、送信レイヤを送信アンテナにマッピングすることを意味し、プリコーディング行列によってレイヤ−アンテナ間のマッピング関係を決定することができる。ＰＭＩとは、信号対雑音および干渉比（Signal-to-Interference plus Noise Ratio；ＳＩＮＲ）などの測定値（metric）を基準にして端末が好む（preferred）基地局のプリコーディング行列インデックスに対応する。プリコーディング情報のフィードバックオーバーヘッドを減らすために、送信端および受信端の両方で、様々なプリコーディング行列を含むコードブックを予め共有しており、当該コードブックにおいて特定のプリコーディング行列を示すインデックスのみをフィードバックする方式を用いることができる。例えば、最も最近に報告されたＲＩに基づいてＰＭＩを決定することができる。
【０１２８】
ＣＱＩは、チャネル品質またはチャネル強度を示す情報である。ＣＱＩは、予め決定されたＭＣＳの組合せとして表現することができる。すなわち、フィードバックされるＣＱＩインデックスは、対応する変調方式（modulation scheme）およびコードレート（code rate）を示す。ＣＱＩは、特定のリソース領域（例えば、有効サブフレームおよび／または物理リソースブロックによって特定される領域）をＣＱＩ参照リソースとして設定し、当該ＣＱＩ参照リソースにＰＤＳＣＨ送信が存在すると仮定したうえ、所定のエラー確率（例えば、０．１）を越えることなくＰＤＳＣＨが受信され得る場合を仮定して計算することができる。一般に、ＣＱＩは、基地局がＰＭＩを用いて空間チャネルを構成する場合に得られる受信ＳＩＮＲを反映する値となる。例えば、最も最近に報告されたＲＩおよび／またはＰＭＩに基づいてＣＱＩを計算することができる。
【０１２９】
拡張されたアンテナ構成をサポートするシステム（例えば、ＬＴＥ−Ａシステム）では、マルチユーザ−ＭＩＭＯ（ＭＵ−ＭＩＭＯ）方式を用いて更なる複数のユーザによるダイバーシチを取得することを考慮している。ＭＵ−ＭＩＭＯ方式では、アンテナ領域（domain）で多重化される端末間の干渉チャネルが存在するため、マルチユーザのうち一つの端末がフィードバックするチャネル状態情報を用いて基地局で下りリンク送信を行う場合に、他の端末に干渉が生じないようにする必要がある。したがって、ＭＵ−ＭＩＭＯ動作が正しく行われるためには、シングルユーザ−ＭＩＭＯ（ＳＵ−ＭＩＭＯ）方式に比べてより高精度のチャネル状態情報がフィードバックされなければならない。
【０１３０】
このように、より正確なチャネル状態情報を測定および報告するには、既存のＲＩ、ＰＭＩおよびＣＱＩで構成されるＣＳＩを改善した新しいＣＳＩフィードバック方法を適用することができる。例えば、受信端がフィードバックするプリコーディング情報を２個のＰＭＩ（例えば、ｉ１およびｉ２）の組合せによって示してもよい。これによって、より高精度のＰＭＩがフィードバックされ、このような精度のＰＭＩに基づいてより高精度のＣＱＩを計算および報告することができる。
【０１３１】
一方、ＣＳＩは、周期的にＰＵＣＣＨで送信されてもよく、非周期的にＰＵＳＣＨで送信されてもよい。また、ＲＩ、第１のＰＭＩ（例えば、Ｗ１）、第２のＰＭＩ（例えば、Ｗ２）、ＣＱＩのいずれがフィードバックされるか、並びに、フィードバックされるＰＭＩおよび／もしくはＣＱＩが広帯域（ＷＢ）に対するものかもしくはサブ帯域（ＳＢ）に対するものかによって、様々な報告モードを定義することができる。
【０１３２】
ＣＱＩ計算
以下では、下りリンク受信端が端末である場合を仮定してＣＱＩ計算について具体的に説明する。しかし、本発明で説明する内容は、下りリンク受信主体としての中継機にも同様に適用することができる。
【０１３３】
端末がＣＳＩを報告する時にＣＱＩを計算するベースとなるリソース（以下では、参照リソース（reference resource）と称する）を設定／定義する方法について説明する。まず、ＣＱＩの定義についてより具体的に説明する。
【０１３４】
端末の報告するＣＱＩは、特定のインデックス値に対応する。ＣＱＩインデックスは、チャネル状態に対応する変調方式、コードレートなどを示す値である。例えば、ＣＱＩインデックスおよびその解釈は、次の表３のように与えることができる。
【０１３５】
【表３】
0006342904.tif 000032
【０１３６】
時間および周波数で制限されない観察に基づいて、端末は、上りリンクサブフレームｎで報告されるそれぞれのＣＱＩ値に対して、上記の表３のＣＱＩインデックス１乃至１５のうち、所定の要件を満たす最高のＣＱＩインデックスを決定することができる。所定の要件は、当該ＣＱＩインデックスに対応する変調方式（例えば、ＭＣＳ）および送信ブロックサイズ（ＴＢＳ）の組合せで、ＣＱＩ参照リソースと呼ばれる下りリンク物理リソースブロックのグループを占めるシングルＰＤＳＣＨ送信ブロックが、０．１（すなわち、１０％）を越えない送信ブロックエラー確率で受信されるものと定めることができる。ＣＱＩインデックス１さえ上記の要件を満たさない場合には、端末は、ＣＱＩインデックス０に決定することができる。
【０１３７】
送信モード９（最大８レイヤまでの送信に対応する）およびフィードバック報告モードの場合に、端末は、ＣＳＩ−ＲＳのみに基づいて、上りリンクサブフレームｎで報告されるＣＱＩ値を計算するためのチャネル測定を行うことができる。他の送信モードおよび対応する報告モードでは、端末はＣＲＳに基づいてＣＱＩ計算のためのチャネル測定を行うことができる。
【０１３８】
下記の要件を全て満たす場合に、変調方式および送信ブロックサイズの組合せは、一つのＣＱＩインデックスに対応しうる。すなわち、関連付けられた送信ブロックサイズテーブルによってＣＱＩ参照リソースにおけるＰＤＳＣＨ上の送信に関して上記の組合せがシグナリングされること、変調方式が当該ＣＱＩインデックスによって指定されること、並びに、送信ブロックサイズおよび変調方式の組合せが上記参照リソースに適用される場合に、当該ＣＱＩインデックスによって指定されるコードレートに一番近い有効チャネルコードレートを有すること、がこれらの要件に該当する。送信ブロックサイズおよび変調方式の組合せの２個以上が、当該ＣＱＩインデックスによって指定されるコードレートに同程度で近い場合には、送信ブロックサイズが最小である組合せに決定されてもよい。
【０１３９】
ＣＱＩ参照リソースは、次のように定義される。
【０１４０】
周波数領域において、ＣＱＩ参照リソースは、導出されたＣＱＩ値に関連付けられた帯域に対応する下りリンク物理リソースブロックのグループとして定義される。
【０１４１】
時間領域において、ＣＱＩ参照リソースは、シングル下りリンクサブフレームｎ−ｎＣＱＩ＿ｒｅｆとして定義される。ここで、周期的ＣＱＩ報告の場合には、ｎＣＱＩ＿ｒｅｆは、４以上の値のうち、最小の値であるととともに、下りリンクサブフレームｎ−ｎＣＱＩ＿ｒｅｆが有効である下りリンクサブフレームに対応する値に決定される。非周期的ＣＱＩ報告の場合には、ｎＣＱＩ＿ｒｅｆは、上りリンクＤＣＩフォーマット（すなわち、上りリンクスケジューリング制御情報を端末に提供するためのＰＤＣＣＨ ＤＣＩフォーマット）におけるＣＱＩ要求に対応する（または、ＣＱＩ要求が受信された）有効な下りリンクサブフレームと同じ下りリンクサブフレームが、ＣＱＩ参照リソースとして決定される。また、非周期的ＣＱＩ報告の場合に、ｎＣＱＩ＿ｒｅｆは４であり、下りリンクサブフレームｎ−ｎＣＱＩ＿ｒｅｆは有効な下りリンクサブフレームに対応し、ここで、下りリンクサブフレームｎ−ｎＣＱＩ＿ｒｅｆは、任意の接続応答グラント（random access response grant）におけるＣＱＩ要求に対応する（または、ＣＱＩ要求が受信された）サブフレーム以降に受信されてもよい。ここで、有効な下りリンクサブフレームとは、当該端末に対して下りリンクサブフレームとして設定され、送信モード９以外はマルチキャストブロードキャスト単一周波数ネットワーク（Multicast Broadcast Single Frequency Network；ＭＢＳＦＮ）サブフレームではなく、ＤｗＰＴＳの長さが７６８０＊Ｔｓ（Ｔｓ＝１／（１５０００×２０４８）秒）以下である場合にＤｗＰＴＳフィールドを含まず、そして、当該端末に対して設定された測定ギャップに属しない下りリンクサブフレームを意味する。ＣＱＩ参照リソースのための有効な下りリンクサブフレームがない場合、上りリンクサブフレームｎでＣＱＩ報告は省略されてもよい。
【０１４２】
レイヤ領域でＣＱＩ参照リソースは、ＣＱＩが前提とする任意のＲＩおよびＰＭＩとして定義される。
【０１４３】
ＣＱＩ参照リソースで端末がＣＱＩインデックスを導出するために次の事項を仮定することができる。（１）下りリンクサブフレームにおける先頭の３ ＯＦＤＭシンボルは、制御シグナリングの用途に用いられる。（２）１次同期信号、２次同期信号または物理放送チャネルによって用いられるリソース要素はない。（３）非ＭＢＳＦＮサブフレームのＣＰ長を有する。（４）冗長バージョンは０である。（５）チャネル測定のためにＣＳＩ−ＲＳが用いられる場合、ＰＤＳＣＨ ＥＰＲＥとＣＳＩ−ＲＳ ＥＰＲＥとの比率は、上位層によってシグナリングされる所定の値を有する。（６）送信モード別に定義されたＰＤＳＣＨ送信方式（シングルアンテナポート送信、送信ダイバーシチ、空間多重化、ＭＵ−ＭＩＭＯなど）が当該端末に対して現在設定されている（デフォルトモードであってもよい）。（７）チャネル測定のためにＣＲＳが用いられる場合、ＰＤＳＣＨ ＥＰＲＥとＣＲＳ ＥＰＲＥとの比率は所定の要件によって決定されうる。ＣＱＩ定義に関するより具体的な事項は、３ＧＰＰ ＴＳ ３６．２１３を参照されたい。
【０１４４】
要するに、下りリンク受信端（例えば、端末）は、現在ＣＱＩ計算を行う時点を基準に過去の特定の単一サブフレームをＣＱＩ参照リソースとして設定し、当該ＣＱＩ参照リソースで基地局からＰＤＳＣＨが送信された時、そのエラー確率が１０％を越えない条件を満たすようにＣＱＩ値を計算することができる。
【０１４５】
協調マルチポイント（Coordinated Multi-Point：ＣｏＭＰ）
３ＧＰＰ ＬＴＥ−Ａシステムの拡張システム性能要求条件に応じて、ＣｏＭＰ送受信技術（ｃｏ−ＭＩＭＯ、協調（collaborative）ＭＩＭＯまたはネットワークＭＩＭＯなどと表現されることもある）が提案されている。ＣｏＭＰ技術は、セル境界（cell-edge）に位置している端末の性能を向上し、平均セクタスループット（throughput）を増加させることができる。
【０１４６】
一般に、周波数再利用ファクタ（frequency reuse factor）が１であるマルチセル環境で、セル間干渉（Inter-Cell Interference；ＩＣＩ）によって、セル境界に位置している端末の性能と平均セクタスループットとが減少することがある。このようなＩＣＩを低減するために、既存のＬＴＥシステムでは、端末固有電力制御による部分的周波数再利用（Fractional Frequency Reuse；ＦＦＲ）などの単純な受動的方式を用いて、干渉によって制限を受けている環境でセル境界に位置している端末が適切なスループット性能を有するようにする方法が適用されてきた。しかし、セル当たりの周波数リソースの使用を減らすより、ＩＣＩを低減したり、ＩＣＩを端末が所望する信号として再利用することが一層好ましいだろう。このような目的を達成するために、ＣｏＭＰ送信方式を適用することができる。
【０１４７】
下りリンクで適用可能なＣｏＭＰ方式は、大きく、ジョイントプロセシング（Joint Processing；ＪＰ）方式と調整スケジューリング／ビームフォーミング（Coordinated Scheduling/Beamforming；ＣＳ／ＣＢ）方式とに分類できる。
【０１４８】
ＪＰ方式は、ＣｏＭＰ協調単位のそれぞれのポイント（基地局）でデータを用いることができる。ＣｏＭＰ協調単位は、協調送信方式に用いられる基地局の集合を意味する。ＪＰ方式は、ジョイント送信（Joint Transmission）方式と動的セル選択（Dynamic cell selection）方式とに分類できる。
【０１４９】
ジョイント送信方式とは、ＰＤＳＣＨが一度に複数のポイント（ＣｏＭＰ協調単位の一部または全部）から送信される方式のことをさす。すなわち、単一端末に送信されるデータを複数の送信ポイント（Transmission Point；ＴＰ）から同時に送信することができる。ジョイント送信方式によれば、コヒーレントに（coherently）またはノンコヒーレントに（non-coherently）受信信号の品質を向上させることができ、かつ、他の端末に対する干渉を能動的に消去することができる。
【０１５０】
動的セル選択方式とは、ＰＤＳＣＨが一度に（ＣｏＭＰ協調単位の）一つのポイントから送信される方式のことを指す。すなわち、特定の時点で単一端末に送信されるデータは一つのポイントから送信され、その時点で協調単位内の他のポイントは当該端末に対してデータ送信を行わない。ここで、当該端末にデータを送信するポイントを動的に選択することができる。
【０１５１】
一方、ＣＳ／ＣＢ方式によれば、ＣｏＭＰ協調単位が単一端末に対するデータ送信のビームフォーミングを協調的に行うことができる。ここで、データはサービングセルのみで送信されるが、ユーザスケジューリング／ビームフォーミングは、当該ＣｏＭＰ協調単位におけるセルの調整によって決定されうる。
【０１５２】
一方、上りリンクでは、調整（coordinated）マルチポイント受信は、地理的に離れた複数のポイントの調整によって送信された信号を受信することを意味する。上りリンクにおいて適用可能なＣｏＭＰ方式は、ジョイント受信（Joint Reception；ＪＲ）と調整スケジューリング／ビームフォーミング（coordinated scheduling/beamforming；ＣＳ／ＣＢ）とに分類できる。
【０１５３】
ＪＲ方式は、ＰＵＳＣＨを介して送信された信号が複数の受信ポイントで受信されることを意味し、ＣＳ／ＣＢ方式は、ＰＵＳＣＨが一つのポイントのみで受信されるが、ユーザスケジューリング／ビームフォーミングはＣｏＭＰ協調単位のセルの調整によって決定されることを意味する。
【０１５４】
このようなＣｏＭＰシステムを用いると、端末は、マルチセル基地局（Multi-cell base station）から共同でデータのサポートを受けることができる。また、各基地局は、同一の無線周波数リソース（Same Radio Frequency Resource）を用いて一つまたは複数の端末を同時にサポートすることによって、システムの性能を向上させることができる。また、基地局は、基地局と端末との間のチャネル状態情報に基づいて空間分割多元接続（Space Division Multiple Access：ＳＤＭＡ）方法を行うこともできる。
【０１５５】
ＣｏＭＰシステムでサービング基地局および一つまたは複数の協調基地局はバックボーンネットワーク（Backbone Network）を通してスケジューラ（scheduler）に接続する。スケジューラは、バックボーンネットワークを通して、各基地局が測定しフィードバックした各端末と協調基地局との間のチャネル状態に関するチャネル情報を受け取って動作することができる。例えば、スケジューラは、サービング基地局および一つまたは複数の協調基地局に対して協調ＭＩＭＯ動作のための情報をスケジューリングすることができる。すなわち、スケジューラから各基地局に協調ＭＩＭＯ動作に関する指示を直接下すことができる。
【０１５６】
上述した通り、ＣｏＭＰシステムは、複数のセルを一つのグループにまとめて仮想ＭＩＭＯシステムとして動作するものと見なすことができ、基本的に、ＣｏＭＰシステムにはマルチアンテナを用いるＭＩＭＯシステムの通信方式を適用することができる。
【０１５７】
キャリアアグリゲーション（carrier aggregation）
キャリアアグリゲーションを説明するに先立ち、ＬＴＥ−Ａで無線リソースを管理するために導入されたセル（Cell）の概念についてまず説明する。セルは、下りリンクリソースおよび上りリンクリソースの組合せとして理解できる。ここで、上りリンクリソースは必須の要素ではなく、よって、セルは、下りリンクリソース単独で構成されてもよく、または下りリンクリソースおよび上りリンクリソースで構成されてもよい。下りリンクリソースは、下りリンク成分搬送波（DownLink Component Carrier；ＤＬ ＣＣ）と、上りリンクリソースは上りリンク成分搬送波（UpLink Component Carrier；ＵＬ ＣＣ）と呼ぶことができる。ＤＬ ＣＣおよびＵＬ ＣＣは、搬送波周波数（carrier frequency）として表現することができ、搬送波周波数は、当該セルにおける中心周波数（center frequency）を意味する。
【０１５８】
セルは、プライマリ周波数（primary frequency）で動作するプライマリセル（Primary Cell；ＰＣｅｌｌ）と、セカンダリ周波数（secondary frequency）で動作するセカンダリセル（secondary cell；ＳＣｅｌｌ）と、に分類できる。ＰＣｅｌｌおよびＳＣｅｌｌはサービングセル（serving cell）と呼ぶことができる。ＰＣｅｌｌは、端末が初期接続設定（initial connection establishment）過程を行ったり、接続再設定過程またはハンドオーバ過程で指示されたセルとすることができる。すなわち、ＰＣｅｌｌは、後述するキャリアアグリゲーション環境で制御関連の中心となるセルとして理解してもよい。端末は、自体のＰＣｅｌｌでＰＵＣＣＨの割当を受けて送信することができる。ＳＣｅｌｌは、ＲＲＣ（Radio Resource Control）接続設定がなされた後に構成可能であり、追加の無線リソースを提供するために用いることができる。キャリアアグリゲーション環境でＰＣｅｌｌ以外の残りのサービングセルをＳＣｅｌｌと見なすことができる。ＲＲＣ＿ＣＯＮＮＥＣＴＥＤ状態にあるが、キャリアアグリゲーションが設定されていないかまたはキャリアアグリゲーションをサポートしない端末の場合、ＰＣｅｌｌのみで構成されたサービングセルが一つだけ存在する。一方、ＲＲＣ＿ＣＯＮＮＥＣＴＥＤ状態であるとともにキャリアアグリゲーションが設定された端末の場合、一つまたは複数のサービングセルが存在し、全サービングセルにはＰＣｅｌｌおよび全ＳＣｅｌｌが含まれる。キャリアアグリゲーションをサポートする端末のために、ネットワークは、初期セキュリティ活性化（initial security activation）過程が開始された後、接続設定過程で初期に構成されるＰＣｅｌｌに付加して一つまたは複数のＳＣｅｌｌを構成することができる。
【０１５９】
図１０は、キャリアアグリゲーションを説明する図である。
【０１６０】
キャリアアグリゲーションは、高い高速送信レートの要求に適合するために、より広い帯域を使用するように導入された技術である。キャリアアグリゲーションは、搬送波周波数が互いに異なる２個以上の成分搬送波（Component Carrier；ＣＣ）または２個以上のセルのアグリゲーション（aggregation（集約））として定義することができる。図１０を参照すると、図１０（ａ）は、既存のＬＴＥシステムで一つのＣＣを用いる場合のサブフレームを示し、図１０（ｂ）は、キャリアアグリゲーションが用いられる場合のサブフレームを示している。図１０（ｂ）には、２０ＭＨｚのＣＣ３個が用いられて合計６０ＭＨｚの帯域幅をサポートする例を示している。ここで、各ＣＣは、周波数上で連続していてもよく、非連続でもよい。
【０１６１】
端末は、下りリンクデータを複数のＤＬ ＣＣを介して同時に受信し、モニタリングすることができる。各ＤＬ ＣＣとＵＬ ＣＣとの間のリンク（linkage）はシステム情報で示すことができる。ＤＬ ＣＣ／ＵＬ ＣＣリンクは、システムにおいて固定的でもよく、半静的に（semi-statically（半固定的に、セミパーシステントに））構成されてもよい。また、システム帯域全体がＮ個のＣＣで構成された場合でも、特定の端末がモニタリング／受信できる周波数帯域はＭ（＜Ｎ）個のＣＣに限定されてもよい。キャリアアグリゲーションに関する様々なパラメータは、セル固有（cell-specific）、端末グループ固有（UE group-specific）または端末固有（UE-specific）の方式で設定することができる。
【０１６２】
図１１は、クロスキャリアスケジューリング（cross-carrier scheduling）を説明する図である。
【０１６３】
クロスキャリアスケジューリングとは、例えば、複数のサービングセルのいずれか一つのＤＬ ＣＣの制御領域に、他のＤＬ ＣＣの下りリンクスケジューリング割当情報を全て含むこと、または、複数のサービングセルのいずれか一つのＤＬ ＣＣの制御領域に、該ＤＬ ＣＣとリンクされている複数のＵＬ ＣＣに関する上りリンクスケジューリンググラント（grant）情報を全て含むことを意味する。
【０１６４】
クロスキャリアスケジューリングに関して、搬送波指示子フィールド（Carrier Indicator Field；ＣＩＦ）について説明する。ＣＩＦは、ＰＤＣＣＨを介して送信されるＤＣＩフォーマットに含まれてもよく（例えば、３ビットサイズで定義される）、含まれなくてもよく（例えば、０ビットサイズで定義される）、含まれる場合、クロスキャリアスケジューリングが適用されることを示す。クロスキャリアスケジューリングが適用されない場合には、下りリンクスケジューリング割当情報は、現在下りリンクスケジューリング割当情報が送信されるＤＬ ＣＣ上で有効である。また、上りリンクスケジューリンググラントは、下りリンクスケジューリング割当情報が送信されるＤＬ ＣＣとリンクされた一つのＵＬ ＣＣに対して有効である。
【０１６５】
クロスキャリアスケジューリングが適用された場合、ＣＩＦは、いずれか一つのＤＬ ＣＣでＰＤＣＣＨを介して送信される下りリンクスケジューリング割当情報に関連付けられたＣＣを示す。例えば、図１１を参照すると、ＤＬ ＣＣ Ａ上の制御領域におけるＰＤＣＣＨを介してＤＬ ＣＣ ＢおよびＤＬ ＣＣ Ｃに関する下りリンク割当情報、すなわち、ＰＤＳＣＨリソースに関する情報が送信される。端末は、ＤＬ ＣＣ Ａをモニタリングし、ＣＩＦからＰＤＳＣＨのリソース領域および対応するＣＣを把握できる。
【０１６６】
ＰＤＣＣＨにＣＩＦが含まれるかまたは含まれないかは半静的に設定されてもよく、ＣＩＦは上位層シグナリングによって端末固有に活性化されてもよい。
【０１６７】
ＣＩＦが非活性化（disabled）された場合に、特定のＤＬ ＣＣ上のＰＤＣＣＨは、該ＤＬ ＣＣ上のＰＤＳＣＨリソースを割り当て、特定のＤＬ ＣＣにリンクされたＵＬ ＣＣ上のＰＵＳＣＨリソースを割り当てることができる。この場合、既存のＰＤＣＣＨ構造と同じコーディング方式、ＣＣＥベースのリソースマッピング、ＤＣＩフォーマットなどを適用することができる。
【０１６８】
一方、ＣＩＦが活性化（enabled）された場合に、特定のＤＬ ＣＣ上のＰＤＣＣＨは、複数の集約されたＣＣのうち、ＣＩＦが示す一つのＤＬ／ＵＬ ＣＣ上におけるＰＤＳＣＨ／ＰＵＳＣＨリソースを割り当てることができる。この場合、既存のＰＤＣＣＨ ＤＣＩフォーマットにＣＩＦをさらに定義することができ、ＣＩＦは、固定した３ビット長のフィールドとして定義されてもよく、ＣＩＦ位置がＤＣＩフォーマットサイズに関わらずに固定されてもよい。この場合にも、既存のＰＤＣＣＨ構造と同じコーディング方式、ＣＣＥベースのリソースマッピング、ＤＣＩフォーマットなどを適用することができる。
【０１６９】
ＣＩＦが存在する場合にも、基地局は、ＰＤＣＣＨをモニタリングするＤＬ ＣＣセットを割り当てることができる。これによって、端末のブラインドデコーディングの負担を減少させることができる。ＰＤＣＣＨモニタリングＣＣセットは、集約された全ＤＬ ＣＣのうちの一部であり、端末は、ＰＤＣＣＨの検出／デコーディングを対応するＣＣセットのみで行うことができる。すなわち、端末に対してＰＤＳＣＨ／ＰＵＳＣＨをスケジューリングするために、基地局は、ＰＤＣＣＨをＰＤＣＣＨモニタリングＣＣセット上でのみ送信することができる。ＰＤＣＣＨモニタリングＤＬ ＣＣセットは、端末固有、端末グループ固有、または、セル固有に設定することができる。例えば、図１１の例のように３個のＤＬ ＣＣが集約される場合に、ＤＬ ＣＣ ＡをＰＤＣＣＨモニタリングＤＬ ＣＣとして設定することができる。ＣＩＦが非活性化される場合、それぞれのＤＬ ＣＣ上のＰＤＣＣＨは、ＤＬ ＣＣ ＡにおけるＰＤＳＣＨのみをスケジューリングすることができる。一方、ＣＩＦが活性化されると、ＤＬ ＣＣ Ａ上のＰＤＣＣＨは、ＤＬ ＣＣ Ａはもとより、他のＤＬ ＣＣにおけるＰＤＳＣＨもスケジューリングすることができる。ＤＬ ＣＣ ＡがＰＤＣＣＨモニタリングＣＣとして設定される場合には、ＤＬ ＣＣ ＢおよびＤＬ ＣＣ ＣにはＰＤＣＣＨが送信されなくてもよい。
【０１７０】
ＰＤＣＣＨ処理
ＰＤＣＣＨをリソース要素上にマッピングするとき、連続した論理割当単位である制御チャネル要素（ＣＣＥ）を用いる。１個のＣＣＥは複数（例えば、９個）のリソース要素グループ（ＲＥＧ）を含み、１個のＲＥＧは、参照信号（ＲＳ）を除く状態で隣接した４個のＲＥで構成される。
【０１７１】
特定のＰＤＣＣＨのために必要なＣＣＥの数は、制御情報のサイズであるＤＣＩペイロード、セル帯域幅、チャネルコーディングレートなどによって異なってくる。具体的には、特定のＰＤＣＣＨのためのＣＣＥの数を、下記の表１のように、ＰＤＣＣＨフォーマットによって定義することができる。
【０１７２】
【表４】
0006342904.tif 000033
【０１７３】
ＰＤＣＣＨには４種類のフォーマットのいずれか一つを用いることができるが、それが端末には知らされない。そのため、端末にとってはＰＤＣＣＨフォーマットを知らないまま復号をしなければならない。これをブラインドデコーディングという。ただし、端末が下りリンクに用いられる可能な全ＣＣＥを各ＰＤＣＣＨフォーマットに対してデコーディングすることは大きな負担となるため、スケジューラに対する制約とデコーディング試行回数とを考慮して探索空間（Search Space）を定義する。
【０１７４】
すなわち、探索空間は、アグリゲーションレベル（Aggregation Level）上で端末がデコーディングを試みるべきＣＣＥからなる候補（candidate）ＰＤＣＣＨのアグリゲーションである。ここで、各アグリゲーションレベルおよびＰＤＣＣＨ候補の数を下記の表２のように定義することができる。
【０１７５】
【表５】
0006342904.tif 000034
【０１７６】
上記の表５からわかるように、４種類のアグリゲーションレベルが存在するので、端末は各アグリゲーションレベルによって複数の探索空間を有する。また、上記の表５に示すように、探索空間は、端末固有探索空間と共通探索空間とに区別できる。端末固有探索空間は特定の端末のためのものであり、各端末は、端末固有探索空間をモニタリングして（可能なＤＣＩフォーマットによってＰＤＣＣＨ候補のアグリゲーションに対してデコーディングを試みて）、ＰＤＣＣＨにマスクされているＲＮＴＩおよびＣＲＣを確認し、有効な場合、制御情報を取得することができる。
【０１７７】
共通探索空間は、システム情報に関する動的スケジューリングやページングメッセージなどの場合を含む、複数の端末または全端末がＰＤＣＣＨを受信する必要がある場合に用いる。ただし、共通探索空間は、リソース運用上、特定の端末のためのものとして用いられてもよい。また、共通探索空間は端末固有探索空間とオーバーラップしてもよい。
【０１７８】
上述した通り、端末は探索空間に対してデコーディングを試みるが、このデコーディングを試みる回数は、ＤＣＩフォーマットおよびＲＲＣシグナリングによって指示される送信モード（Transmission mode）によって決定される。キャリアアグリゲーションが適用されない場合、端末は共通探索空間に対してＰＤＣＣＨ候補数６個のそれぞれに対して２種類のＤＣＩサイズ（ＤＣＩフォーマット０／１Ａ／３／３ＡおよびＤＣＩフォーマット１Ｃ）を考慮するので、最大１２回のデコーディングを試みる必要がある。端末固有探索空間に対しては、ＰＤＣＣＨ候補数（６＋６＋２＋２＝１６）に対して２種類のＤＣＩサイズを考慮するので、最大３２回のデコーディングを試みる必要がある。したがって、キャリアアグリゲーションが適用されない場合、最大４４回のデコーディングを試みる必要がある。
【０１７９】
拡張（Enhanced）制御チャネル
拡張制御チャネルの一例として、Ｅ−ＰＤＣＣＨ（Enhanced PDCCH）について説明する。
【０１８０】
前述したＤＣＩフォーマットに含まれる制御情報は、ＬＴＥ／ＬＴＥ−Ａで定義されたＰＤＣＣＨを介して送信されることを中心に説明したが、ＰＤＣＣＨではなく他の下りリンク制御チャネル、例えば、Ｅ−ＰＤＣＣＨにも適用可能である。Ｅ−ＰＤＣＣＨは、端末のためのスケジューリング割当などのＤＣＩを運ぶ（carry）制御チャネルの新しい形態に対応し、セル間干渉調整（ＩＣＩＣ）、ＣｏＭＰ、ＭＵ−ＭＩＭＯなどの方式を効果的にサポートするために導入できる。
【０１８１】
このようなＥ−ＰＤＣＣＨは、既存のＬＴＥ／ＬＴＥ−ＡシステムにおいてＰＤＣＣＨ送信のために定義される領域（例えば、図３の制御領域）以外の時間−周波数リソース領域（例えば、図３のデータ領域）に割り当てられるという点で、既存のＰＤＣＣＨと区別される（以下では、既存のＰＤＣＣＨを、Ｅ−ＰＤＣＣＨと区別するために、レガシＰＤＣＣＨ（legacy-PDCCH）と称する）。例えば、Ｅ−ＰＤＣＣＨのリソース要素へのマッピングは、時間領域では下りリンクサブフレームの先頭Ｎ（例えば、Ｎ≦４）個のＯＦＤＭシンボルを除いたＯＦＤＭシンボルにマッピングされ、周波数領域では半静的に割り当てられたリソースブロック（ＲＢ）のセットにマッピングされること、と表現できる。
【０１８２】
また、Ｅ−ＰＤＣＣＨの導入と同様の理由で、上りリンク送信に対するＨＡＲＱ ＡＣＫ／ＮＡＣＫ情報を運ぶ新しい制御チャネルとしてＥ−ＰＨＩＣＨを定義でき、下りリンク制御チャネル送信に用いられるリソース領域に関する情報を運ぶ新しい制御チャネルとしてＥ−ＰＣＦＩＣＨを定義することもできる。このようなＥ−ＰＤＣＣＨ、Ｅ−ＰＨＩＣＨおよび／またはＥ−ＰＣＦＩＣＨを総称してＥｎｈａｎｃｅｄ（拡張）−制御チャネルと呼ぶことができる。
【０１８３】
ＥＲＥＧ（Enhanced REG）をＥｎｈａｎｃｅｄ−制御チャネルのリソース要素へのマッピングを定義するために用いることができる。例えば、一つの物理リソースブロック対（PRB pair）に対して、１６個のＥＲＥＧ（すなわち、ＥＲＥＧ ０からＥＲＥＧ １５）が存在しうる。一つの物理リソースブロック（Physical Resource Block；ＰＲＢ）上でＤＭＲＳ（DeModulation Reference Signal）がマッピングされたＲＥを除いた残りのＲＥに対して、０から１５までの番号がつけられる。番号がつけられる順序は、まず、周波数の増加する順序に従い、続いて、時間の増加する順序に従う。例えば、ｉという番号がつけられたＲＥが一つのＥＲＥＧ ｉを構成する。
【０１８４】
Ｅｎｈａｎｃｅｄ−制御チャネルは、１つまたは複数のＥＣＣＥ（Enhanced CCE）のアグリゲーション（aggregation（集約））を用いて送信することができる。それぞれのＥＣＣＥは、１つまたは複数のＥＲＥＧを含むことができる。ＥＣＣＥ当たりのＥＲＥＧの数は、例えば、４または８であってもよい（通常ＣＰの一般サブフレームの場合は４）。
【０１８５】
Ｅｎｈａｎｃｅｄ−制御チャネルに対して利用可能なＥＣＣＥには、０からＮECCE−１まで番号を付けることができる。ＮECCEの値は、例えば、１、２、４、８、１６または３２であってもよい。
【０１８６】
Ｅｎｈａｎｃｅｄ−制御チャネルの送信のために設定されたＰＲＢ対のＲＥの数は、次の条件、ｉ）、ｉｉ）およびｉｉｉ）を満たすＲＥの数として定義できる。ｉ）ＰＲＢ対における１６個のＥＲＥＧのいずれか一つのＥＲＥＧの一部であること、ｉｉ）セル固有参照信号（Cell-specific Reference Signal；ＣＲＳ）またはＣＳＩ−ＲＳ（Channel State Information-Reference Signal）のために用いられないこと、および、ｉｉｉ）Ｅｎｈａｎｃｅｄ−制御チャネルが始まるＯＦＤＭシンボルのインデックス以上のインデックスを有するＯＦＤＭシンボルに属すること。
【０１８７】
また、Ｅｎｈａｎｃｅｄ−制御チャネルは、ローカル（localized）方式または分散（distributed）方式でＲＥにマッピングされうる。Ｅｎｈａｎｃｅｄ−制御チャネルは、次の条件ａ）乃至ｄ）を満たすＲＥにマッピングされうる。ａ）送信のために割り当てられたＥＲＥＧの一部であること、ｂ）物理ブロードキャストチャネル（Physical Broadcast CHannel；ＰＢＣＨ）または同期信号（synchronization signal）の送信に用いられるＰＲＢ対の一部でないこと、ｃ）ＣＲＳまたは特定のＵＥに対するＣＳＩ−ＲＳのために用いられないこと、および、ｄ）Ｅｎｈａｎｃｅｄ−制御チャネルが始まるＯＦＤＭシンボルのインデックス以上のインデックスを有するＯＦＤＭシンボルに属すること。
【０１８８】
Ｅｎｈａｎｃｅｄ−制御チャネルの割当は、次のように行うことができる。基地局からの上位層シグナリングで端末に一つまたは複数のＥｎｈａｎｃｅｄ−制御チャネル−ＰＲＢ−セットを設定することができる。例えば、Ｅ−ＰＤＣＣＨの場合は、Ｅｎｈａｎｃｅｄ−制御チャネル−ＰＲＢ−セットがＥ−ＰＤＣＣＨのモニタリングのためのものであってもよい。
【０１８９】
また、Ｅｎｈａｎｃｅｄ−制御チャネルのＲＥマッピングにはクロスインターリービング（cross interleaving）が適用されても、適用されなくてもよい。
【０１９０】
クロスインターリービングが適用されない場合、一つのＥｎｈａｎｃｅｄ−制御チャネルはリソースブロックの特定のセットにマッピングされてもよく、リソースブロックのセットを構成するリソースブロックの数はアグリゲーションレベル（aggregation level）１、２、４または８に対応できる。また、他のＥｎｈａｎｃｅｄ−制御チャネルは、当該リソースブロックセットで送信されなくてもよい。
【０１９１】
クロスインターリービングが適用される場合は、複数のＥｎｈａｎｃｅｄ−制御チャネルが一緒に多重化およびインターリービングされて、Ｅｎｈａｎｃｅｄ−制御チャネル送信のために割り当てられたリソースブロック上にマッピングされてもよい。すなわち、特定のリソースブロックセット上で複数のＥｎｈａｎｃｅｄ−制御チャネルが一緒にマッピングされると表現することもできる。
【０１９２】
ＤＣＩフォーマット１Ａ
ＤＣＩフォーマット１Ａとは、一つのセルにおける一つのＰＤＳＣＨコードワードのコンパクト（compact）スケジューリングのために用いられるＤＣＩフォーマットのことを指す。すなわち、ＤＣＩフォーマット１Ａは、シングルアンテナ送信、シングルストリーム送信、または送信ダイバーシチ送信など、ランク１送信で用いられる制御情報を含むことができる。表６は、既存の３ＧＰＰ ＬＴＥ／ＬＴＥ−Ａ標準で定義するＤＣＩフォーマット１Ａの一例を表す。
【０１９３】
【表６】
0006342904.tif 000035
【０１９４】
上記の表６のような制御情報を含むＤＣＩフォーマット１Ａは、ＰＤＣＣＨまたは拡張ＰＤＣＣＨ（Enhanced PDCCH；ＥＰＤＣＣＨ）を介して基地局から端末に提供することができる。
【０１９５】
ＤＣＩフォーマット１Ａは、最も基本的な下りリンク送信（ランク１で一つのＰＤＳＣＨコードワードを送信）をスケジューリングする情報を含む。したがって、ランク２以上および／または複数のコードワード送信などの複雑なＰＤＳＣＨ送信方式が正しく行われない場合、最も基本的なＰＤＳＣＨ送信方式をサポートするための用途（すなわち、フォールバック（fallback））に用いることができる。
【０１９６】
ＱＣＬ（Quasi Co-location）
ＱＣまたは疑似コロケーション（Quasi Co-Located；ＱＣＬ）関係は、信号に対する観点またはチャネルに対する観点で説明することができる。
【０１９７】
一つのアンテナポート上で受信される信号の広域特性（large scale properties）を、他のアンテナポート上で受信される信号から類推（infer）できる場合に、これらの２つのアンテナポートはＱＣＬされていると見なすことができる。ここで、信号の広域特性は、遅延拡散（delay spread）、ドップラシフト（Doppler shift）、周波数シフト（frequency shift）、平均受信電力（average received power）、受信タイミング（received timing）のうち一つまたは複数を含むことができる。
【０１９８】
或いは、一つのアンテナポート上のシンボルが送信されるチャネルの広域特性を、他のアンテナポート上のシンボルが送信されるチャネルの特性から類推できる場合に、これらの２つのアンテナポートがＱＣＬされていると見なすことができる。ここで、チャネルの広域特性は、遅延拡散（delay spread）、ドップラ拡散（Doppler spread）、ドップラシフト（Doppler shift）、平均利得（average gain）および平均遅延（average delay）のうち一つまたは複数を含むことができる。
【０１９９】
本発明でＱＣまたはＱＣＬという用語を使用するに当たり、上述した信号の観点かまたはチャネルの観点かについて区別しない。
【０２００】
端末は、ＱＣＬに対する仮定が成立するアンテナポート間には、実際には２つのアンテナポートがｃｏ−ｌｏｃａｔｅｄされていなくても、ｃｏ−ｌｏｃａｔｅｄされていると仮定することができる。例えば、端末は、ＱＣＬ仮定が成立する２つのアンテナポートが同一の送信ポイント（ＴＰ）に存在すると仮定することができる。
【０２０１】
例えば、特定のＣＳＩ−ＲＳアンテナポートと、特定の下りリンクＤＭＲＳアンテナポートと、特定のＣＲＳアンテナポートと、がＱＣＬされていると設定することができる。これは、特定のＣＳＩ−ＲＳアンテナポートと、特定の下りリンクＤＭＲＳアンテナポートと、特定のＣＲＳアンテナポートと、が一つのサービングセル（serving-cell）からのものである場合であってもよい。
【０２０２】
また、ＣＳＩ−ＲＳアンテナポートと下りリンクＤＭＲＳアンテナポートとがＱＣＬされていると設定されてもよい。例えば、複数のＴＰが参加するＣｏＭＰ状況で、いずれのＣＳＩ−ＲＳアンテナポートが実際にいずれのＴＰから送信されるかは端末に明示的に知らされない。この場合、特定のＣＳＩ−ＲＳアンテナポートと特定のＤＭＲＳアンテナポートとがＱＣＬされていることを端末に知らせることができる。これは、特定のＣＳＩ−ＲＳアンテナポートと特定のＤＭＲＳアンテナポートとがいずれか一つのＴＰからのものである場合であってもよい。
【０２０３】
このような場合、端末はＣＳＩ−ＲＳまたはＣＲＳを用いて取得したチャネルの広域特性情報を用いて、ＤＭＲＳを用いたチャネル推定の性能を高めることができる。例えば、ＣＳＩ−ＲＳから推定されたチャネルの遅延拡散を用いて、ＤＭＲＳから推定されたチャネルの干渉を抑制するなどの動作を行うことができる。
【０２０４】
例えば、遅延拡散およびドップラ拡散に関して、端末はいずれか一つのアンテナポートに対する電力遅延プロファイル（power-delay-profile）、遅延拡散およびドップラスペクトル、ドップラ拡散推定結果を、他のアンテナポートに対するチャネル推定時に用いられるウィナーフィルタ（Wiener filter）などに同様に適用することができる。また、周波数シフトおよび受信タイミングに関して、端末は、いずれか一つのアンテナポートに対する時間および周波数同期（synchronization）を行った後、同一の同期を他のアンテナポートの復調に適用することができる。また、平均受信電力に関して、端末は、２個以上のアンテナポートにわたる参照信号受信電力（reference signal received power；ＲＳＲＰ）測定を平均することができる。
【０２０５】
例えば、端末がＰＤＣＣＨ（もしくは、ＥＰＤＣＣＨ）を介して、特定のＤＭＲＳベースのＤＬ関連ＤＣＩフォーマット（DMRS-based DL-related DCI format）（例えば、ＤＣＩフォーマット２Ｃ）でＤＬスケジューリンググラント情報を受信することがある。この場合、端末は、設定されたＤＭＲＳシーケンスを用いて該当のスケジューリングされたＰＤＳＣＨに対するチャネル推定を行った後、データ復調を行う。例えば、端末が、このようなＤＬスケジューリンググラントから受け取ったＤＭＲＳポート設定が、特定のＲＳ（例えば、特定のＣＳＩ−ＲＳ、特定のＣＲＳまたは自体のＤＬサービングセルのＣＲＳなど）ポートとＱＣＬされていると仮定できるならば、端末は、当該ＤＭＲＳポートを介したチャネル推定時に、上記の特定のＲＳのポートから推定した遅延拡散などの広域特性推定値をそのまま適用してＤＭＲＳベース受信の性能を向上させることができる。
【０２０６】
これは、ＣＳＩ−ＲＳまたはＣＲＳは、周波数ドメインで全帯域にわたって送信されるセル固有信号であり、端末固有に送信されるＤＭＲＳに比べてチャネルの広域特性をより正確に把握できるからである。特に、ＣＲＳは、サブフレームごとに全帯域にわたって相対的に高い密度でブロードキャストされる参照信号であるから、一般に、チャネルの広域特性に対する推定値は、ＣＲＳから安定してより正確に取得することができる。一方、ＤＭＲＳは、スケジューリングされた特定のＲＢのみで端末固有に送信されるため、チャネルの広域特性の推定値の精度がＣＲＳまたはＣＳＩ−ＲＳに比べて劣る。また、端末に多数のＰＲＢＧがスケジューリングされた場合であっても、基地局が送信に用いたプリコーディング行列は物理リソースブロックグループ（ＰＲＢＧ）単位で変わることもあるため、端末に受信される有効チャネルはＰＢＲＧ単位で変わることがある。そのため、広い帯域にわたってＤＭＲＳに基づいて広域チャネル特性を推定しても、その正確さが低下しうる。
【０２０７】
一方、端末は、ＱＣＬされていない（non-quasi-co-located；ＮＱＣ）アンテナポート（ＡＰ）に対しては、これらのＡＰが同一の広域チャネル特性を有すると仮定することができない。この場合、端末はタイミング取得および追跡（timing acquisition and tracking）、周波数オフセット推定および補償（frequency offset estimation and compensation）、遅延推定（delay estimation）、およびドップラ推定（Doppler estimation）などについてＮＱＣ ＡＰ別に独立して処理しなければならない。
【０２０８】
ＱＣＬされているか否かは、下りリンク制御情報（例えば、ＤＣＩフォーマット２ＤのＰＤＳＣＨ ＲＥマッピングおよびＱＣＬ指示子（PDSCH RE Mapping and QCL Indicator；ＰＱＩ）フィールド）を用いて端末に提供することができる。具体的には、ＱＣＬ設定に対するパラメータセットが上位層によって予め設定されており、ＤＣＩ ２ＤのＰＱＩフィールドを用いてそれらのＱＣＬパラメータセットの中から特定の一つのパラメータセットを示すことができる。
【０２０９】
ＱＣ関連情報のシグナリング方法
本発明の一実施例では、ＣＲＳ、ＣＳＩ−ＲＳ、ＤＭＲＳなどのＲＳ間のＱＣ仮定情報を基地局がシグナリングすることによって、端末のＣＳＩフィードバックおよび受信処理性能を向上させることができる方法を提案する。
【０２１０】
ＱＣ関連情報の上位層シグナリング方法
以下では、ＱＣ関連情報を上位層（例えば、ＲＲＣ）シグナリングで設定する本発明の実施例について説明する。例えば、端末が上位層によって一つまたは複数のＣＳＩ−ＲＳ設定（configuration（ｓ））をシグナリングされる際、それぞれのＣＳＩ−ＲＳ設定別に特定のＲＳとのＱＣ仮定が可能か否かが知らされてもよい（ここで、特定のＲＳは、端末の特定のセル（例えば、ＤＬサービングセルまたは隣接セル）のＣＲＳ、他のＣＳＩ−ＲＳまたはＤＭＲＳであってもよい）。このように設定された端末は、それぞれのＣＳＩ−ＲＳ設定に基づくＣＳＩフィードバックにおいて、報告する情報（例えば、ＲＩ、ＰＭＩ、ＣＱＩなど）を計算／決定する際にこれらのＱＣ仮定またはＮＱＣ仮定を適用することができる。
【０２１１】
ＱＣ関連情報の上位層シグナリング方法の一例として、ＣＳＩ−ＲＳポートとＣＲＳポートとの間のＱＣ／ＮＱＣの適用による動作について説明する。
【０２１２】
例えば、端末に複数のＣＳＩ−ＲＳ設定がシグナリングされることがある。以下の説明で、ＣＳＩ−ＲＳ設定はＣＳＩ−ＲＳリソース（resource）として理解されてもよい。例えば、端末は、ＣＳＩ−ＲＳ設定１（以下では、“ＣＳＩ−ＲＳ１”と表記）およびＣＳＩ−ＲＳ設定２（以下では、“ＣＳＩ−ＲＳ２”と表記）を上位層によってシグナリングされることがある。また、ＣＳＩ−ＲＳ１はＤＬサービングセルＣＲＳとのＱＣを仮定してもよいことと、ＣＳＩ−ＲＳ２はＤＬサービングセルＣＲＳとのＮＱＣを仮定してもよいことと、が上位層によってシグナリングされてもよい。
【０２１３】
この場合、端末は、ＤＬサービングセルＣＲＳとのＱＣ仮定が可能なＣＳＩ−ＲＳ１を用いるＣＳＩ計算について、次のような仮定に基づくことができる。端末は、ＣＳＩを計算する際、ＤＭＲＳベースのＰＤＳＣＨを受信する場合を仮定してデータ復調時に所定のエラー率を越えないＲＩ、ＰＭＩ、ＣＱＩなどを計算／決定できるが、このとき、当該ＰＤＳＣＨ ＤＭＲＳポートとＤＬサービングセルＣＲＳとがＱＣ関係であることを仮定した場合、データ復調時の１０％以下のＦＥＲを達成できるＲＩ、ＰＭＩ、ＣＱＩなどを計算することができる。また、ＣＳＩ−ＲＳ１を用いるＣＳＩ計算において、ＣＳＩ−ＲＳ ｃｏｎｆｉｇｕｒａｔｉｏｎに含まれるＰｃ値（上記の表２のパラメータｐ＿Ｃを参照）に、上記ＤＬサービングセルＣＲＳを考慮した所定のスケーリング（scaling）を適用する方式でＱＣ仮定を反映することもできる。
【０２１４】
一方、端末は、ＣＳＩ−ＲＳ２がＤＬサービングセルＣＲＳとＮＱＣ関係にあると設定されたため、ＣＳＩ−ＲＳ２を送信したＴＰからＤＭＲＳベースＰＤＳＣＨを受信する場合を仮定してＲＩ、ＰＭＩ、ＣＱＩを計算／決定する際、当該ＰＤＳＣＨ ＤＭＲＳポートとＤＬサービングセルＣＲＳとのＱＣ仮定を適用しない。すなわち、ＱＣを仮定せずに、ＤＭＲＳベースＰＤＳＣＨを用いたデータ復調時の１０％以下のＦＥＲを達成できるＲＩ、ＰＭＩ、ＣＱＩなどを計算／決定することができる。例えば、ＱＣ仮定を適用できる場合に比べてより低い（すなわち、よりロバストな送信が予想される）ＭＣＳレベル、ＣＱＩ、ＲＩ値などを計算／決定し、それを基地局に報告することができる。
【０２１５】
ＱＣ関連情報の上位層シグナリング方法の追加の例示として、特定のＣＳＩ−ＲＳ設定のＣＳＩ−ＲＳポートとは異なるＣＳＩ−ＲＳ設定のＣＳＩ−ＲＳポートとのＱＣ／ＮＱＣ仮定の適用を示す情報が上位層シグナリングに含まれてもよい。
【０２１６】
例えば、ＣＳＩ−ＲＳ設定別に所定のロケーション（location）情報を含み、同一のロケーション値を有するＣＳＩ−ＲＳ間には互いにＱＣを仮定してもよいと解釈するシグナリング方法を提案する。該ロケーション情報はＮビットサイズを有することができる。例えば、Ｌ×Ｍ個のアンテナを含む２次元ＵＲＡ（Uniform Rectangular Antenna array）を具備した基地局で３次元ビームフォーミングを行う場合を仮定することができる。この場合、基地局は、一つの端末に対して、２次元ＵＲＡによって構成される複数のＣＳＩ−ＲＳ設定間にＱＣ関係を有することを知らせることができる。これによって、端末は、一つのＣＳＩ−ＲＳ設定の特定のＣＳＩ−ＲＳポートに対して測定された広域チャネル特性（例えば、遅延拡散、ドップラ拡散、周波数シフト、受信タイミングなど）の一部または全部を、他のＣＳＩ−ＲＳ設定のＣＳＩ−ＲＳポートに対して適用することができる。これによって、端末のチャネル推定の複雑さを大幅に減少させることができる。ただし、互いに異なるＣＳＩ−ＲＳ設定に対して広域チャネル特性のうち平均受信電力がＱＣ関係にあると仮定すると、３次元ビームフォーミングの利得を十分に受けることができないので、平均受信電力を決定する際には、互いに異なるＣＳＩ−ＲＳ設定に属したＣＳＩ−ＲＳポートに対してはＮＱＣ関係であると仮定してもよい。
【０２１７】
追加の例示として、ＣＳＩ−ＲＳ設定別にフラグビット（flag bit）が含まれてもよい。フラグビットがトグル（toggle）される度に、ＱＣ仮定が適用される同一グループに属するか否かを示すことができる。例えば、フラグビットの値がトグルされる場合（すなわち、以前のＣＳＩ−ＲＳ設定のフラグビットの値に比べて当該ＣＳＩ−ＲＳ設定のフラグビットの値が０から１に切り替わったり、１から０に切り替わった場合）には、以前のＣＳＩ−ＲＳ設定と異なるグループに属することを示し、フラグビットの値がトグルされない場合には、同一グループに属することを示すことができる。例えば、端末が合計５個のＣＳＩ−ＲＳ設定（ＣＳＩ−ＲＳ１、ＣＳＩ−ＲＳ２、…、ＣＳＩ−ＲＳ５）をシグナリングされた場合に、ＣＳＩ−ＲＳ１およびＣＳＩ−ＲＳ２ではフラグビットが‘０’であり、ＣＳＩ−ＲＳ３およびＣＳＩ−ＲＳ４に対しては‘１’、ＣＳＩ−ＲＳ５に対しては‘０’とトグルされた場合を仮定することができる。この場合、ＣＳＩ−ＲＳ１とＣＳＩ−ＲＳ２との間にはＱＣ仮定が可能であり、ＣＳＩ−ＲＳ３とＣＳＩ−ＲＳ４との間にもＱＣ仮定が可能であり、ＣＳＩ−ＲＳ５は他のＣＳＩ−ＲＳとＱＣ関係にない（すなわち、ＮＱＣ関係にある）ことを示すことができる。また、ＣＳＩ−ＲＳ１またはＣＳＩ−ＲＳ２と、ＣＳＩ−ＲＳ３またはＣＳＩ−ＲＳ４と、の間ではＱＣ仮定が可能でないことがわかる。
【０２１８】
追加の例示として、ＣＳＩ−ＲＳ設定別に含まれているＣＳＩ−ＲＳシーケンススクランブルシード値をＸとすれば、Ｘ値が同一か否かによってＱＣ仮定が適用されるか否かを暗黙的に（implicitly）示すことができる。例えば、ＣＳＩ−ＲＳ設定別に含まれるＸ値が同一であれば、該当のＣＳＩ−ＲＳ設定間にはＣＳＩ−ＲＳポートのＱＣ仮定が適用されることを示すことができる。一方、ＣＳＩ−ＲＳ設定別に含まれるＸ値が互いに異なる場合には、該当のＣＳＩ−ＲＳ設定間にはＣＳＩ−ＲＳポートのＮＱＣ仮定が適用されることを示すことができる。ここで、Ｘ値は、端末固有に設定されるＣＳＩ−ＲＳ設定に含まれる値であるから、セル固有に与えられる物理セル識別子（ＰＣＩ）とは独立的に設定される値であってもよく、仮想セル識別子（ＶＣＩ）と呼ぶことができる。また、Ｘ値は、ＰＣＩと同様に０乃至５０３の範囲のいずれか一つの整数値を有することができるが、ＰＣＩ値と同一でなくてもよい。
【０２１９】
また、特定のＣＳＩ−ＲＳ設定に含まれたＸ値が特定のＣＲＳポートのＰＣＩ値と同じ場合は、当該ＣＳＩ−ＲＳ設定のＣＳＩ−ＲＳポートと上記特定のＣＲＳポートとの間でＱＣ仮定が可能であることを暗黙的に示すことができる。一方、特定のＣＳＩ−ＲＳ設定に含まれたＸ値が特定のＣＲＳポートのＰＣＩ値と異なる場合は、当該ＣＳＩ−ＲＳ設定のＣＳＩ−ＲＳポートと上記特定のＣＲＳポートとの間にＮＱＣ仮定が適用されることを暗黙的に示すことができる。
【０２２０】
追加として、ＣＳＩ−ＲＳスクランブルシーケンスシード値であるＸ値は、一つのＣＳＩ−ＲＳ設定内のＣＳＩ−ＲＳポート別に個別に割り当てられてもよい。この場合、あるＣＳＩ−ＲＳポートと他のＲＳポート（例えば、他のＣＳＩ−ＲＳ設定のＣＳＩ−ＲＳポート、同一ＣＳＩ−ＲＳ設定内における他のＣＳＩ−ＲＳポートおよび／もしくはＣＲＳポート）とのＱＣ／ＮＱＣ仮定が適用されるか否かは、それぞれのＣＳＩ−ＲＳポートに対するＸ値（または、特定のＣＳＩ−ＲＳポートに対するＸ値および特定のＣＲＳのＰＣＩ値）が同一か否かによって暗黙的に示すことができる。
【０２２１】
ＱＣ関連情報の上位層シグナリング方法の追加の例示として、特定のＣＳＩ−ＲＳ設定によるＤＭＲＳポートとのＱＣ／ＮＱＣ仮定の適用を示す情報が含まれてもよい。
【０２２２】
例えば、ＣＳＩ−ＲＳ設定別に特定のＤＭＲＳポートとのＱＣ／ＮＱＣ仮定の適用をＲＲＣシグナリングで指定することができる。万一、全てのＤＭＲＳポートとのＱＣ仮定の適用が可能なＣＳＩ−ＲＳ１が設定されると、端末は、ＣＳＩ−ＲＳ１を用いた広域チャネル特性の推定値をＤＭＲＳベースのＰＤＳＣＨ受信時にも同様に適用することができる。このようなＣＳＩ−ＲＳ１が設定された端末は、基地局が半静的に（すなわち、上位層によって再設定されない限り）ＣＳＩ−ＲＳ１を送信したＴＰから当該端末にＰＤＳＣＨを送信するという意味であると解釈することもできる。特に、ＣｏＭＰシナリオ４（すなわち、同一のセルＩＤを有する複数のＴＰからＣＲＳが同時送信される状況）では、ＣＲＳを用いたＴＰ固有のＱＣ仮定を適用し難いため、ＣＳＩ−ＲＳポートとのＱＣ仮定が設定されたＤＭＲＳポートの情報を端末に知らせ、ＤＭＲＳベースの受信処理の性能を向上させることに活用することができる。
【０２２３】
追加の例示として、端末にＣＳＩ−ＲＳ１およびＣＳＩ−ＲＳ２が設定された場合、ＣＳＩ−ＲＳ１はＤＬサービングセルＣＲＳとのＱＣ仮定が適用され、ＣＳＩ−ＲＳ２はＤＬサービングセルＣＲＳとのＮＱＣ仮定が適用される場合を仮定する。この場合、端末は、ＤＭＲＳポートにＣＳＩ−ＲＳ１およびＤＬサービングセルＣＲＳの両方とのＱＣ仮定が適用されるという半静的な指示を受けたと暗黙的に解釈して動作することができる。例えば、ＣＳＩ−ＲＳ１がＤＬサービングセルＣＲＳとのＱＣ仮定が可能であると設定されたため、端末は、ＣＳＩ−ＲＳ１に基づくＣＳＩフィードバック時に、ＮＱＣを仮定する場合に比べてより高いＭＣＳレベル、ＣＱＩなどのＣＳＩフィードバック情報を報告することができる。したがって、基地局がＣＳＩ−ＲＳ１とＤＬサービングセルＣＲＳとの間にＱＣ仮定が適用されると設定すると、（基地局が他のシグナリングをしない限り）端末は、基地局が自体にＤＬ送信をスケジューリングする際には、ＣＳＩ−ＲＳ１を送信したＴＰがＤＭＲＳベースＰＤＳＣＨを送信するようにするという一種の約束であると解釈することができる。これによって、端末は、ＱＣの仮定されたＣＳＩ−ＲＳ１ベースのＣＳＩフィードバック情報を報告し、実際のＰＤＳＣＨ受信もＱＣ仮定を適用して行うことによって、受信処理の性能向上を期待することができる。
【０２２４】
具体的には、ＣｏＭＰ測定セット（measurement set）における複数のＣＳＩ−ＲＳ設定のうち一つでもＤＬサービングセルＣＲＳとのＱＣ仮定が可能であるとされた場合、端末は、ＤＭＲＳベースＰＤＳＣＨの復調を行うに当たり、当該ＤＭＲＳポートと自体のＤＬサービングセルＣＲＳポートと（さらに、当該ＤＬサービングセルＣＲＳポートとのＱＣ仮定が適用されるＣＳＩ−ＲＳポートと）の間のＱＣ仮定が可能であることが半静的に指示されたと暗黙的に解釈することができる。これによって、端末は、このようなＤＬサービングセルＣＲＳ、ＤＭＲＳ、ＣＳＩ−ＲＳポート間のＱＣ仮定を考慮して受信処理を行うことができる。また、当該端末がＣＳＩフィードバックを行う際にも、このようなＱＣ仮定が適用された受信処理を仮定してＣＳＩを生成する。例えば、端末がＤＭＲＳベースＰＤＳＣＨを受信することを仮定し、当該ＤＭＲＳポートとＤＬサービングセルＣＲＳポートと（さらに、当該ＤＬサービングセルＣＲＳポートとのＱＣ仮定が適用されるＣＳＩ−ＲＳポートと）の間でＱＣ関係を有すると仮定し、データ復調時に１０％以下のエラー率を達成できるＭＣＳレベル、ＣＱＩ、ＲＩ、ＰＭＩなどを計算／決定してそれを報告することができる。
【０２２５】
一方、ＣｏＭＰ測定セットにおける複数のＣＳＩ−ＲＳ設定がいずれもＤＬサービングセルＣＲＳとのＮＱＣ仮定を適用することが設定された場合には、端末は、ＤＭＲＳベースＰＤＳＣＨの復調を行うに当たり、当該ＤＭＲＳポートと自体のＤＬサービングセルＣＲＳポートとの間にＮＱＣ仮定が適用されることが半静的に指示されたと暗黙的に解釈することができる。また、当該端末が受信処理を行うに当たり、当該ＣＳＩ−ＲＳ設定のＣＳＩ−ＲＳポートと他のＲＳポートとのＱＣ仮定を適用してはならない。また、当該端末がＣＳＩフィードバックを行う際にも、このようなＮＱＣ仮定が適用された受信処理を仮定してＣＳＩを生成する。例えば、端末がＤＭＲＳベースＰＤＳＣＨを受信することを仮定し、当該ＤＭＲＳポートとＤＬサービングセルＣＲＳポートとの間でＮＱＣ関係を有すると仮定し、データ復調時に１０％以下のエラー率を達成できるＭＣＳレベル、ＣＱＩ、ＲＩ、ＰＭＩなどを計算／決定してそれを報告することができる。
【０２２６】
追加の例示として、ＣＳＩ−ＲＳ設定別にサブフレームインデックス情報が含まれ、当該サブフレームでＤＭＲＳベースＰＤＳＣＨスケジューリングを受け取る場合に、当該ＤＭＲＳポートと当該ＣＳＩ−ＲＳポートと（さらに、ＤＬサービングセルＣＲＳポートと）の間のＱＣ／ＮＱＣ仮定の適用がＲＲＣシグナリングによって指定されてもよい。例えば、ＣＳＩ−ＲＳ１は、偶数インデックスを有するサブフレームでＤＭＲＳポートとのＱＣ仮定が可能であるとシグナリングされる場合、端末は、偶数インデックスのサブフレームでは、ＣＳＩ−ＲＳ１のＣＳＩ−ＲＳポートおよび／またはＤＬサービングセルＣＲＳポートを用いた広域チャネル特性推定値の一部または全部を、ＤＭＲＳベースＰＤＳＣＨ受信処理に同様に適用することができる。ＣＳＩフィードバックの場合には、端末が、ＱＣ仮定を考慮したＣＳＩとＮＱＣ仮定を考慮したＣＳＩとの両方を生成して報告することができる。或いは、ＣＱＩのみに対してＱＣである場合を仮定したＣＱＩとＮＱＣである場合を仮定したＣＱＩとの両方を計算／決定して報告することもできる。
【０２２７】
このようなシグナリングは、サブフレームビットマップまたはサブフレームインデックスセットの形態で提供することができる。例えば、サブフレームセット１は“ＤＭＲＳポートとＤＬサービングセルＣＲＳポートと”の間のＱＣ仮定が可能であり、サブフレームセット２は“ＤＭＲＳポートと特定のＣＳＩ−ＲＳポートと”の間のＱＣ仮定が可能であると設定されてもよい。或いは、サブフレームセット１は“ＤＭＲＳポートとＤＬサービングセルＣＲＳポートと”の間のＱＣ仮定が可能であり、サブフレームセット２は“ＤＭＲＳポートとＤＬサービングセルＣＲＳポートと”の間のＮＱＣを仮定しなければならないと設定されてもよい。
【０２２８】
ＱＣ関連情報の動的シグナリング方法
以下では、ＱＣ関連情報を動的シグナリングを用いて設定する本発明の実施例について説明する。例えば、端末は、ＤＭＲＳベースＰＤＳＣＨ送信に対するＤＬ関連（または、下りリンクグラント）ＤＣＩを、ＰＤＣＣＨ或いはＥＰＤＣＣＨを介して受信できるが、当該ＤＭＲＳポートと他のＲＳ（例えば、当該端末のＤＬサービングセルＣＲＳまたはＣＳＩ−ＲＳ）ポートとのＱＣ仮定の適用が可能か否かを示す情報が含まれてもよい。
【０２２９】
ＱＣ関連情報の動的シグナリング方法の一例として、１ビットサイズの情報を用いて当該ＤＭＲＳポートと、特定のＲＳ（例えば、当該端末のＤＬサービングセルＣＲＳまたはＣＳＩ−ＲＳ）ポートと、の間のＱＣ仮定の適用が可能か否かのみを動的にシグナリングすることができる。これによって、ＣｏＭＰ動的ポイント選択（ＤＰＳ）または動的セル選択方式によるＰＤＳＣＨスケジューリングのためのＤＬ関連ＤＣＩを提供する際、基地局は、ＱＣ仮定が可能なＴＰからのＰＤＳＣＨがＤＰＳ方式で送信される場合には、ＱＣ仮定の適用が可能であることを動的に端末に示すことによって、端末の受信処理性能を高めることができる。
【０２３０】
ＱＣ関連情報の動的シグナリング方法の追加の例示として、上位層（例えば、ＲＲＣ層）シグナリングによって、“ＣＳＩ−ＲＳポートとＤＭＲＳポートとの間のＱＣ対（pair）情報”、または、“ＣＲＳポートとＤＭＲＳポートとの間のＱＣ−ｐａｉｒ情報”を、複数の状態（state）を有する情報として半静的に予め設定しておき、ＤＣＩを用いてスケジューリンググラント情報を端末に提供する際に、これらの複数の状態のいずれか一つを動的に示す方式を適用することができる。例えば、Ｎ（例えば、Ｎ＝２）個のビット状態のうち一つを動的にトリガし、ここで、それぞれの状態は、ＲＲＣによって予め設定されたＲＳ間（inter-RS）ＱＣ−ｐａｉｒ候補（例えば、ＣＳＩ−ＲＳおよびＤＭＲＳ ｐａｉｒ、または、ＣＲＳおよびＤＭＲＳ ｐａｉｒ）のうち一つに対応する。
【０２３１】
例えば、Ｎ＝２の場合、状態‘００’は、ＮＱＣ（すなわち、ＤＭＲＳポートは他のＲＳポートとのＱＣ仮定が適用されないこと）を、状態‘０１’は、ＤＬサービングセルＣＲＳポートとのＱＣ仮定が可能であることを、状態‘１０’は、ＲＲＣ設定された第１セットのＲＳ（例えば、特定のＣＳＩ−ＲＳまたは特定のＣＲＳ）ポートとのＱＣ仮定が可能であることを、状態‘１１’は、ＲＲＣ設定された第２セットのＲＳポートとのＱＣ仮定が可能であることを示すと予め設定することができる。例えば、ＲＲＣ設定された第１セットのＲＳ間ＱＣ−ｐａｉｒは、“ＤＭＲＳポートはＣＳＩ−ＲＳ１およびＣＳＩ−ＲＳ２のＣＳＩ−ＲＳポートとのＱＣ仮定が可能であること”を示すことができ、ＲＲＣ設定された第２セットのＲＳ間ＱＣ−ｐａｉｒは、“ＤＭＲＳポートはＣＲＳポートとのＱＣ仮定が可能であること”を示すことができる。
【０２３２】
また、ＱＣ情報とＣＲＳレートマッチング（ＲＭ）パターン情報とがジョイントコーディングされてもよい。これによって、上記ＤＣＩフォーマットにおけるＮビットフィールドは、“ＰＤＳＣＨ ＲＥマッピングおよびＱＣＬ指示子フィールド”（略して、ＰＱＩフィールド）と呼ぶことができる。
【０２３３】
例えば、Ｎ（例えば、Ｎ＝２）個のビット状態は、下記の表７のように構成することができる。
【０２３４】
【表７】
0006342904.tif 000036
【０２３５】
上記の表７で、“ＱＣ ａｓｓｕｍｐｔｉｏｎ ｗｉｔｈ ＣＳＩ−ＲＳ”項目は、特定の状態（‘００’、‘０１’、‘１０’、‘１１’）を示す情報がＤＭＲＳベースＰＤＳＣＨ送信をスケジューリングするＤＬ関連ＤＣＩに含まれるとき、当該ＤＭＲＳポートといずれのＣＳＩ−ＲＳ設定との間にＱＣ仮定の適用が可能かを示す。例えば、ＴＰ当たり一つずつの互いに異なるＣＳＩ−ＲＳが事前にＲＲＣシグナリングで端末に設定された場合を仮定することができる。ここで、特定のＴＰをインデックスｎ（ｎ＝０，１，２，…）を用いてＴＰｎと称し、ＴＰｎに対応する設定されたＣＳＩ−ＲＳ設定をＣＳＩ−ＲＳｎと称することができる。ここで、ＴＰという用語は、セル（cell）という意味と理解してもよい。また、ＣＳＩ−ＲＳｎは、送信電力が０でない（non-zero power；ＮＺＰ）ＣＳＩ−ＲＳ設定であってもよい。
【０２３６】
この場合、上記の表７で、状態‘００’は、ＴＰ１から送信されるＣＳＩ−ＲＳ１のＣＳＩ−ＲＳポートと当該ＤＭＲＳポートとの間でＱＣ仮定が可能であることを意味できる。状態‘０１’は、ＴＰ２から送信されるＣＳＩ−ＲＳ２のＣＳＩ−ＲＳポートと当該ＤＭＲＳポートとの間で、状態‘１０’は、ＴＰ３から送信されるＣＳＩ−ＲＳ３のＣＳＩ−ＲＳポートと当該ＤＭＲＳポートとの間で、ＱＣ仮定が可能であることを意味できる。すなわち、基地局は、ＤＬ関連ＤＣＩを用いて‘００’、‘０１’または‘１０’のいずれか一つの状態を示すことによって、ＴＰ１、ＴＰ２またはＴＰ３のいずれか一つのＴＰからのＤＰＳ方式ＰＤＳＣＨ送信を動的にシグナリングすることができる。
【０２３７】
また、上記の表７の“ＱＣ ａｓｓｕｍｐｔｉｏｎ ｗｉｔｈ ＣＳＩ−ＲＳ”項目を特定のＴＰから送信することを知らせるなどの形態でシグナリングすることもできる。例えば、特定のＴＰを示す識別子（例えば、ＰＣＩ、ＶＣＩまたはスクランブルシーケンスシード値など）を用いて、ＤＭＲＳとのＱＣ仮定が適用されるＣＳＩ−ＲＳを送信するＴＰを端末に知らせることもできる。
【０２３８】
また、“ＱＣ ａｓｓｕｍｐｔｉｏｎ ｗｉｔｈ ＣＳＩ−ＲＳ”項目が特定のＣＳＩプロセスを示すように用いることもできる。ここで、ＤＰＳ方式のＰＤＳＣＨ送信では一つのＣＳＩプロセスインデックスのみが指定されてもよく、ＪＰまたはジョイント送信（ＪＴ）方式のＰＤＳＣＨ送信では複数のＣＳＩプロセスインデックスが指定されてもよい。ここで、それぞれのＣＳＩプロセスは、チャネル測定のためのＣＳＩ−ＲＳリソースおよびＣＳＩ−干渉測定リソース（CSI-IM resource）と関連付けられてもよい。具体的には、一つのＣＳＩプロセスは、所望の信号測定のための一つのＮＺＰ ＣＳＩ−ＲＳリソース、および、干渉測定のための一つの干渉測定リソース（ＩＭＲ）との関連付けとして定義される。それぞれのＣＳＩプロセスは、独立したＣＳＩフィードバック設定を有する。独立したＣＳＩフィードバック設定は、フィードバックモード（いずれの種類のＣＳＩ（ＲＩ、ＰＭＩ、ＣＱＩなど）をいかなる順序で送信するか）、フィードバック周期およびオフセットなどを意味する。
【０２３９】
このように“ＱＣ ａｓｓｕｍｐｔｉｏｎ ｗｉｔｈ ＣＳＩ ｐｒｏｃｅｓｓ”を示すＮ（Ｎ＝２）ビット情報がＤＭＲＳベースＰＤＳＣＨ送信をスケジューリングするＤＬ関連ＤＣＩに含まれる場合、特定のＣＳＩプロセスに関連付けられたＮＺＰ ＣＳＩ−ＲＳリソースおよびＩＭＲのそれぞれに対して、ＤＭＲＳとのＱＣ仮定が適用可能か否かを知らせることができる。すなわち、ＮＺＰ ＣＳＩ−ＲＳリソースおよびＩＭＲの両方、ＮＺＰ ＣＳＩ−ＲＳのみまたはＩＭＲのみが、ＤＭＲＳとのＱＣ仮定の適用が可能か、それとも両方ともＤＭＲＳとＮＱＣであるかに関する情報を個別に提供することができる。
【０２４０】
ここで、ＩＭＲとＤＭＲＳとの間にＱＣ仮定の適用が可能であるということは、ＤＭＲＳベースの復調を行う際、ウィナー（Wiener）フィルタのようなＭＭＳＥ（Minimum Mean Squared Error）フィルタなどの係数（coefficient）を決定するなどの受信処理において、ＩＭＲから推定されたパラメータ（例えば、干渉または雑音分散（variance）値）を活用することができることを意味でき、これによって、ＤＭＲＳの復調性能を向上させることができる。
【０２４１】
このようにＣＳＩプロセスに属するＮＺＰ ＣＳＩ−ＲＳおよびＩＭＲのそれぞれに対してＤＭＲＳとのＱＣ仮定が可能か否かを個別に知らせることによって、より正確なチャネル推定性能を期待することができる。例えば、ＳＵ（Single User）−ＭＩＭＯ送信またはＭＵ（Multiple User）−ＭＩＭＯ送信によって、ＩＭＲを用いて推定されたパラメータ（例えば、雑音分散値など）を、ＤＭＲＳを用いたデータ復調時の受信処理に使用（例えば、ＭＭＳＥフィルタなどの係数として使用）する時に誤差が発生しうるからである。すなわち、ＳＵ−ＭＩＭＯ送信の場合には、ＮＺＰ ＣＳＩ−ＲＳリソースもＭＲもＤＭＲＳとのＱＣ仮定の適用が可能であるため、データ復調性能の向上を期待することができる。しかし、ＭＵ−ＭＩＭＯ送信の場合には、ＮＺＰ ＣＳＩ−ＲＳリソースとＤＭＲＳとの間のＱＣ仮定の適用のみが可能であり、ＩＭＲとＤＭＲＳとの間にはＮＱＣ仮定が適用されること（すなわち、ＩＭＲを用いて測定された雑音分散値などをデータ復調時に再利用することが禁止されること）が好ましい。
【０２４２】
したがって、上記の表７のそれぞれの状態に関連付けられた追加の１ビットサイズのフラグビットを定義し、その値が‘０’なら、ＮＺＰ ＣＳＩ−ＲＳリソースとＤＭＲＳとの間のＱＣ仮定のみを示すものとし、その値が‘１’なら、ＮＺＰ ＣＳＩ−ＲＳリソースおよびＩＭＲの両方とＤＭＲＳとの間のＱＣ仮定を示すと定義することができる。或いは、追加のフラグビットの値が‘０’なら、ＭＵ−ＭＩＭＯ送信であることを示し、‘１’なら、ＳＵ−ＭＩＭＯ送信であることを示すと定義することもできる。或いは、このような追加のフラグビットの値が‘０’であれば、ＣＳＩプロセスインデックスとＤＭＲＳとの間のＱＣ仮定の非活性化（すなわち、ＮＱＣ仮定が適用されること）を示し、その値が‘１’であれば、ＣＳＩプロセスインデックスとＤＭＲＳとの間のＱＣ仮定の活性化を示すと定義することもできる。
【０２４３】
前述したようなＱＣ情報の動的シグナリングのために定義されるＮビット（例えば、Ｎ＝２）の情報および／または追加の１ビットサイズのフラグ情報は、既存のＤＣＩフォーマットで定義するフィールドを再利用することもでき、または、新しいビットフィールドをさらに定義することによって構成することもできる。ここで、追加の１ビットサイズのフラグ情報が、ＳＵ−ＭＩＭＯかまたはＭＵ−ＭＩＭＯかによってＱＣ仮定をスイッチングする用途に用いられる場合には、動的シグナリングに別のビットとして含まれず、上記Ｎビット情報が示す追加情報（すなわち、事前にＲＲＣシグナリングによってＮビット情報のそれぞれの状態が意味する情報）として半静的に設定されてもよい。
【０２４４】
前述したように、上記の表７の例で、ＤＰＳ方式のＰＤＳＣＨ送信においていずれのＴＰからの送信であるか（または、ＤＭＲＳがいずれのＲＳとＱＣであると仮定するか）を示すことができる。これに加えて、上記の表７の状態‘１１’の例のように、ＴＰ１およびＴＰ２からのＪＴ方式のＰＤＳＣＨ送信を示すこともできる。すなわち、上記の表７の例示のように、“ＱＣ ａｓｓｕｍｐｔｉｏｎ ｗｉｔｈ ＣＳＩ−ＲＳ”項目を“ＣＳＩ−ＲＳ１、ＣＳＩ−ＲＳ２”としてシグナリングしたり、ＴＰ１およびＴＰ２に対応する識別子（例えば、ＰＣＩ、ＶＣＩ、またはスクランブルシーケンスシード値）としてシグナリングしたり、“ＣＳＩ ｐｒｏｃｅｓｓ１、ＣＳＩ ｐｒｏｃｅｓｓ２”などとシグナリングしたりすることができる。このようなシグナリング情報をＤＣＩを用いて取得した端末は、これらのＴＰとのＱＣ仮定の適用が可能であるという情報から、当該ＤＭＲＳポートが複数のＴＰからの仮想ＤＭＲＳ形態で送信されることがわかり、それぞれのＴＰからの広域特性推定値の平均を算出する方式などでそれらのＴＰからの広域特性推定値を決定し、それを用いて受信性能を向上させることができる。
【０２４５】
追加の例示として、上記のＮビット情報の特定の状態（例えば、表７の状態‘１１’）の“ＱＣ ａｓｓｕｍｐｔｉｏｎ ｗｉｔｈ ＣＳＩ−ＲＳ”項目を“ｎｏｎ−ＱＣ（ＮＱＣ）”に設定したり、使用不可（not available）に設定したり、または、空にしておくことによって、いかなるＴＰともＱＣ仮定を適用してはならない旨のシグナリングを与えることもできる。これは、ＪＴを指示するための用途などに用いることができる。例えば、ＪＴの場合には、特定の一つのＴＰとのＱＣ仮定情報のみを提供することが不適切であることもあるため、最初からＮＱＣ状態であると知らせることもできる。また、このように、使用不可または空にしておく形態のシグナリングの場合には、ＮＱＣであることが暗黙的に指示され、これによって、いかなるＱＣ仮定も適用しないようにしたり、または、一定のデフォルト状態が適用されるようにすることもできる。例えば、デフォルト状態は、特定のＤＬサービングセルＲＳ（例えば、ＤＬサービングセルＣＲＳ、デフォルトＴＰ（例えば、ＤＬサービングＴＰ）に対応するＣＳＩ−ＲＳ、または、特定のＣＳＩプロセスに属したＣＳＩ−ＲＳなど）とのＱＣ仮定のみが可能な状態として定義されてもよい。
【０２４６】
さらに、上記の表７の例示のように、当該ＰＤＳＣＨ受信時に端末が仮定すべきＣＲＳレートマッチング（ＲＭ）パターンに関する情報がシグナリングされてもよい。ＣＲＳＲＭパターンに関する情報は、ＣＲＳポート数、ＣＲＳｖ−ｓｈｉｆｔ（基本的なＣＲＳパターン（図６参照）を基準に周波数軸方向でシフトされる値）、ＲＭパターンが適用されるサブフレームセットなどを含むことができる。ＣＲＳ ＲＭパターンとは、ＣＲＳがマッピングされるＲＥを除く残りのＲＥにＰＤＳＣＨがマッピングされることを仮定して、ＰＤＳＣＨシンボルを構成することを意味する。したがって、ＰＤＳＣＨ受信側で正しくＰＤＳＣＨを復調するためには、当該ＰＤＳＣＨがいずれのＣＲＳパターンを考慮してレートマッチングされて送信されたかを正確に知る必要がある。
【０２４７】
例えば、ＴＰｎが送信するＣＲＳ ＲＭパターン情報をＣＲＳ−ＲＭｎとすれば、状態‘００’はＴＰ１で送信するＣＲＳ ＲＭパターンに関する情報を意味するＣＲＳ−ＲＭ１、状態‘０１’はＴＰ２で送信するＣＲＳ ＲＭパターンに関する情報を意味するＣＲＳ−ＲＭ２、状態‘１０’はＴＰ３で送信するＣＲＳ ＲＭパターンに関する情報を意味するＣＲＳ−ＲＭ３、をそれぞれシグナリングすることができる。すなわち、基地局は、状態‘００’、‘０１’または‘１０’のいずれか一つの状態を示すことによって、ＴＰ１、ＴＰ２またはＴＰ３のいずれか一つのＴＰからのＤＰＳによるＰＤＳＣＨ送信を動的にシグナリングすることができる。ここで、“ＱＣ ａｓｓｕｍｐｔｉｏｎ ｗｉｔｈ ＣＳＩ−ＲＳ”情報と併せてＣＲＳ ＲＭパターン情報を提供することによって、特に、ＣｏＭＰシナリオ３（すなわち、互いに異なるセルＩＤ（すなわち、ＰＣＩ）を有する複数のＴＰからＣＲＳが同時送信される状況）で、それぞれのＣＲＳ ＲＭパターンをＣＲＳ−ＲＭｎの形態で正しく動的に示すことができる。
【０２４８】
また、上記の表７の“ＲＭ ｐａｔｔｅｒｎ ｉｎｆｏｒｍａｔｉｏｎ”項目を特定のＴＰから送信することを知らせるなどの形態でシグナリングすることもできる。例えば、特定のＴＰを示す識別子（例えば、ＰＣＩ、ＶＣＩまたはスクランブルシーケンスシード値など）を用いて、ＣＲＳ ＲＭパターンが何であるかを端末に知らせることもできる。
【０２４９】
このように、上記の状態‘００’、‘０１’または‘１０’でＤＰＳ送信を動的に示すことができる。さらに、上記の表７の状態‘１１’の例示のように、ＴＰ１およびＴＰ２からのＪＴを示す方法として、“ＲＭ ｐａｔｔｅｒｎ ｉｎｆｏｒｍａｔｉｏｎ”項目を“ＣＲＳ−ＲＭ１、ＣＲＳ−ＲＭ２”としてシグナリングしたり、ＴＰ１およびＴＰ２に対応する識別子（例えば、ＰＣＩ、ＶＣＩまたはスクランブルシーケンスシード値など）を示したりすることもできる。このようなシグナリング情報をＤＣＩから取得した端末は、例えば、ＣＲＳ−ＲＭ１とＣＲＳ−ＲＭ２との和集合に対応する全てのＲＥでは、ＰＤＳＣＨがレートマッチングされると仮定してＰＤＳＣＨ復調を行うことができる。すなわち、ＰＤＳＣＨを受信する端末の立場では、“ＲＭ ｐａｔｔｅｒｎ ｉｎｆｏｒｍａｔｉｏｎ”項目でＣＲＳ ＲＭパターン情報が複数示された場合には、示されたＣＲＳ ＲＭパターンのいずれか一つで示されたＲＥ位置は、いずれもＰＤＳＣＨがマッピングされていない（すなわち、ＰＤＳＣＨ送信時にレートマッチングが行われていない）と仮定してＰＤＳＣＨ復調を行うことができる。
【０２５０】
さらに、上記の表７の例示における“Ｆｌａｇ ｆｏｒ ＱＣ ａｓｓｕｍｐｔｉｏｎ ｗｉｔｈ ＣＲＳ”項目のように、“ＱＣ ａｓｓｕｍｐｔｉｏｎ ｗｉｔｈ ＣＳＩ−ＲＳ”項目で示す特定のＣＳＩ−ＲＳｎと、“ＲＭ ｐａｔｔｅｒｎ ｉｎｆｏｒｍａｔｉｏｎ”項目で示す特定のＣＲＳポート（すなわち、ＰＣＩ情報によって特定されるＣＲＳポート）と、の間のＱＣ仮定が適用可能か否かを示すフラグ指示情報が含まれてもよい。すなわち、特定の状態値（例えば、‘００’、‘０１’、‘１０’、‘１１’）がトリガされ、その状態値が示す情報でフラグビットが活性化された場合（または、‘１’値を有する場合）、当該状態値が示すＣＳＩ−ＲＳｎのＣＳＩ−ＲＳポートと、当該状態値が示すＣＲＳ−ＲＭｎのＣＲＳポート（例えば、ＣＲＳ−ＲＭｎが示すＰＣＩｎまたはＶＣＩｎなどから当該ＣＲＳポートがわかる）と、の間にＱＣ仮定の適用が可能であることを示すと定義できる。一方、特定の状態値（例えば、‘００’、‘０１’、‘１０’、‘１１’）がトリガされ、その状態値が示す情報でフラグビットが非活性化された場合（または、‘０’値を有する場合）、当該状態におけるＣＳＩ−ＲＳｎのＣＳＩ−ＲＳポートと、当該状態におけるＣＲＳ−ＲＭｎが示すＣＲＳポート（例えば、ＣＲＳ−ＲＭｎが示すＰＣＩｎ或いはＶＣＩｎなどから当該ＣＲＳポートがわかる）と、の間にＱＣ仮定を適用してはならないこと（すなわち、ＮＱＣ関係であること）を示すと定義できる。
【０２５１】
上記の表７の例を参照すると、状態‘００’および‘０１’の場合には、“Ｆｌａｇ ｆｏｒ ＱＣ ａｓｓｕｍｐｔｉｏｎ ｗｉｔｈ ＣＲＳ”が‘１’に設定されるので、これにより、それぞれ、ＴＰ１またはＴＰ２からのＤＰＳ送信を意味する。具体的には、状態‘００’でフラグビットが‘１’値に設定されると、ＣＲＳ−ＲＭ１パターンによってＰＤＳＣＨがレートマッチングされたと仮定し、ＣＳＩ−ＲＳ１とＤＭＲＳポートとの間のＱＣ仮定の適用が可能であり、ＣＳＩ−ＲＳ１とＰＣＩ１ベースＣＲＳポートとのＱＣ仮定の適用も可能であると解釈される。状態‘０１’でフラグビットが‘１’値に設定される場合、ＣＲＳ−ＲＭ２パターンによってＰＤＳＣＨがレートマッチングされたと仮定し、ＣＳＩ−ＲＳ２とＤＭＲＳポートとの間のＱＣ仮定の適用が可能であり、ＣＳＩ−ＲＳ２とＰＣＩ２ベースＣＲＳポートとの間のＱＣ仮定の適用も可能であると解釈される。
【０２５２】
このように、ＤＭＲＳポートと特定のＣＳＩ−ＲＳポートとの間のＱＣ仮定の適用が可能か否かだけでなく、当該ＣＳＩ−ＲＳポートと特定のＣＲＳポートとのＱＣ仮定の適用が可能か否か（すなわち、上記の表７のフラグビットが示す情報）が端末にシグナリングされると、端末は、ＤＭＲＳベースＰＤＳＣＨ復調を行う際に、ＱＣ仮定の適用が可能なＣＳＩ−ＲＳポートだけでなく、ＲＳ密度が遥かに高い当該ＣＲＳポートから推定された広域チャネル特性（すなわち、より正確な広域チャネル特性）を用いることができる点で好ましい。
【０２５３】
一方、上記の表７の例で、状態‘１０’に対応する“Ｆｌａｇ ｆｏｒ ＱＣ ａｓｓｕｍｐｔｉｏｎ ｗｉｔｈ ＣＲＳ”は‘０’に設定され、これは、ＴＰ３からのＤＰＳ送信を意味し、ここで、ＣＲＳ−ＲＭ３パターンによってＰＤＳＣＨがレートマッチングされたことを仮定し、ＣＳＩ−ＲＳ３とＤＭＲＳポートとの間のＱＣ仮定の適用は可能であるが、ＣＳＩ−ＲＳ３とＰＣＩ３ベースＣＲＳポートとの間のＱＣ仮定は適用してはならないと解釈される。
【０２５４】
上記の表７の例で、状態‘１１’に対応する“Ｆｌａｇ ｆｏｒ ＱＣ ａｓｓｕｍｐｔｉｏｎ ｗｉｔｈ ＣＲＳ”は‘１’に設定され、これにより、ＴＰ１およびＴＰ２からのＪＴ送信を意味し、ＣＲＳ−ＲＭ１およびＣＲＳ−ＲＭ２パターンを全て考慮してＰＤＳＣＨがレートマッチングされたと仮定し、ＣＳＩ−ＲＳ１とＰＣＩ１ベースＣＲＳポートとの間のＱＣ仮定の適用が可能であり、ＣＳＩ−ＲＳ２とＰＣＩ２ベースＣＲＳポートとの間のＱＣ仮定の適用も可能であると解釈される。
【０２５５】
このように特定の状態値に対応する“ＱＣ ａｓｓｕｍｐｔｉｏｎ ｗｉｔｈ ＣＳＩ−ＲＳ”項目に複数のＣＳＩ−ＲＳｎが存在し、“ＲＭ ｐａｔｔｅｒｎ ｉｎｆｏｒｍａｔｉｏｎ”項目に複数のＣＲＳ−ＲＭｎが存在する場合には、所定の順序でＣＳＩ−ＲＳｎとＣＲＳ−ＲＭｎとの間にＱＣ−ｐａｉｒが構成されると解釈できる。例えば、ＣＳＩ−ＲＳ１とＣＲＳ−ＲＭ１との間にＱＣ仮定が適用され、ＣＳＩ−ＲＳ２とＣＲＳ−ＲＭ２との間にＱＣ仮定が適用されると解釈できる。フラグビットが‘０’に設定された場合では、例えば、ＣＳＩ−ＲＳ１とＣＲＳ−ＲＭ１との間のＱＣ仮定が適用されず、ＣＳＩ−ＲＳ２とＣＲＳ−ＲＭ２との間にＱＣ仮定が適用されない（すなわち、いずれもＮＱＣ関係である）と解釈できる。或いは、それぞれのＣＳＩ−ＲＳｎとそれぞれのＣＲＳ−ＲＭｎとの間のＱＣ／ＮＱＣの適用を個別に知らせる形態で“Ｆｌａｇ ｆｏｒ ＱＣ ａｓｓｕｍｐｔｉｏｎ ｗｉｔｈ ＣＲＳ”情報が構成されてもよい。
【０２５６】
ＱＣ関連情報の動的シグナリング方法の追加の例示として、Ｎ（例えば、Ｎ＝２）個のビット状態は、下記の表８のように構成されてもよい。
【０２５７】
【表８】
0006342904.tif 000037
【０２５８】
上記の表８の例で、ＣＲＳ−ＲＭ４（例えば、ＰＣＩ４）は、ＴＰ１とＴＰ２とがＰＣＩ４を共有（share）しているＣｏＭＰシナリオ４に対応できる。また、上記の表８の状態‘１１’の場合のように、ＣＲＳ ＲＭパターン情報としてＮｏ−ＣＲＳ（すなわち、ＭＢＳＦＮ）を示すこともできる。図３を参照すると、ＭＢＳＦＮサブフレームは、制御領域でＣＲＳおよび制御チャネル（例えば、ＰＤＣＣＨ）のみが送信され、データ領域ではＣＲＳおよびＰＤＳＣＨが送信されないサブフレームを意味する。ＪＴの場合、ＭＢＳＦＮサブフレームのみでスケジューリングをするために、Ｎｏ−ＣＲＳ（すなわち、ＭＢＳＦＮ）が指定されてもよい。この場合、端末は、データ領域でＣＲＳがないと解釈するので、ＰＤＳＣＨに対するレートマッチングを仮定するにあたって、ＣＲＳポートに対応するＲＥ位置でＰＤＳＣＨのレートマッチングが行われていない（すなわち、対応するＲＥにＰＤＳＣＨがマッピングされる）と仮定することができる。
【０２５９】
上記の表７および表８を参照して説明したＮビットサイズのフィールド（例えば、ＰＱＩフィールド）のそれぞれの状態には、ＤＭＲＳスクランブルシード値ｘ（ｎ）（例えば、ｎ＝０、１）が事前に（例えば、ＲＲＣシグナリングによって）暗黙的にリンク（link）または結合（tie）されてもよい。この場合、２＾Ｎ個の状態のうち、特定の一つの状態が動的シグナリングによって示されるとき、該状態値にリンクされたｘ（ｎ）値のうちいずれの値が用いられるべきかは、別の動的指示パラメータ（例えば、スクランブル識別子値（ｎＳＣＩＤ））によって示されるなどのジョイントエンコーディング方式も可能である。
【０２６０】
上記の表７の例で前述したようなジョイントエンコーディング方式を追加する場合、下記の表９のような例を考慮することができる。
【０２６１】
【表９】
0006342904.tif 000038
【０２６２】
上記の表９の例で、ｘ（ｎ）の範囲は、ＰＣＩ範囲と同様に０乃至５０３であってもよい。上記の表９では、それぞれの状態別に割り当てられたｘ（０）およびｘ（１）の例示値を示す。例えば、ｎＳＣＩＤ＝１にリンク／結合されたｘ（１）の値として、いずれも同一値４２０を割り当てることができる。このように複数のＴＰから共通に使用する特定の識別子値を割り当てておき、ｎＳＣＩＤ＝１が指示される場合、このような共有された識別子値を使用するようにすることによって、ＴＰ間のＤＭＲＳ直交性が確保されるようにすることができる。また、上記の表９の例示のように、ｎＳＣＩＤ＝０にリンク／結合されたｘ（０）の値は、それぞれの状態別に異なる値を割り当てることができる。これによって、ＴＰ固有ＶＣＩ（または、スクランブルシード値）を用いてセル分割（cell-splitting）利得を得るようにすることができる。また、上記の表９の例で、状態‘１１’に対するｘ（０）値を、他の状態に対するｘ（０）値と異なる値にすることによって、ＪＴのための別のＶＣＩ（または、スクランブルシード値）を指定することもできる。
【０２６３】
例えば、前述したようなＱＣ情報およびＣＲＳ ＲＭパターンに関する情報を示すＮビットフィールド（例えば、ＰＱＩフィールド）で、２＾Ｎ個の状態のそれぞれに対してｘ（ｎ）値が異なるようにリンク／結合されてもよい。このとき、ＤＣＩフォーマットにおける他のフィールドによってＤＭＲＳシーケンス生成のために用いられるｎＳＣＩＤ値が動的に示されるが、このｎＳＣＩＤ値によってｘ（ｎ）値が暗黙的に決定される。例えば、ｎＳＣＩＤ＝ｎであれば、ｘ（ｎ）（例えば、ｎ＝０または１）が指示される、と規則を定めておくことができる。このようなｘ（ｎ）に関するジョイントエンコーディングにより、例えば、端末が上記２＾Ｎ個の状態のうちの特定の状態が動的に指示される場合に、当該状態にリンクされたｘ（０），ｘ（１）、…が決定される。さらに、別のフィールドで指示されるｎＳＣＩＤ値によって、ｘ（０），ｘ（１），…のうち一つが最終的に決定／選択されてもよい。
【０２６４】
ＱＣ動作方式（Behavior）
ＣｏＭＰ動作をサポートしない既存のシステム（例えば、３ＧＰＰ ＬＴＥリリース−１０（Rel-10）以前の標準に基づくシステム）におけるＲＳポート間のＱＣ仮定は、事実上、暗黙的に一つの動作方式（behavior）として定義されたといえる。このような一つの動作方式を本発明ではＢｅｈａｖｉｏｒ Ａと称し、Ｂｅｈａｖｉｏｒ Ａは、ＣＲＳ、ＣＳＩ−ＲＳおよびＰＤＳＣＨ ＤＭＲＳが周波数シフト、ドップラ拡散、受信タイミング、遅延拡散のうち一つまたは複数に対してＱＣされていると仮定することとして定義できる。これは、既存のシステムではＣｏＭＰ動作を考慮せず、ＣＲＳ、ＣＳＩ−ＲＳおよびＰＤＳＣＨ ＤＭＲＳポートが全て一つのセルまたはＴＰから送信されることを当然に仮定しなければならなかったためである。
【０２６５】
ＣｏＭＰ動作をサポートするシステムでは、ＱＣ仮定に対して他の動作方式（例えば、ＴＰ１のＣＳＩ−ＲＳ１とＴＰ２のＣＳＩ−ＲＳ２とがＱＣであると仮定する動作方式など）が定義されてもよい。したがって、本発明では、複数のＱＣ動作方式を適用可能なシステムにおいて、Ｂｅｈａｖｉｏｒ Ａがデフォルト動作方式として定義される方法について提案する。すなわち、特定の条件を満たす場合に、端末は常にデフォルト動作方式であるＢｅｈａｖｉｏｒ Ａに従うと定義できる。
【０２６６】
例えば、特定のＣＳＩプロセスインデックスに対しては、別にシグナリングされない限り、端末は常にＢｅｈａｖｉｏｒ Ａを適用するように設定することができる。これは、端末に複数のＣＳＩプロセスが設定された場合に、当該端末が少なくとも一つのＣＳＩプロセスに対しては既存のシステム（Ｒｅｌ−１０システム）と同じＱＣ仮定に従って動作するようにし、既存のシステムと同じ性能を保障するようにするためである。例えば、ＣＳＩプロセスインデックス０に対しては常にＢｅｈａｖｉｏｒ Ａが適用されるようにすることができる。この場合、ＣＳＩプロセスインデックス０に対して、例えば、ＣｏＭＰシナリオ３の場合において、ＤＬサービングセル／ＴＰから送信されるＣＲＳとのＱＣ仮定を適用できる特定のＣＳＩ−ＲＳリソースが設定されていてもよい。
【０２６７】
また、デフォルト動作方式であるＢｅｈａｖｉｏｒ Ａは、ＣｏＭＰ動作をサポートするシステム（例えば、３ＧＰＰ ＬＴＥ Ｒｅｌ−１１以降の標準に基づくシステム）で定義される新しい送信モード（例えば、ＴＭ１０）を除いて、既存のシステム（例えば、３ＧＰＰ ＬＴＥ Ｒｅｌ−１０以前の標準に基づくシステム）で定義された送信モード（例えば、ＴＭ９）に対して適用されるように定義されてもよい。
【０２６８】
ＣｏＭＰ動作をサポートするシステムのみに適用可能なＱＣ動作方式は、次のように定義できる。
【０２６９】
新しい送信モード（例えば、ＴＭ１０）に対して適用されるＤＣＩフォーマット（例えば、ＤＣＩフォーマット２Ｄ）を介してＤＬグラントを受信する場合、端末は、新しいＱＣ動作方式（以下、Ｂｅｈａｖｉｏｒ Ｂ）を仮定することができる。Ｂｅｈａｖｉｏｒ Ｂは、ＣＲＳ、ＣＳＩ−ＲＳ並びにＰＤＳＣＨ ＤＭＲＳ（および／もしくはＥＰＤＣＣＨ ＤＭＲＳ）が遅延拡散、ドップラ拡散、ドップラシフト、平均利得、平均遅延のうち一つまたは複数に対して、次の例外事項を除いてはＱＣされていないと仮定することと定義できる。上記の例外事項は、ＰＤＳＣＨ ＤＭＲＳ（および／またはＥＰＤＣＣＨ ＤＭＲＳ）と、物理層シグナリング（例えば、ＰＤＣＣＨ ＤＣＩを用いたシグナリング）によって指示される特定のＣＳＩ−ＲＳリソースと、は、遅延拡散、ドップラ拡散、ドップラシフト、平均遅延のうち一つまたは複数に対して、ＱＣされていると仮定できるということである。すなわち、Ｂｅｈａｖｉｏｒ Ｂの場合、基本的に、ＣＲＳと他のＲＳ（例えば、ＣＳＩ−ＲＳ、ＤＭＲＳ）との間ではＱＣ仮定をしてはならないと設定され、ＤＣＩフォーマット２Ｄを介してＤＬグラントを受信する時、上記の表７、表８、表９の例示のように、動的シグナリングによって指示される特定のＣＳＩ−ＲＳリソースのＣＳＩ−ＲＳポートと、ＤＣＩフォーマット２ＤによってスケジューリングされるＰＤＳＣＨのＤＭＲＳポートと、の間のＱＣ仮定は適用されてもよいと理解することができる。
【０２７０】
或いは、特定のＣＲＳと特定のＣＳＩ−ＲＳとの間のＱＣ仮定の適用可能か否かも、上記の表７、表８、表９の例示のように（または、別のＲＲＣシグナリングによって）シグナリングされてもよい。
【０２７１】
ＤＣＩフォーマット２Ｄを介してＤＬグラントを受信する場合には、対応するＰＤＳＣＨ ＤＭＲＳポートと特定のＣＳＩ−ＲＳポートとの間でＱＣ仮定が可能でありうる。さらに、ＲＲＣシグナリングを通して特定のＣＳＩ−ＲＳポートと特定のＣＲＳポートとの間のＱＣ仮定の適用可能か否かが設定されてもよい。この場合には、ＤＭＲＳポートとＣＳＩ−ＲＳポートとＣＲＳポートとの間全てでＱＣ仮定が可能であるというシグナリングが与えられてもよい。このようなＢｅｈａｖｉｏｒ ＢがＤＣＩフォーマット２Ｄに対して与えられてもよく、端末は、Ｂｅｈａｖｉｏｒ Ｂに従うＱＣ仮定に基づいてデータ復調を行うことができる（例えば、他のＲＳから推定された広域特性をウィナーフィルタ係数を決定するのに反映するなど）。Ｂｅｈａｖｉｏｒ Ｂに従う場合、特定のＣＳＩ−ＲＳと、ＣＲＳと、ＤＭＲＳと、の間全てでＱＣ仮定が可能であると指示されたときにも、Ｂｅｈａｖｉｏｒ Ａとの大きな違いは、特定のＣＳＩ−ＲＳと、ＣＲＳと、ＤＭＲＳと、が必ずしもＤＬサービングセルからのものである必要がないということである。例えば、ＣＲＳは、ＤＬサービングセルではなく隣接セルのＣＲＳポートであってもよく、ＣＳＩ−ＲＳは、複数のＣＳＩ−ＲＳリソースのうちいずれか一つが指示されてもよい。
【０２７２】
ここで、周波数オフセット（または、ドップラシフト）に対して、端末はＢｅｈａｖｉｏｒ Ｂに設定されるとしても、初期（または、大体の（coarse））周波数オフセットをサービングセルＣＲＳから推定し、特定の周波数範囲（例えば、［−Ｎ；＋Ｎ］Ｈｚ）内でのみ当該指示されたＣＳＩ−ＲＳから精密な（fine）周波数オフセットを推定するように設定されてもよい。例えば、当該ＣＳＩ−ＲＳの送信周期が５ｍｓであれば、その逆数である２００Ｈｚだけの周波数オフセット差をＣＳＩ−ＲＳから不明瞭性（ambiguity）なく推定できるため、次のような端末動作を定義することができる。
【０２７３】
端末は、（Ｂｅｈａｖｉｏｒ Ｂで）指示されたＣＳＩ−ＲＳを用いて端末によって追跡された（tracked）ドップラシフト（および／またはドップラ拡散）がサービングセルに対する周波数オフセットの範囲（例えば、［−Ｎ；＋Ｎ］Ｈｚ）内であると予想することができる。例えば、指示されたＣＳＩ−ＲＳの周期が５ｍｓである場合には、Ｎ＝１００Ｈｚである。例えば、指示されたＣＳＩ−ＲＳの周期が１０ｍｓである場合には、Ｎ＝５０Ｈｚである。例えば、指示されたＣＳＩ−ＲＳの周期が２０ｍｓである場合には、Ｎ＝２５Ｈｚである。例えば、指示されたＣＳＩ−ＲＳの周期が４０ｍｓである場合には、Ｎ＝１２．５Ｈｚである。例えば、指示されたＣＳＩ−ＲＳの周期が８０ｍｓである場合には、Ｎ＝６．２５Ｈｚである。要するに、指示されたＣＳＩ−ＲＳがＴ［ｍｓ］の周期を有する場合、Ｎ＝１／（ｋＴ）［Ｈｚ］と設定され、ここで、ｋは、例えば２であってもよい。
【０２７４】
このような本発明の提案は、指示されたＣＳＩ−ＲＳの周期が変化するのに応じて、ＵＥが上記の周波数オフセット（または、ドップラシフトおよび／またはドップラ拡散）の推定のためにサービングセルＣＲＳを基準に探索しなければならない周波数範囲を多様に定めるという意味を有する。ここで、指示されたＣＳＩ−ＲＳは、上位層によって複数のＣＳＩ−ＲＳリソースが設定された端末（例えば、ＴＭ１０が設定された端末）の場合には、ＤＣＩ（例えば、ＤＣＩフォーマット２Ｄ）によって指示されるＤＭＲＳとのＱＣ仮定が可能な一つのＮＺＰ ＣＳＩ−ＲＳを意味できる。或いは、指示されたＣＳＩ−ＲＳは、ＤＣＩフォーマット１Ａの場合に、ＲＲＣで設定された特定のデフォルトＣＳＩ−ＲＳであってもよい。
【０２７５】
ＣＳＩ−ＲＳ周期が５ｍｓである場合に比べて、周期が１０ｍｓである場合には、端末が探索すべき範囲が半分に減る。すなわち、基地局はＣＳＩ−ＲＳ周期を大きく設定するほど、ＣＳＩ＿ＲＳは、サービングセルのＣＲＳとの周波数オフセットがより狭い範囲内で形成されなければならない。これに従って端末が動作できるようにすることによって、端末はより狭い探索範囲内でのみ周波数オフセットを推定することができる。このような探索範囲を外れる周波数オフセットを有するＣＳＩ−ＲＳ送信によって、端末がチャネル推定を正しく行うことができず、性能劣化が発生することを防止するように、基地局が上記のようなＣＲＳとＣＳＩ−ＲＳとの間の関係を保障しなければならない。
【０２７６】
基地局の立場では、ＣＲＳを送信するＴＰのオシレータと上記指示されたＣＳＩ−ＲＳを送信するＴＰのオシレータとの間の周波数オフセット（または、ドップラシフト）が、指示されたＣＳＩ−ＲＳの周期Ｔ［ｍｓ］に従うＮ＝１／（ｋＴ）値（例えば、ｋ＝２）による［−Ｎ；＋Ｎ］Ｈｚの範囲を満たさないと、当該ＣＳＩ−ＲＳの周期をＴ［ｍｓ］に設定できないことを意味できる。この場合、基地局は、Ｔ［ｍｓ］よりも小さい値の周期を有するＣＳＩ−ＲＳを設定して送信しなければならない。
【０２７７】
或いは、端末動作を統一するために、基地局は常にＴ１ｍｓ（例えば、Ｔ１＝５）の周期を有するＣＳＩ−ＲＳのみを、Ｂｅｈａｖｉｏｒ Ｂの場合に適用するＣＳＩ−ＲＳとして設定するように制限することができる。この場合、端末は、指示されるＣＳＩ−ＲＳの周期に関係なく、（Ｂｅｈａｖｉｏｒ Ｂで）指示されたＣＳＩ−ＲＳを用いて、端末によって追跡された（tracked）ドップラシフト（および／またはドップラ拡散）がサービングセルに対する周波数オフセットの範囲（［−Ｎ；＋Ｎ］Ｈｚ、例えば、Ｎ＝１００）内であると予想できる。
【０２７８】
或いは、基地局は、Ｔ１ｍｓの周期以外の他の周期を有するＣＳＩ−ＲＳを設定できるが、端末が探索すべき周波数範囲は最小の範囲と定めることもできる。例えば、基地局は、Ｔ＝５、１０、２０、４０、８０ｍｓの周期を有するＣＳＩ−ＲＳを様々に設定できるが、Ｎ値は少なくとも最も狭い範囲（すなわち、Ｔ＝８０ｍｓ時のＮ＝６．２５Ｈｚ値）を常に保障するようにすることもできる。この場合、端末は、指示されるＣＳＩ−ＲＳの周期に関係なく、（Ｂｅｈａｖｉｏｒ Ｂで）指示されたＣＳＩ−ＲＳを用いて端末によって追跡された（tracked）ドップラシフト（および／またはドップラ拡散）がサービングセルに対する周波数オフセットの範囲（［−Ｎ；＋Ｎ］Ｈｚ、例えば、Ｎ＝６．２５）内であると予想できる。基地局がＴ＝５、１０ｍｓの周期を有するＣＳＩ−ＲＳを様々に設定できる場合、最小限の探索周波数範囲を保障するためのＮ＝５０Ｈｚに設定できる。すなわち、いかなる周期を有するＣＳＩ−ＲＳが指示されるかにかかわらず、端末は特定の範囲［−Ｎ；＋Ｎ］Ｈｚ内でのみ探索を行えばいいといえる。これによって、基地局は、端末の上記動作を保障できる周期を有するＣＳＩ−ＲＳのみを、端末がＢｅｈａｖｉｏｒ Ｂで活用するように設定することができる。
【０２７９】
一方、新しい送信モード（例えば、ＴＭ１０）を適用可能なシステムでも、システム性能が低い場合や他の問題がある場合などに備えて安定的に動作できるように、デフォルト送信モードで動作することがサポートされなければならず、これをフォールバック（fallback）動作モードと称することができる。例えば、フォールバックＤＣＩフォーマット（例えば、ＤＣＩフォーマット１Ａ）を介してＭＢＳＦＮサブフレームでＤＬグラントを受信する場合には、端末はＢｅｈａｖｉｏｒ Ａ’（すなわち、上記Ｂｅｈａｖｉｏｒ Ａの変形動作方式）に従うことができる。Ｂｅｈａｖｉｏｒ Ａ’は、ＣＲＳ、ＣＳＩ−ＲＳ並びにＰＤＳＣＨ ＤＭＲＳ（および／もしくはＥＰＤＣＣＨ ＤＭＲＳ）が、遅延拡散、ドップラ拡散、ドップラシフト、平均利得、平均遅延のうち一つまたは複数に対して、次の例外事項を除いてはＱＣされていないと仮定することとして定義できる。上記例外事項は、ＣＲＳ（例えば、ＤＬサービングセルのＣＲＳまたはＲＲＣシグナリングによって指示される特定のＣＲＳ）とＰＤＳＣＨ ＤＭＲＳとが、遅延拡散、ドップラ拡散、ドップラシフト、平均遅延のうち一つまたは複数に対してＱＣされていると仮定することとして定義できる。すなわち、Ｂｅｈａｖｉｏｒ Ａ’の場合、基本的に、ＣＳＩ−ＲＳと他のＲＳ（例えば、ＣＲＳ、ＤＭＲＳ）との間にはＱＣ仮定をしてはならないと設定でき、ＤＣＩフォーマット１Ａを介してＭＢＳＦＮサブフレームでＤＬグラントを受信するとき、特定のＣＲＳポートとＤＣＩフォーマット１ＡによってスケジューリングされるＰＤＳＣＨのＤＭＲＳポート（例えば、ＤＭＲＳポート７）との間には常にＱＣ仮定が適用されてもよいと理解してもよい。
【０２８０】
追加の例示として、Ｂｅｈａｖｉｏｒ Ａ’が、特定のＣＳＩ−ＲＳリソースインデックスｎ（例えば、ｎ＝０）とＣＲＳとＤＭＲＳとの間でＱＣ仮定を追加可能であることとして定義されてもよい。この場合、当該ＣＳＩ−ＲＳリソースのスクランブルシード値Ｘは常にＰＣＩになるように制限されてもよい。或いは、端末動作の観点では、端末がＣＳＩ−ＲＳリソースインデックスｎがＰＣＩと同一でないと予想（expect）することができないと表現されてもよい。或いは、上記の提案事項においてＣＳＩ−ＲＳリソースに代えて、ＣＳＩプロセス（または、当該ＣＳＩプロセスに関連付けられた特定のＣＳＩ−ＲＳリソース）が用いられてもよい。すなわち、Ｂｅｈａｖｉｏｒ Ａ’は、特定のＣＳＩプロセスｉ（例えば、ｉ＝０）とＣＲＳとＤＭＲＳとの間でＱＣ仮定がさらに可能であると表現されてもよい。端末はこのような仮定によってデータ復調を行う際、他のＲＳを用いて推定された広域チャネル特性を受信処理に適用（例えば、ウィナーフィルタ係数決定などに反映）することができる。
【０２８１】
このようにＢｅｈａｖｉｏｒ Ａ’がＢｅｈａｖｉｏｒ ＡまたはＢとは異なる別のＢｅｈａｖｉｏｒとして定義されることによって、端末のデータ復調性能をより向上させることができる。具体的には、ＤＣＩフォーマット１ＡはフォールバックＤＣＩフォーマットに対応し、これは、様々なＲＲＣ再設定が適用されている区間において不明瞭性（ambiguity）が発生しうる状況などで明確かつロバストな送信を可能にするために用いることができる。このようなＤＣＩフォーマット１ＡがＭＢＳＦＮサブフレームで受信された場合に、既存システム（例えば、Ｒｅｌ−１０システム）ではＤＭＲＳポート７で復調を行うように定義されている。このとき、ＤＭＲＳスクランブルシード値としてＰＣＩを用いるようにすることができる。この場合、当該ＰＣＩを用いて生成されるＣＲＳをブロードキャストするＤＬサービングセルＣＲＳポートとＤＭＲＳとの間のＱＣ仮定が適用されてもよい。したがって、ＣＲＳを用いて測定されるより正確な広域チャネル特性をデータ復調時にも用いることができ、データ復調性能を向上させることができる。
【０２８２】
したがって、Ｂｅｈａｖｉｏｒ Ａ’は、基本的に、ＣＲＳポートとＤＭＲＳポートとの間のＱＣ仮定が可能となるようにすることができ、これに加えて、特定のＣＳＩ−ＲＳリソースインデックス（例えば、ＣＳＩ−ＲＳリソースインデックス０）または特定のＣＳＩプロセスインデックス（例えば、ＣＳＩプロセスインデックス０）に属したＣＳＩ−ＲＳポートとＤＭＲＳポートとの間のＱＣ仮定が可能であるという情報を提供することができる。例えば、複数のＴＰが同一のセル識別子を用いるＣｏＭＰシナリオ４の場合に、ＣＲＳが同時に送信されるＴＰからＣＳＩ−ＲＳも同時に送信される（すなわち、ＰＣＩによって生成された仮想ＣＳＩ−ＲＳが複数のＴＰから同時に送信される）形態で動作できる。
【０２８３】
すなわち、Ｂｅｈａｖｉｏｒ Ａ’は、基本的に、Ｂｅｈａｖｉｏｒ Ａに比べて、ＣＲＳとＤＭＲＳとの間には常にＱＣ仮定が可能であるという点では同一であるが、ＤＭＲＳとのＱＣ仮定の適用が可能なＣＳＩ−ＲＳを指示する方式において異なると理解してもよい。すなわち、Ｂｅｈａｖｉｏｒ Ａによれば、当該ＤＭＲＳとのＱＣ仮定が可能なＣＳＩ−ＲＳをＤＣＩで動的に指示できるが、Ｂｅｈａｖｉｏｒ Ａ’によれば、当該ＤＭＲＳとのＱＣ仮定が可能なＣＳＩ−ＲＳを半静的にＲＲＣシグナリングによって指示したり、または、特定のＣＳＩ−ＲＳリソースインデックス（例えば、ＣＳＩ−ＲＳリソースインデックス０）を静的に設定したりすることができる。
【０２８４】
Ｂｅｈａｖｉｏｒ Ａ’に関する追加の例示として、Ｂｅｈａｖｉｏｒ Ａ’は、ＣＲＳとＤＭＲＳとの間のＱＣ仮定は不可能であり、特定のＣＳＩ−ＲＳリソースインデックス（例えば、ＣＳＩ−ＲＳリソースインデックス０）とＤＭＲＳとの間のＱＣ仮定は可能であることとして定義されてもよい。このように定義されるＢｅｈａｖｉｏｒ Ａ’はＢｅｈａｖｉｏｒ Ｂと略同様である。ただし、Ｂｅｈａｖｉｏｒ Ｂによれば、当該ＤＭＲＳとＱＣ可能なＣＳＩ−ＲＳリソースをＤＣＩで動的に指示できるのに対し、Ｂｅｈａｖｉｏｒ Ａ’によれば、当該ＤＭＲＳとのＱＣ仮定が可能なＣＳＩ−ＲＳを半静的にＲＲＣシグナリングによって指示したり、または、特定のＣＳＩ−ＲＳリソースインデックス（例えば、ＣＳＩ−ＲＳリソースインデックス０）を静的に設定したりすることができる。
【０２８５】
前述したようなＢｅｈａｖｉｏｒ Ａ’に関する本発明の様々な例示において、特定のＣＳＩ−ＲＳリソースインデックス（例えば、ＣＳＩ−ＲＳリソースインデックス０）が静的または半静的に設定される代わりに、Ｂｅｈａｖｉｏｒ Ｂと同様に動的に指示されてもよい。例えば、ＭＢＳＦＮサブフレーム（または、ＭＢＳＦＮサブフレームの端末固有探索空間）で検出されるＤＣＩフォーマット１Ａの特定のフィールドを用いて、当該ＤＭＲＳポートとのＱＣ仮定の適用が可能なＣＳＩ−ＲＳリソース（または、ＣＳＩプロセス）に属したＣＳＩ−ＲＳポートを指示することができる。このような場合には、ＭＢＳＦＮサブフレームでＤＣＩフォーマット１Ａを介してＤＬグラントを受ける場合にも、ＤＣＩフォーマット２Ｄを介してＤＬグラントを受ける場合にもＢｅｈａｖｉｏｒ Ｂが適用されるようにすることもできる。或いは、ＭＢＳＦＮサブフレームでＤＣＩフォーマット１Ａを介してＤＬグラントを受ける場合や、ＴＭ９以下のＴＭに対してはいずれもＢｅｈａｖｉｏｒ Ａが適用されるようにし（この場合、ＣＳＩ−ＲＳリソースは半静的にＲＲＣシグナリングされたり、特定のＣＳＩ−ＲＳリソースインデックスが静的に適用されてもよい）、ＤＣＩフォーマット２ＤでＤＬグラントを受ける場合のみ、Ｂｅｈａｖｉｏｒ Ｂが適用されるようにしてもよい。
【０２８６】
一方、Ｂｅｈａｖｉｏｒ Ａの定義でＣＳＩ−ＲＳが除外されてもよい。すなわち、Ｂｅｈａｖｉｏｒ Ａは、ＣＲＳとＰＤＳＣＨ ＤＭＲＳとが、周波数シフト、ドップラ拡散、受信タイミング、遅延拡散のうち一つまたは複数に対してＱＣされていると仮定することとして定義できる。ＣＳＩ−ＲＳに対するＱＣ仮定が除外されたことは、ＣｏＭＰシナリオ４のように、ＣＲＳは複数のＴＰから同時にＳＦＮ形態で送信されるが、ＣＳＩ−ＲＳは当該ＴＰで同時にＳＦＮ形態で送信しないように動作することをサポートするためである。すなわち、Ｂｅｈａｖｉｏｒ ＡでＣＲＳとＤＭＲＳとの間のＱＣ仮定だけでもデータ復調に役立つ広域特性推定値に十分に反映でき、ＣＲＳに比べて相対的に密度の低いＣＳＩ−ＲＳを用いて測定されたチャネル特性がＤＭＲＳベースのデータ復調の性能を大きく向上させることはないと見なされるため、ＣＳＩ−ＲＳとＤＭＲＳとの間のＱＣ仮定は除外されてもよい。
【０２８７】
また、このようにＣＳＩ−ＲＳを排除したＢｅｈａｖｉｏｒ Ａは、端末にいかなるＣＳＩ−ＲＳリソースも設定されない場合（例えば、ＴＤＤシステム、相互的（reciprocity）システムなど）に適用されてもよい。一方、端末にＣＳＩ−ＲＳリソースが設定される場合には、最初に説明したＢｅｈａｖｉｏｒ Ａによって、ＣＲＳとＣＳＩ−ＲＳとＤＭＲＳとの間の全てのＱＣ仮定が適用されてもよい。このようなＢｅｈａｖｉｏｒ Ａは、特定のＴＭ（例えば、ＴＭ１乃至ＴＭ９、またはＴＭ１乃至ＴＭ８）のみに対して適用されるように限定することもできる。
【０２８８】
ＣＳＩ−ＲＳリソースが設定された否かによるＢｅｈａｖｉｏｒ Ａは、次の通り表現できる。すなわち、Ｂｅｈａｖｉｏｒ Ａは、ＣＲＳ、ＣＳＩ−ＲＳ（ｉｆ ｃｏｎｆｉｇｕｒｅｄ（設定された場合））およびＰＤＳＣＨ ＤＭＲＳは、周波数シフト、ドップラ拡散、受信タイミング、遅延拡散のうち一つまたは複数に対してＱＣされていると仮定することとして定義できる。すなわち、ＣＳＩ−ＲＳに対してはｉｆ ｃｏｎｆｉｇｕｒｅｄという条件を与えることによって、前述したＣＳＩ−ＲＳリソースが設定されたか否かによるＢｅｈａｖｉｏｒ Ａを簡略に表現することができる。
【０２８９】
さらに、前述したＢｅｈａｖｉｏｒ Ａ’として説明した事項をＢｅｈａｖｉｏｒ Ａと統合すると、次のように定義できる。すなわち、Ｂｅｈａｖｉｏｒ Ａは、ＣＲＳ、ＣＳＩ−ＲＳ（ｉｆ ｏｎｌｙ ｏｎｅ ＣＳＩ−ＲＳ ｒｅｓｏｕｒｃｅ ｉｓ ｃｏｎｆｉｇｕｒｅｄ（一つのＣＳＩ−ＲＳリソースのみが設定された場合））およびＰＤＳＣＨ ＤＭＲＳが、周波数シフト、ドップラ拡散、受信タイミング、遅延拡散のうち一つまたは複数に対してＱＣされていると仮定することとして定義できる。いい換えると、Ｂｅｈａｖｉｏｒ Ａは、ＣＲＳとＣＳＩ−ＲＳ（ＣＳＩ−ＲＳが設定された場合なら、そして設定されたＣＳＩ−ＲＳリソースの数が１であれば））とＰＤＳＣＨ ＤＭＲＳとが、周波数シフト、ドップラ拡散、受信タイミング、遅延拡散のうち一つまたは複数に対してＱＣされていると仮定することとして定義できる。いい換えると、Ｂｅｈａｖｉｏｒ Ａは、ＣＲＳ、ＣＳＩ−ＲＳ（ＣＳＩ−ＲＳが設定された場合なら、そして設定されたＣＳＩ−ＲＳリソースの数が１であれば（または、ＣＳＩプロセスの最大数に対するＵＥの性能Ｐが｛１｝であれば））およびＰＤＳＣＨ ＤＭＲＳが、周波数シフト、ドップラ拡散、受信タイミング、遅延拡散のうち一つまたは複数に対してＱＣされていると仮定することとして定義できる。
【０２９０】
このようにＣＳＩ−ＲＳに対してはｉｆ ｏｎｅ ＣＳＩ−ＲＳ ｒｅｓｏｕｒｃｅ ｉｓ ｃｏｎｆｉｇｕｒｅｄと同じ意味を有する条件を与えることによって、前述したＣＳＩ−ＲＳリソースが設定されたか否かによるＢｅｈａｖｉｏｒ Ａを簡略に表現することができる。これによって、端末に一つのＣＳＩ−ＲＳリソースが設定された場合にのみ、ＣＲＳとＣＳＩ−ＲＳとＤＭＲＳとの間にＱＣ仮定を適用することができる。端末にいかなるＣＳＩ−ＲＳリソースも設定されなかった場合（例えば、ＴＤＤシステム）や２個以上のＣＳＩ−ＲＳリソースが設定された場合（例えば、ＴＭ１０）には、ＣＲＳとＤＭＲＳとの間のＱＣ仮定のみを適用でき、ＣＳＩ−ＲＳとのＱＣ仮定は適用しない。
【０２９１】
このように、ＣＳＩ−ＲＳに対するＱＣ仮定を除外する場合を包括する方式としてＢｅｈａｖｉｏｒ Ａを定義すれば、このように定義されたＢｅｈａｖｉｏｒ Ａは、ＴＭ１０においてＭＢＳＦＮサブフレーム上でＤＣＩフォーマット１Ａを通してＤＬグラントを受信する場合にも、同様に、適用されると整理できる。一方、ＴＭ１０のみでＤＣＩフォーマット２Ｄを介してＤＬグラントを受信する場合にのみ、Ｂｅｈａｖｉｏｒ Ｂが適用されるとすることができる。
【０２９２】
前述した提案事項のうち、ＭＢＳＦＮサブフレームでＤＣＩフォーマット１Ａを介してＤＬグラントを受信する場合における端末のＱＣ Ｂｅｈａｖｉｏｒは、非ＭＢＳＦＮサブフレームでＤＣＩフォーマット１Ａを介してＤＬグラントを受信する場合（または、非ＭＢＳＦＮサブフレームで端末固有探索空間上でＤＣＩフォーマット１Ａを介してＤＬグラントを受信する場合にのみ）にも同様に適用することができる。これは、既存のシステム（例えば、Ｒｅｌ−１０以前のシステム）では非ＭＢＳＦＮサブフレームでＤＣＩフォーマット１Ａを介してＤＬグラントが受信される場合には、ＣＲＳベースのデータ復調を行うように定義されているが、新しいシステム（例えば、Ｒｅｌ−１１以降のシステム）で新しいＴＭ（例えば、ＴＭ１０）における非ＭＢＳＦＮサブフレームでＤＣＩフォーマット１Ａを介して（または、非ＭＢＳＦＮサブフレームで端末固有探索空間上でＤＣＩフォーマット１Ａを介して）ＤＬグラントを受信する場合には、ＭＢＳＦＮサブフレームにおける動作と同様に、ＤＭＲＳベースのデータ復調が定義されうることを考慮したわけである。このように非ＭＢＳＦＮサブフレームでＤＣＩフォーマット１Ａを介してＤＬグラントが受信される場合にも、ＤＭＲＳ（例えば、ＤＭＲＳポート７）ベースのデータ復調が定義される場合には、前述した本発明の実施例においてＭＢＳＦＮサブフレームでＤＣＩフォーマット１Ａを介してＤＬグラントを受信する場合に関する説明を同様に適用することができる。
【０２９３】
ＰＤＳＣＨシンボルの位置決定
前述した本発明の様々な実施例では、ＤＣＩフォーマット内のＮビットフィールド（例えば、ＰＱＩフィールド）を用いて、ＱＣ仮定の適用が可能か否かに関する情報とＰＤＳＣＨ ＲＥマッピング関連情報とを動的に示すことについて説明した。これに加えて、本発明では、ＤＣＩフォーマット内のＮビットフィールドを用いて、ＰＤＳＣＨ開始シンボル（PDSCH start symbolまたはdata start symbol）（すなわち、ＰＤＳＣＨのマッピングが始まるＯＦＤＭシンボル）に関する情報をさらに示す方法について提案する。
【０２９４】
すなわち、上位層によって２＾Ｎ個のパラメータセットが端末に設定され、ＤＣＩフォーマット内のＮビットフィールド（例えば、ＰＱＩフィールド）で２＾Ｎ個のパラメータセットのいずれか一つが動的にシグナリングされるが、一つのパラメータセットのパラメータにはＰＤＳＣＨ開始シンボル情報が含まれてもよい。
【０２９５】
一つのサブフレームのＯＦＤＭシンボルインデックスが０，１，２，…と与えられると仮定する。すなわち、通常ＣＰサブフレームの場合、第一のスロット（または、スロットインデックスが０から始まる場合、偶数インデックスのスロット）のＯＦＤＭシンボルインデックスは、０、１、２、３、４、５、６であり、第二のスロット（または、スロットインデックスが０から始まる場合、奇数インデックスのスロット）のＯＦＤＭシンボルインデックスは、７、８、９、１０、１１、１２、１３である。拡張ＣＰの場合、第一のスロット（または、偶数インデックスのスロット）のＯＦＤＭシンボルインデックスは０、１、２、３、４、５であり、第二のスロット（または、奇数インデックスのスロット）のＯＦＤＭシンボルインデックスは６、７、８、９、１０、１１である。一般には、ＯＦＤＭシンボルインデックス０、１または２までＰＤＣＣＨをマッピングできる。端末は、ＰＤＣＣＨシンボルがどこまで存在するかをＰＣＦＩＣＨから知ることができる。ＰＤＳＣＨ開始シンボルインデックスに関する別のシグナリングがないと、基本的には、ＰＣＦＩＣＨによって決定される最後のＰＤＣＣＨシンボルインデックスの直後のシンボルインデックスがＰＤＳＣＨ開始シンボルインデックスとして決定される。
【０２９６】
本発明では、ＰＤＳＣＨ開始シンボル位置がＰＣＦＩＣＨ（すなわち、制御フォーマット指示子（Control Format Indicator；ＣＦＩ）値）から決定されることとは別に、ＰＤＳＣＨ開始シンボル情報をシグナリングする方法について提案する。例えば、ＰＤＳＣＨ開始シンボル情報は、上記のＱＣ仮定関連情報を指示するＤＣＩフォーマット内のＮビットフィールド（例えば、ＰＱＩフィールド）が指示する２＾Ｎ個の状態別にそれぞれ提供されてもよい。または、２＾Ｎ個の状態のうち複数の状態に対して共通に適用されるＰＤＳＣＨ開始シンボル情報がＲＲＣシグナリングで設定されてもよい。
【０２９７】
本発明では、サブフレームパターン（または、サブフレームセット）別にＰＤＳＣＨ開始シンボルインデックス情報を端末に知らせる方式を提案する。サブフレームセットは少なくとも２セット存在でき、このようなサブフレームセットに関する設定は、端末に予め知らせることができる。例えば、ＭＢＳＦＮサブフレームで構成された一つのセットと、非ＭＢＳＦＮサブフレームで構成された他のセットと、を設定することができる。この場合、ＭＢＳＦＮサブフレームに対して適用されるＰＤＳＣＨ開始シンボルインデックスと、非ＭＢＳＦＮサブフレームに対して適用されるＰＤＳＣＨ開始シンボルインデックスと、をそれぞれシグナリングできる。
【０２９８】
追加の例示として、ＤＣＩフォーマット内のＮビットフィールド（例えば、ＰＱＩフィールド）によって指示される２＾Ｎ個の状態のそれぞれに対して（または、別のＲＲＣシグナリングによって全ての状態に対して共通に適用される情報として）一つのＰＤＳＣＨ開始シンボルインデックス値（例えば、インデックスｋ）を提供することができる。また、基本的には、シグナリングされるｋ値によってＰＤＳＣＨ開始シンボルを決定するが、特定のサブフレームセット（例えば、ＭＢＳＦＮサブフレーム）では、ｋ＞ＫThresholdである場合には、ｋ＝ＫThresholdとして適用できる。すなわち、特定のサブフレームでは、シグナリングされるｋ値に、上限（ＫThreshold）が存在すると解釈することができる。いい換えると、ｋ＝ｍｉｎ（ＫThreshold，Ｋ）であり、ここで、Ｋは、一般的なサブフレームで適用されるＰＤＳＣＨ開始シンボルインデックス値であり、ｋは、特定のサブフレームで端末が決定するＰＤＳＣＨ開始シンボルインデックス値である。
【０２９９】
特定のサブフレームセットは、ＭＢＳＦＮサブフレームであってもよく、または非ＭＢＳＦＮサブフレームであってもよい。また、特定のサブフレームセットは、一つのサブフレームセットであってもよく、複数のサブフレームセットであってもよい。
【０３００】
例えば、ＫThreshold＝３の場合、ＤＣＩフォーマットのＮビットフィールド（例えば、ＰＱＩフィールド）の特定の状態がｋ＝４を示す場合を仮定する。端末は、非ＭＢＳＦＮサブフレームでは、シグナリングされた通り、ＰＤＳＣＨ開始シンボルインデックスが４であると見なしてＰＤＳＣＨ復調を行う。一方、端末は、ＭＢＳＦＮサブフレームではｋ＝ＫThreshold＝３であると解釈し、これによってＰＤＳＣＨ開始シンボルインデックスが３であると仮定してＰＤＳＣＨ復調を行う。ここで、ＫThreshold＝３は単なる例示であり、これに制限されない。ＫThreshold＝０、１、２、３、４であってもよい。
【０３０１】
上記の提案事項を整理して表現すると、端末は、一般的なサブフレーム（例えば、非ＭＢＳＦＮサブフレーム）では、ＲＲＣシグナリングされたＰＤＳＣＨ開始シンボルの候補の値、非クロスキャリアスケジューリングの場合にはサービングセルのＰＣＦＩＣＨから決定される値、または、クロスキャリアスケジューリングの場合には上位層によって設定された値のうち一つ（これをＫとして表現する）を、ＰＤＳＣＨ開始シンボルインデックス値として決定することができる。ここで、ＲＲＣシグナリングされたＰＤＳＣＨ開始シンボルの候補の値は、０またはリザーブされた値、１、２、３、４であってもよい（４は、システム帯域幅が１０個のＰＲＢ以下である場合にのみ適用される）。一方、特定のサブフレーム（例えば、ＭＢＳＦＮサブフレーム）では、特定のサブフレーム（例えば、ＭＢＳＦＮサブフレーム）におけるＰＤＳＣＨ開始シンボルインデックスｋを、ｋ＝ｍｉｎ（ＫThreshold，Ｋ）（例えば、ＫThreshold＝２）に決定する。
【０３０２】
追加の例示として、このように決定されたＰＤＳＣＨ開始シンボルが他の制御チャネル領域（例えば、ＤＬサービングセル制御チャネル領域）と重なる場合には、当該制御チャネル領域の次のＯＦＤＭシンボルがＰＤＳＣＨ開始シンボルであると決定されるようにしてもよい。
【０３０３】
例えば、非ＭＢＳＦＮサブフレームにおいて、ＰＤＳＣＨ開始シンボル（すなわち、ｋ）は、Ｋ値と、非クロススケジューリングの場合にはサービングセルのＰＣＦＩＣＨから決定される値またはクロスキャリアスケジューリングの場合には上位層によって設定された値（すなわち、Ｐ）と、のうちの最大値に決定できる（すなわち、ｋ＝ｍａｘ｛Ｋ、Ｐ｝）。ここで、Ｋ値は、０もしくはリザーブされた値、１、２、３、４、（４は、システム帯域幅が１０個のＰＲＢ以下である場合にのみ適用される）、非クロスキャリアスケジューリングの場合にはサービングセルのＰＣＦＩＣＨから決定される値、または、クロスキャリアスケジューリングの場合には上位層によって設定された値のうち一つであってもよい。一方、ＤＣＩによって指示されるＭＢＳＦＮサブフレームにおいて、ＰＤＳＣＨ開始シンボル（すなわち、ｋ）は、ＫThreshold値およびＫ値のうちの最小値と、Ｐ値と、のうちの最大値に決定することができる（すなわち、ｍａｘ｛ｍｉｎ（ＫThreshold，Ｋ），Ｐ｝）。
【０３０４】
追加の例示として、サービングセルのＰＣＦＩＣＨからＰＤＳＣＨ開始シンボルを決定することに関わらずにＫ値を定めるように修正することもできる。
【０３０５】
例えば、非ＭＢＳＦＮサブフレームで、ＰＤＳＣＨ開始シンボル（すなわち、ｋ）は、Ｋ値およびＰ値のうちの最大値に決定できる（すなわち、ｋ＝ｍａｘ｛Ｋ，Ｐ｝）。ここで、Ｋ値は、０またはリザーブされた値、１、２、３もしくは４（４は、システム帯域幅が１０個のＰＲＢ以下である場合にのみ適用される）のうちの一つであってもよい。一方、ＤＣＩによって指示されるＭＢＳＦＮサブフレームで、ＰＤＳＣＨ開始シンボル（すなわち、ｋ）は、ＫThreshold値およびＫ値のうちの最小値と、Ｐ値と、のうちの最大値に決定してもよい（すなわち、ｍａｘ｛ｍｉｎ（ＫThreshold，Ｋ），Ｐ｝）。
【０３０６】
前述したようにＰＤＳＣＨ開始シンボルを決定する方法は、ＴＤＤシステムにおいて特別サブフレーム（special subframe）の設定のうちＤｗＰＴＳシンボル数が特定の値以下である場合には適用されないように制限することもできる。ＴＤＤ特別サブフレームの設定は、例えば、８種類が定義でき、そのうち、ＤｗＰＴＳシンボルの数が３個以下である設定は、０番および５番の設定でありうる（詳細な事項はＴＳ ３６．２１１文書を参照）。すなわち、特定のシンボル数を超えるＴＤＤ特別サブフレーム設定にのみ、ＰＤＳＣＨ開始シンボル情報に対してＲＲＣシグナリングによって定められる値と、ＤＣＩシグナリングによって定められる値と、の間の優先順位に関する規則が適用されるようにすることができる。
【０３０７】
追加の例示として、ＴＤＤシステムについては、ＤＣＩシグナリングのための２＾Ｎ状態別にいずれのＴＤＤ特別サブフレーム設定に従うようにスケジューリングするかを知らせることもできる。
【０３０８】
例えば、２＾Ｎ個の状態別に独立したＴＤＤ特別サブフレーム設定が、ＲＲＣシグナリングによって設定されてもよい。ＤＣＩシグナリングを用いて、２＾Ｎ状態のうちいずれの状態が現在スケジューリングされるＰＤＳＣＨ送信に対して適用されなければならないかを動的に示すことができる。特定の状態が指示され、この状態がいずれかの特別サブフレーム設定（例えば、特別サブフレーム設定６）を指示している場合、設定されている端末のＤＬサービングセルの特別サブフレーム設定を無視し、上記ＤＣＩシグナリングされる特別サブフレーム設定によってＤｗＰＴＳ領域のＯＦＤＭシンボル長だけのＰＤＳＣＨが送信されるとオーバーライド（override）して解釈し、これに基づいてＰＤＳＣＨ復調を行うことができる。
【０３０９】
ＤＣＩによって指示される特別サブフレーム設定が複数である場合、ＪＴ送信が行われてもよく、このような場合には、特別サブフレーム設定の積集合に対応するＤｗＰＴＳシンボル（すなわち、特別サブフレーム設定でＤｗＰＴＳが共通に存在するＯＦＤＭシンボル）上にＰＤＳＣＨ送信が常に存在すると解釈したり、和集合に対応するＤｗＰＴＳシンボル（すなわち、特別サブフレーム設定のうちＤｗＰＴＳ領域が最も大きいものによるＯＦＤＭシンボル）上にＰＤＳＣＨ送信が存在すると解釈できる。
【０３１０】
さらに、ＰＤＳＣＨ終了ＯＦＤＭシンボル（PDSCH last symbol、PDSCH ending symbolまたはdata last symbol、data ending symbol）情報を明示的に知らせることもできる。ここで、ＤＣＩシグナリングの２＾Ｎ状態別に特別サブフレーム設定と共にＰＤＳＣＨ終了シンボル情報を知らせることもでき、または特別サブフレーム設定は知らせず、終了ＯＦＤＭシンボル情報のみを知らせることもできる。
【０３１１】
例えば、端末は、ＤＣＩシグナリングを通して指示される特別サブフレーム設定からＤｗＰＴＳ領域を決定でき、ここでＰＤＳＣＨ終了ＯＦＤＭシンボル情報が明示的にさらに与えられる場合には、これによって、ＤｗＰＴＳ領域における最後のいくつかのＯＦＤＭシンボルはＰＤＳＣＨ領域から除外されると決定してもよく、または、ＤｗＰＴＳ領域に比べてより多いシンボルがＰＤＳＣＨ領域に含まれてもよい。すなわち、端末は、ＤＣＩシグナリングを通して特別サブフレーム設定が与えられても、ＰＤＳＣＨ終了ＯＦＤＭシンボル情報が与えられる場合には、ＰＤＳＣＨ終了ＯＦＤＭシンボルに基づいてＰＤＳＣＨ領域を決定することができる。
【０３１２】
一方、ＤＣＩフォーマットのＮビットフィールド（例えば、ＰＱＩフィールド）によって指示される２＾Ｎ状態別に特別サブフレーム設定を知らせる方式の代わりに、端末が、ＤＬサービングセルの特別サブフレーム設定に従い、サービングセル以外の隣接セル／ＴＰからのＰＤＳＣＨ送信であってもサービングセルの特別サブフレーム設定に従う、と端末は仮定することもできる。すなわち、端末は、ＤＬサービングセルの特別サブフレーム設定と同じ設定であると仮定（assume）できると定義されたり、または、ＤＬサービングセルの特別サブフレーム設定と異なる特別サブフレーム設定を予想することができないと定義されてもよい。同様に、端末は、特別サブフレームのＤｗＰＴＳにＰＤＳＣＨがスケジューリングされる場合には、当該ＰＤＳＣＨが、自体のＤＬサービングセル以外の他のセル／ＴＰから送信されると予想することができない。
【０３１３】
追加の例示として、特別サブフレームで（具体的には、ＤｗＰＴＳで）ＤＬグラントが送信される時に、対応するＤＣＩフォーマットにＮビットフィールド（例えば、ＰＱＩフィールド）は含まれないと定義されてもよい。このような場合は、非ＣｏＭＰ動作を意味でき、特別サブフレームではＤＬサービングセルからのＰＤＳＣＨ送信のみをスケジューリングできるという意味であってもよい。
【０３１４】
前述した本発明の様々な実施例で、ＤＣＩフォーマット内のＮビットフィールド（例えば、ＰＱＩフィールド）の２＾Ｎ個の状態別に特別サブフレーム設定を知らせることによって、ＤｗＰＴＳ領域の終了ＯＦＤＭシンボルインデックスの範囲を端末に知らせることができる。また、ＰＤＳＣＨ開始ＯＦＤＭシンボルインデックスを決定するシグナリングも併せてＤＣＩフォーマット内のＮビットフィールド（例えば、ＰＱＩフィールド）の２＾Ｎ個の状態別にＲＲＣシグナリングによって提供することができる。すなわち、ＰＤＳＣＨ開始ＯＦＤＭシンボルインデックスを知らせる情報と、ＰＤＳＣＨ終了ＯＦＤＭシンボルインデックスを決定するためのＴＤＤ特別サブフレーム設定に関する情報と、が共に２＾Ｎ個の状態別にＲＲＣ設定パラメータセットに含まれてもよい。これによって、端末は、ＤＣＩを介して動的にシグナリングされる状態値に対応するパラメータセットに含まれるＰＤＳＣＨ開始シンボルおよび／またはＰＤＳＣＨ終了シンボルを決定し、これによってＰＤＳＣＨ復調を正しく行うことができる。
【０３１５】
ＥＰＤＣＣＨ関連ＰＱＩパラメータの適用
ＤＭＲＳとＣＳＩ−ＲＳとの間のＱＣＬ情報、ＰＤＳＣＨ ＲＥマッピング（もしくは、ＣＲＳ ＲＭパターン（例えば、ＣＲＳポートの数、ＣＲＳ周波数シフト、セル識別子など））情報、ＭＢＳＦＮサブフレーム設定に関する情報、ＮＺＰ ＣＳＩ−ＲＳ設定情報、送信電力が０である（Zero-Power；ＺＰ）ＣＳＩ−ＲＳ設定情報、ＴＤＤ特別サブフレーム設定情報、ＰＤＳＣＨ開始シンボル情報、および／または、ＰＤＳＣＨ終了シンボル情報などは、一つのパラメータセット（もしくは、パラメータリスト）に含まれるＰＱＩパラメータとして定義できる。このようなパラメータセットをＰＤＳＣＨ ＲＥマッピングおよびＱＣＬ指示子（PDSCH RE mapping and QCL indicator；ＰＱＩ）パラメータセットと称することができる。複数の（例えば、２＾Ｎ個の）ＰＱＩパラメータセットが上位層によって半静的に設定されてもよい。２＾Ｎ個のＰＱＩパラメータセットのうち一つのパラメータセットは、ＤＣＩフォーマット（例えば、ＤＣＩフォーマット２Ｄ）内のＮビットサイズのＰＱＩフィールドの状態値（以下、“ＰＱＩ状態値”と称する）によって動的に指示されてもよい。
【０３１６】
また、このようなＰＱＩパラメータセットに関する情報は、ＤＣＩフォーマット１Ａによってスケジューリングされる場合に端末が従うべき情報として別にＲＲＣ設定されたパラメータセットの形態で半静的に設定されてもよい。或いは、ＤＣＩフォーマット１Ａの場合に従うべきデフォルト情報としていずれのＰＱＩパラメータセットが設定されてもよい。デフォルトＰＱＩパラメータセットは、例えば、サービングセルの設定に従うようにしたものであってもよく、デフォルト設定として別に定義されてもよい。このようなＤＣＩフォーマット１Ａの場合に対するデフォルトＰＱＩパラメータセットは、ＤＣＩフォーマット２Ｄの場合に関して上位層によって設定された複数のＰＱＩパラメータセットのうちいずれか一つのパラメータセット（例えば、最も低いＰＱＩ状態値（例えば、‘００’）に対応するパラメータセット）（例えば、パラメータセット１）であってもよい。
【０３１７】
ＥＰＤＣＣＨを介してＤＣＩフォーマット１Ａに対応するスケジューリング情報が端末にシグナリングされてもよい。ＥＰＤＣＣＨの場合には、ＥＰＤＣＣＨセット別に適用される特定のＰＱＩパラメータセットが上位層シグナリングによって設定されうる。ＥＰＤＣＣＨセット（または、ＥＰＤＣＣＨ−ＰＲＢ−ｓｅｔ）は、例えば、ローカル方式ＥＰＤＣＣＨマッピングＲＢセットまたは分散方式ＥＰＤＣＣＨマッピングＲＢセットを意味する。
【０３１８】
ＥＰＤＣＣＨを介してＤＣＩフォーマット１Ａに対応するスケジューリング情報が端末にシグナリングされる場合、ＰＱＩパラメータの一つまたは複数が、事前にＲＲＣシグナリングなどによってＥＰＤＣＣＨセット別に設定されてもよい。したがって、ＤＣＩフォーマット１ＡがいずれのＥＰＤＣＣＨセットを介して端末に送信されるかによって、当該ＥＰＤＣＣＨセット別に設定（または、リンクまたはマッピング）されているＲＲＣ設定された（RRC-configured）パラメータセットに含まれたパラメータの一部または全部に、端末が従うように動作できる。より具体的には、端末は、事前に設定されたＥＰＤＣＣＨセットのそれぞれに対する探索空間でブラインドデコーディングを行い、ブラインドデコーディングの結果、成功的に検出されたＤＣＩフォーマット１Ａが存在する場合、当該探索空間を説明（describe）するＥＰＤＣＣＨセットにリンクされたＲＲＣ設定されたパラメータセットに含まれたパラメータの一部または全部に従う仮定を、当該ＤＣＩフォーマット１ＡによってスケジューリングされるＰＤＳＣＨ復調時に反映して受信処理を行うことができる。
【０３１９】
このようにＥＰＤＣＣＨセット別に設定されたＰＱＩパラメータに従うようにすることは、ＤＣＩフォーマット１ＡがＴＭ１０でＥＰＤＣＣＨを介して送信される場合にのみ適用されると限定してもよい。ＴＭ１０の場合には、複数のＥＰＤＣＣＨセットが設定された場合に、それぞれのＥＰＤＣＣＨのセット別にＰＱＩパラメータセットがＲＲＣ設定され、端末は、ＤＣＩフォーマット１Ａが上記複数のＥＰＤＣＣＨセットのうちいずれのＥＰＤＣＣＨセットから検出されたかによって、当該ＥＰＤＣＣＨセットに対応するＲＲＣ設定されたパラメータセットに含まれるパラメータの一部または全部に従う仮定を、当該ＤＣＩフォーマット１ＡによってスケジューリングされるＰＤＳＣＨ復調時に反映することができる。一方、ＴＭ１乃至ＴＭ９の場合には、複数のＥＰＤＣＣＨセットが設定された場合であっても、ＰＱＩパラメータセットに含まれるパラメータの一部または全部が上記複数のＥＰＤＣＣＨセットに共通に適用されるように設定されてもよい。端末は、当該ＤＣＩフォーマット１ＡがいずれのＥＰＤＣＣＨセットを介して受信およびデコーディングされたかにかかわらず、上記の共通に設定されたＰＱＩパラメータセットに含まれるパラメータの一部または全部に従う仮定を、当該ＤＣＩフォーマット１ＡによってスケジューリングされるＰＤＳＣＨ復調時に反映して受信処理を行うことができる。
【０３２０】
前述したＥＰＤＣＣＨセット固有にまたはＥＰＤＣＣＨセット共通にＰＱＩパラメータセットがＲＲＣ設定される本発明の実施例に関する説明において、ＤＣＩフォーマット１Ａを例に挙げているが、同一の例示がＤＣＩフォーマット２Ｃまたは２Ｄに対して適用されてもよい。
【０３２１】
また、レガシＰＤＣＣＨを介して送信されるＤＣＩに関するＰＱＩパラメータセットと、ＥＰＤＣＣＨを介して送信されるＤＣＩに関するＰＱＩパラメータセットが独立してＲＲＣ設定されてもよい。すなわち、レガシＰＤＣＣＨを介して送信されるＤＣＩのＰＱＩ状態値にマッピングされるＰＱＩパラメータセットは、ＥＰＤＣＣＨを介して送信されるＤＣＩのＰＱＩ状態値にマッピングされるＰＱＩパラメータセットとは別に設定されるため、互いに異なってもよい。
【０３２２】
また、ＥＰＤＣＣＨセット別にＥＰＤＣＣＨＱＣ動作方式（behavior）が定義されてもよい。例えば、ＥＰＤＣＣＨセット別にＥＰＤＣＣＨ Ｂｅｈａｖｉｏｒ ＡまたはＥＰＤＣＣＨ Ｂｅｈａｖｉｏｒ Ｂが適用されることがＲＲＣ設定されてもよい。ここで、ＥＰＤＣＣＨ Ｂｅｈａｖｉｏｒ Ａは、ＥＰＤＣＣＨ ＤＭＲＳとサービングセルＣＲＳとの間のＱＣＬを仮定する動作方式である。ＥＰＤＣＣＨ Ｂｅｈａｖｉｏｒ Ｂは、ＥＰＤＣＣＨ ＤＭＲＳとＣＳＩ−ＲＳとの間のＱＣＬを仮定する動作方式である。また、複数のＥＰＤＣＣＨセット全てに対してＥＰＤＣＣＨ Ｂｅｈａｖｉｏｒ ＡがデフォルトＱＣ動作方式として設定され、それぞれのＥＰＤＣＣＨセット別に独立して特定のＣＳＩ−ＲＳに対するＥＰＤＣＣＨ Ｂｅｈａｖｉｏｒ Ｂが設定されてもよい。ＥＰＤＣＣＨ ＱＣ動作方式については、後で詳しく説明する。
【０３２３】
さらに、ＥＰＤＣＣＨセット別に、ＱＣＬ動作方式だけでなく、ＰＱＩパラメータの一部または全部が設定されてもよい。この場合、いずれかのＤＣＩの２＾Ｎ個のＰＱＩ状態値に対応するようにＲＲＣ設定されたＰＱＩパラメータセットの一部または全部が、ＥＰＤＣＣＨ自体のデコーディングに適用されるように設定されてもよい。例えば、レガシＰＤＣＣＨを介して（もしくは、ＥＰＤＣＣＨを介して）ＤＣＩ（例えば、ＤＣＩフォーマット２Ｄ）が送信される場合に、該ＤＣＩの特定のＰＱＩ状態値に対応するようにＲＲＣ設定されたパラメータセットのパラメータの一部または全部が特定のＥＰＤＣＣＨセットにそのまま適用されうるように、それぞれのＥＰＤＣＣＨセット別に上記ＰＱＩ状態値のうち特定の状態値によって指示されるＰＱＩパラメータセットが設定されるようにすることができる。
【０３２４】
すなわち、それぞれのＥＰＤＣＣＨセット別にＲＲＣ設定によって、上記ＰＱＩ状態値のうち特定の状態値を指定することができる。また、該特定のＰＱＩ状態値が示すＰＱＩパラメータ（ＤＭＲＳとＣＳＩ−ＲＳとの間のＱＣＬ情報、ＰＤＳＣＨ ＲＥマッピング（または、ＣＲＳ ＲＭパターン（例えば、ＣＲＳポートの数、ＣＲＳ周波数シフト、セル識別子など））情報、ＭＢＳＦＮサブフレーム設定に関する情報、ＮＺＰ ＣＳＩ−ＲＳ設定情報、ＺＰ（Zero-Power）ＣＳＩ−ＲＳ設定情報、ＴＤＤ特別サブフレーム設定情報、ＰＤＳＣＨ開始シンボル情報および／またはＰＤＳＣＨ終了シンボル情報など）の一部または全部がそのままＥＰＤＣＣＨデコーディング自体に適用されるようにすることができる。
【０３２５】
例えば、上記ＰＱＩパラメータのうちＺＰ ＣＳＩ−ＲＳ設定情報によって、ＥＰＤＣＣＨ自体のＲＥマッピングを決定し（すなわち、ＺＰ ＣＳＩ−ＲＳが指示するＲＥにはＥＰＤＣＣＨがマッピングされないという仮定の下に）、ＥＰＤＣＣＨのデコーディングを行うことができる。
【０３２６】
また、上記ＰＱＩパラメータのうちＣＲＳ ＲＭパターン情報によって、ＥＰＤＣＣＨ自体のＲＥマッピングを決定し、ＥＰＤＣＣＨデコーディングを行うことができる。
【０３２７】
また、上記ＰＱＩパラメータのうちＭＢＳＦＮサブフレーム設定情報によって、ＥＰＤＣＣＨが送信されるサブフレームがＭＢＳＦＮサブフレームかまたは非ＭＢＳＦＮサブフレームかを決定し、これによってＣＲＳがマッピングされるＲＥが存在するか否かを決定し、最終的にＥＰＤＣＣＨ自体のＲＥマッピングを決定してＥＰＤＣＣＨデコーディングを行うことができる。
【０３２８】
また、上記ＰＱＩパラメータのうちＰＤＳＣＨ開始シンボル情報に基づいてＥＰＤＣＣＨ自体の開始シンボルを決定し、これによってＥＰＤＣＣＨ自体のＲＥマッピングを決定してＥＰＤＣＣＨデコーディングを行うことができる。例えば、ＰＱＩパラメータセットに含まれたＰＤＳＣＨ開始シンボル情報からＰＤＳＣＨ開始シンボル値ｋを決定できるが、このｋ値をそのままＥＰＤＣＣＨの開始シンボル値として適用することができる。ここで、ＥＰＤＣＣＨの開始シンボルインデックス値ｋは、ＭＢＳＦＮサブフレームと非ＭＢＳＦＮサブフレームとに共通に適用されてもよい。或いは、非ＭＢＳＦＮサブフレームに対してはｋ＝Ｋとして決定され、ＭＢＳＦＮサブフレームに対してはｋ＝ｍｉｎ（ＫThreshold，Ｋ）として決定されてもよい。ここで、Ｋ値は、０もしくはリザーブされた値、１、２、３、４、（４は、システム帯域幅が１０個のＰＲＢ以下である場合にのみ適用される）、非クロスキャリアスケジューリングの場合にはサービングセルのＰＣＦＩＣＨから決定される値、または、クロスキャリアスケジューリングの場合には上位層によって設定された値のうち一つであってもよい。例えば、ＫThreshold＝２であってもよい。
【０３２９】
また、上記ＰＱＩパラメータに一つのＮＺＰ ＣＳＩ−ＲＳ設定情報が含まれる場合、このようなＮＺＰ ＣＳＩ−ＲＳ設定情報は、ＥＰＤＣＣＨ自体のデコーディングに関して無視してもよい（または、考慮しなくてもよい）。すなわち、ＥＰＤＣＣＨセット別にＢｅｈａｖｉｏｒ ＡまたはＢｅｈａｖｉｏｒ Ｂが個別にＲＲＣ設定される場合、ＰＤＳＣＨ復調のためのＰＱＩパラメータセットのうち一つのＮＺＰ ＣＳＩ−ＲＳ設定情報は、ＥＰＤＣＣＨデコーディングのために適用しない。
【０３３０】
或いは、ＥＰＤＣＣＨ Ｂｅｈａｖｉｏｒ Ｂが指示された特定のＥＰＤＣＣＨセットに関しては、ＮＺＰ ＣＳＩ−ＲＳ設定情報を考慮してもよい。ＮＺＰ ＣＳＩ−ＲＳ設定情報がＰＱＩパラメータセットに含まれることは選択可能（optional）であるから、場合を分けて説明する。上記ＰＱＩパラメータに一つのＮＺＰ ＣＳＩ−ＲＳ設定情報が含まれる場合は、これを考慮してＥＰＤＣＣＨ自体のＲＥマッピングを決定し、ＥＰＤＣＣＨデコーディングを行うことができる。すなわち、ＥＰＤＣＣＨセット別にＲＲＣ設定されたＰＱＩパラメータセットに属した一つのＮＺＰ ＣＳＩ−ＲＳ設定情報が存在すると、ＥＰＤＣＣＨ ＤＭＲＳと上記一つのＮＺＰ ＣＳＩ−ＲＳとの間のＱＣＬを仮定するＢｅｈａｖｉｏｒ Ｂを適用してＥＰＤＣＣＨデコーディングを行う。上記ＰＱＩパラメータに一つのＮＺＰ ＣＳＩ−ＲＳ設定情報が含まれない場合には、ＥＰＤＣＣＨ ＤＭＲＳとデフォルトＣＳＩ−ＲＳとの間のＱＣＬを仮定するＢｅｈａｖｉｏｒ Ｂを適用してＥＰＤＣＣＨデコーディングを行う。ここで、デフォルトＣＳＩ−ＲＳは、最も低いインデックスのＣＳＩ−ＲＳリソース（例えば、ＣＳＩ−ＲＳリソースインデックス０）、特定のＣＳＩ−ＲＳリソース（例えば、ＣＳＩ−ＲＳリソースインデックスｎ、ここで、ｎは予め指定された値）、最も低いＣＳＩプロセスインデックスに属したＣＳＩ−ＲＳリソース（例えば、ＣＳＩプロセスインデックス０に属したＣＳＩ−ＲＳリソース）、または、特定のＣＳＩプロセスに属したＣＳＩ−ＲＳリソース（例えば、ＣＳＩプロセスインデックスｎに属したＣＳＩ−ＲＳリソース、ここで、ｎは予め指定された値）のうち一つに設定できる。
【０３３１】
前述したように、本発明によれば、ＥＰＤＣＣＨセットのそれぞれに対して（または、共通に）上位層によって設定されたＰＱＩパラメータセットを、ＥＰＤＣＣＨ自体のＲＥマッピングおよびＥＰＤＣＣＨアンテナポートＱＣＬを決定するために用いることができ、これによってＥＰＤＣＣＨデコーディングの性能を高めることができる。
【０３３２】
ＰＤＳＣＨ開始シンボル決定の優先順位
ＤＣＩ内のＮビットサイズのＰＱＩフィールドは、２＾Ｎ個のＰＱＩ状態値のうちいずれか一つの値を有することができて、これは、２＾Ｎ個のＰＱＩパラメータセットのうちいずれか一つを示すことができる。このような２＾Ｎ個のＰＱＩパラメータセットは、上位層（例えば、ＲＲＣ層）によって予め設定することができる。
【０３３３】
いずれのＰＱＩパラメータセットにも特定のパラメータが含まれない場合には、該特定のパラメータのためにデフォルト規則によって決定された値を適用することができる。
【０３３４】
例えば、特定のＰＱＩフィールドの状態値に対応するＰＱＩパラメータセットにおいてＰＤＳＣＨ開始シンボルインデックス情報が含まれない（または、与えられない）場合、端末は、ＰＤＳＣＨ開始シンボルインデックスがサービングセルのＰＤＳＣＨ開始位置にマッチすると仮定することができる。これは、ＰＱＩパラメータではなくても、別途のＲＲＣシグナリングによってＥＰＤＣＣＨ開始シンボルが端末に設定されていると、ＰＱＩパラメータにＰＤＳＣＨ開始シンボルが含まれない場合に、ＤＬサービングセルのＰＣＦＩＣＨからＰＤＳＣＨ開始シンボルを決定するよりは、既にＲＲＣシグナリングで与えられたＥＰＤＣＣＨ開始シンボル位置がＰＤＳＣＨ開始シンボルの位置と同一であると決定するようにするという意味である。
【０３３５】
例えば、特定のＰＱＩフィールドの状態値に対応するＰＱＩパラメータセットにおいて、ＰＤＳＣＨ開始シンボルインデックス情報が含まれない（または、与えられない）場合、端末は、ＰＤＳＣＨ開始シンボルインデックスが、ＤＬサービングセルのＰＣＦＩＣＨで示すＰＤＣＣＨの終了シンボルインデックスの次のシンボルインデックス（すなわち、ＰＤＣＣＨの終了シンボルインデックス＋１）であると決定することができる。
【０３３６】
このように本発明で提案するＰＱＩパラメータを適用する優先順位は、次のように設定することができる。一番目の優先順位は（すなわち、他の場合に比べて優先的に適用される動作は）、ＰＱＩ状態値に対応する特定のＰＱＩパラメータが与えられる場合にはそれに従うことである。二番目の優先順位は（すなわち、上記一番目の優先順位による動作が適用されない場合に適用される動作は）、ＰＱＩ状態値に対応する特定のＰＱＩパラメータが与えられない場合に適用されることであり、上記特定のＰＱＩパラメータと関連して（ＰＱＩパラメータ設定ではない他の目的のためでも）別途に設定された値が存在する場合には、それによって上記特定のＰＱＩパラメータの値を決定することである。
【０３３７】
ＰＱＩパラメータのうちＰＤＳＣＨ開始シンボル情報を例に上げて本発明に係る動作を説明する。
【０３３８】
まず、一番目の優先順位による動作または二番目の優先順位による動作を適用するか否かを決定するために、ＤＣＩ内のＰＱＩフィールドの特定の状態値に対応するＰＱＩパラメータセットにＰＤＳＣＨ開始シンボル値が含まれるか（または、与えられるか）否かを決定する。
【０３３９】
一番目の優先順位による動作として、ＤＣＩ内のＰＱＩフィールドの特定の状態値に対応するＰＱＩパラメータセットによってＰＤＳＣＨ開始シンボル値が提供される場合、端末はそれを用いてＰＤＳＣＨ復調（または、ＥＰＤＣＣＨデコーディング）を行うことができる。
【０３４０】
ここで、非ＭＢＳＦＮサブフレームに対してＲＲＣシグナリングされたＰＤＳＣＨ開始シンボル情報（例えば、上記実施例でＫ値として表現された情報）は、０もしくはリザーブされた値、１、２、３、４（４は、システム帯域幅が１０個のＰＲＢ以下である場合にのみ適用される）、非クロスキャリアスケジューリングの場合にはサービングセルのＰＣＦＩＣＨから決定される値、または、クロスキャリアスケジューリングの場合には上位層によって設定された値のうち一つであってもよい。
【０３４１】
或いは、Ｋ値は、０もしくはリザーブされた値、１、２、３、４（４はシステム帯域幅が１０個のＰＲＢ以下である場合にのみ適用される）、非クロスキャリアスケジューリングの場合には特定のセルもしくはＴＰのＰＣＦＩＣＨから決定される値、または、クロスキャリアスケジューリングの場合には上位層によって設定された値のうち一つであってもよい。ここで、特定のセルもしくはＴＰのＰＣＦＩＣＨによって与えられる情報（または、制御領域のＯＦＤＭシンボル数を示す他のパラメータ／値／変数）によって動的にＰＤＳＣＨ開始シンボル数を決定する方式は、上記特定のセルもしくはＴＰのＲＳ（例えば、ＣＲＳ、ＣＳＩ−ＲＳ、トラッキング（tracking）ＲＳなど）を確実に検出できる場合に（例えば、干渉除去受信器（interference cancellation receiver）を備える端末で）適用するようにすることができる。
【０３４２】
一方、このように特定のセルもしくはＴＰのＰＣＦＩＣＨによって動的にＰＤＳＣＨ開始シンボル値Ｋを決定する動作は、ＤＬ制御チャネル領域とＰＤＳＣＨ領域との重複を防止するための他の実施例にも適用することができる。
【０３４３】
例えば、非ＭＢＳＦＮサブフレームで、ＰＤＳＣＨ開始シンボル値ｋ＝ｍａｘ｛Ｋ，Ｐ｝と決定することができる。ＭＢＳＦＮサブフレームで、ＰＤＳＣＨ開始シンボル値ｋ＝ｍａｘ｛（ｍｉｎ（ＫThreshold，Ｋ））と決定することができる。ここで、Ｋ値は、０もしくはリザーブされた値、１、２、３、４（４はシステム帯域幅が１０個のＰＲＢ以下である場合にのみ適用される）、非クロスキャリアスケジューリングの場合には特定のセルもしくはＴＰのＰＣＦＩＣＨから決定される値、または、クロスキャリアスケジューリングの場合には上位層によって設定された値のうち一つであってもよい。Ｐは、非クロススケジューリングの場合にはサービングセルのＰＣＦＩＣＨから決定される値、または、クロスキャリアスケジューリングの場合には上位層によって設定された値であってもよい。ＫThreshold値は、例えば、２であってもよい。
【０３４４】
二番目の優先順位による動作として、ＤＣＩ内のＰＱＩフィールドの特定の状態値に対応するＰＱＩパラメータセットによってＰＤＳＣＨ開始シンボル値が提供されない場合、端末は、（ＰＱＩパラメータ設定でない他の目的のためでも）別途に設定されたＰＤＳＣＨ開始シンボル値が存在すると、それを用いてＰＤＳＣＨ復調（または、ＥＰＤＣＣＨデコーディング）を行うことができる。
【０３４５】
例えば、ＰＱＩパラメータ以外で別に設定されたＰＤＳＣＨ開始シンボル値は、ＥＰＤＣＣＨ開始シンボル値を示すための情報であってもよい。すなわち、ＥＰＤＣＣＨ開始シンボル＝ＰＤＳＣＨ開始シンボルと決定するが、このため、端末にＥＰＤＣＣＨ開始シンボル情報が半静的に設定されている場合には、端末は、それによってＰＤＳＣＨ開始シンボルを決定してＰＤＳＣＨ復調などを行うことができる。
【０３４６】
他の例示として、ＤＬサービングセルに対するＰＤＳＣＨ開始シンボル情報がなくても、他のセルまたはＴＰ（例えば、ＣＳＩ−ＲＳとのＱＣ情報などを用いてＰＤＳＣＨを送信するセルまたはＴＰ）に対して設定されたＰＤＳＣＨ開始シンボル情報が存在すると、端末はそれによってＰＤＳＣＨ復調などを行うことができる。これは、キャリアアグリゲーション（ＣＡ）システムでＳＣｅｌｌのＰＤＳＣＨ開始シンボル情報がＲＲＣシグナリングによって与えられる方式に似ていると理解してもよく、ここで、ＳＣｅｌｌを、同一周波数帯域におけるＣｏＭＰ測定セット内の隣接ＴＰと見なすことができる。
【０３４７】
例えば、フォールバック動作のためにＤＣＩフォーマット１Ａが用いられる場合を仮定することができる。この場合、ＣｏＭＰのような動作モードのための情報（特に、ＰＤＳＣＨ開始シンボルに関する情報）が提供されないことがある。或いは、ＣｏＭＰモードのためのＰＤＳＣＨをスケジューリングするＤＣＩであっても、他の端末と共にスケジューリングメッセージの検出を試みる共通探索空間で送信されるときには、他のスケジューリング情報との長さを同一に維持するためにＰＤＳＣＨ開始シンボル情報などが含まれないこともある。このようにＰＤＳＣＨ開始シンボルに関する情報が存在しないスケジューリング情報によってＰＤＳＣＨがスケジューリングされる場合、ＥＰＤＣＣＨとＰＤＳＣＨとは同一のセル（または、ＣＣ）上で同一の開始点を有するとすることができる。
【０３４８】
三番目の優先順位による動作として、ＰＱＩパラメータも与えられず、他の目的のために設定された値も存在しない場合には、最も基本的な動作をサポートするための方式によって、ＰＤＳＣＨ開始シンボルインデックスを、ＤＬサービングセルのＰＣＦＩＣＨで示すＰＤＣＣＨの終了シンボルインデックスの次のシンボルインデックス（すなわち、ＰＤＣＣＨの終了シンボルインデックス＋１）に決定することができる。
【０３４９】
【数２９】
0006342904.tif 000039
【０３５０】
【表１０】
0006342904.tif 000040
【０３５１】
他の例示として、上記の表１０で、フレーム構造、ＭＢＳＦＮかまたは非ＭＢＳＦＮサブフレームか、ＣＲＳアンテナポート数などの条件によってＣＦＩが示す値（すなわち、ＰＤＣＣＨのためのＯＦＤＭシンボルの数）のうち、当該条件での最大値を決定し、該決定された最大値に対応するシンボルインデックス＋１をＰＤＳＣＨ開始シンボル位置と決定することもできる。このように条件による最大値は、上記の表１０の特定の行（row）における最大値または特定の列（column）における最大値などと決定することができる。
【０３５２】
他の例示として、ＤＬサービングセルではなく、他のセルまたはＴＰのＰＤＳＣＨ開始シンボル位置情報を用いることもできる。例えば、他のセルまたはＴＰは、ＣＳＩ−ＲＳとのＱＣ情報などによってＰＤＳＣＨを送信するセルまたはＴＰであってもよい。他のセルまたはＴＰに対する特定のシグネチャ値（例えば、当該セルまたはＴＰの物理セル識別子、仮想セル識別子などのスクランブルシード値など）が示されるとき、当該セルまたはＴＰのＲＳ（例えば、ＣＲＳ、トラッキングＲＳ、ＣＳＩ−ＲＳなど）を用いてＰＣＦＩＣＨをデコーディングできる場合、ＰＣＦＩＣＨで示されるＣＦＩ値によって決定されるＰＤＣＣＨの終了シンボルインデックスの次のシンボルインデックスをＰＤＳＣＨ開始シンボル位置に決定することができる。
【０３５３】
追加の例示として、端末が特定のＰＤＳＣＨスケジューリング情報（例えば、特定のＤＣＩフォーマットを介した下りリンクスケジューリング情報）を受信した場合、ＰＤＳＣＨを送信するセルが当該端末のサービングセルではなく特定のセルであると事前に定めることが可能である。この場合、事前に定められた特定のセルがどのセルであるかは、上位層（例えば、ＲＲＣ層）によって設定することができる。
【０３５４】
また、ＥＰＤＣＣＨではなくＰＤＣＣＨを介して送信されるＤＣＩによってＰＤＳＣＨがスケジューリングされる場合には、ＥＰＤＣＣＨ開始シンボルに関する情報がＰＤＳＣＨ開始シンボルと異なるか、または、ＥＰＤＣＣＨ開始シンボルに関する情報自体が存在しない場合に対応しうる。この場合には、上記の二番目の優先順位で別途に設定されたＰＤＳＣＨ開始シンボル値を用いることができず、上記の三番目の優先順位によってＰＤＳＣＨ開始シンボル位置を決定してもよい。
【０３５５】
フォールバックモードでスケジューリングされたＰＤＳＣＨに対するＰＱＩパラメータの適用
端末に対して送信モード再設定などが行われる状況で、基地局と端末との動作モード設定が一致しない場合が生じうる。このような場合には、安定した動作のために、端末、基地局の両方が基本的にサポートするフォールバックモードで動作できる。本発明では、フォールバックモードでスケジューリングされるＰＤＳＣＨに対してＰＱＩパラメータを適用する動作を提案する。
【０３５６】
フォールバックモードで動作する場合、上記の一番目の優先順位による動作（例えば、ＰＤＳＣＨ開始シンボル情報）が直接与えられる場合の動作）が適用されないことがある。ここで、フォールバックモードで動作する場合には、上記の一番目の優先順位による動作が適用されない場合、上記の二番目の優先順位による動作（例えば、ＥＰＤＣＣＨ開始シンボル情報によってＰＤＳＣＨ開始シンボル位置を決定する動作）を行わず、上記の三番目の優先順位による動作（例えば、ＰＣＦＩＣＨが示すＣＦＩ値によって決定されるＰＤＣＣＨの終了シンボルインデックスの直後のシンボルインデックスをＰＤＳＣＨ開始シンボル位置と決定する動作）が行われてもよい。
【０３５７】
例えば、フォールバックモードのためのＤＣＩフォーマット（例えば、ＤＣＩフォーマット１Ａ）によってスケジューリングされたＰＤＳＣＨ送信開始シンボル位置は、より安定したフォールバック動作のために同一のセル（または、ＣＣ）上のＥＰＤＣＣＨ開始シンボルと異なるように設定されてもよい。例えば、フォールバックモードのためのＤＣＩフォーマット１ＡによってＰＤＳＣＨがスケジューリングされる場合、このＰＤＳＣＨは事前に定められた特定のセル（例えば、当該端末のサービングセル）から送信されると指定されてもよい。これは、フォールバックモードでは、サービングセルが端末の動作を管理するようにすることが適切であるからである。このような場合、ＤＣＩフォーマット１ＡでスケジューリングされたＰＤＳＣＨの開始シンボル位置は、サービングセルのＰＤＳＣＨ開始シンボル位置と同一になるよう設定されることが好ましい。
【０３５８】
これによって、端末は、ＤＣＩフォーマット１ＡによってＰＤＳＣＨがスケジューリングされた場合には、別にＲＲＣ設定されるＥＰＤＣＣＨの開始シンボル位置にかかわらず、サービングセルのＰＣＦＩＣＨのＣＦＩが示す値によってＰＤＳＣＨ開始シンボル位置を決定することができる。
【０３５９】
或いは、上位層（例えば、ＲＲＣ層）シグナリングを用いてサービングセルのＰＤＳＣＨ開始シンボル情報を知らせ、それに従うようにすることもできる。ここで、上位層信号が示すサービングセルＰＤＳＣＨ開始シンボル情報は、ＤＣＩフォーマット１Ａでスケジューリングされた場合に適用しなければならないＰＤＳＣＨ開始シンボル位置として与えられたり、または、サービングセルの特定のＲＳ（例えば、ＣＲＳもしくは基準となる特定のＣＳＩ−ＲＳ）と同一の位置でＰＤＳＣＨが送信されると仮定できる場合に用いるＰＤＳＣＨ開始シンボル位置として与えられてもよい。ここで、上記基準となるＣＳＩ−ＲＳは、サービングセルが送信すると暗黙的に仮定し、最初の（または、最も低い）ＣＳＩ−ＲＳ設定インデックスのように、特定のＣＳＩ−ＲＳ設定インデックスに対応するものであってもよい。
【０３６０】
また、ＰＤＳＣＨスケジューリングメッセージが共通探索空間（ＣＳＳ）上で検出され、ＰＤＳＣＨスケジューリングメッセージにＰＤＳＣＨ開始シンボル位置に関する情報が含まれない場合にも、上記と同様の方式で動作できる。すなわち、非ＭＢＳＦＮサブフレームにおいてＣＳＳ上で送信されるＤＣＩフォーマット１Ａの場合は、ＣＲＳベースで動作し、いかなる種類の送信モードでも同一の動作を保障するフォールバック動作を提供しなければならず、よって、必ずサービングセルのＰＣＦＩＣＨ情報によってＰＤＳＣＨ開始シンボル位置を決定するようにすることが好ましい。
【０３６１】
前述した本発明の提案を整理すると、フォールバックモードにおけるＰＱＩパラメータの適用に関する本発明の第１実施例による端末動作は、次のように定義できる。
【０３６２】
−  非ＭＢＳＦＮサブフレームにおいて共通探索空間上のＤＣＩフォーマット１ＡによってＰＤＳＣＨがスケジューリングされる場合、該ＰＤＳＣＨの開始シンボルは、ＤＬサービングセルのＰＣＦＩＣＨ情報（すなわち、ＣＦＩ）に基づいて決定される。
【０３６３】
−  ＭＢＳＦＮサブフレームまたは非ＭＢＳＦＮサブフレームにおいて端末固有探索空間上のＤＣＩフォーマット１ＡによってＰＤＳＣＨがスケジューリングされる場合、該ＰＤＳＣＨの開始シンボルは、ＤＣＩフォーマット２Ｄに対して設定されたＰＱＩ状態値のうち、予め決定された一つに従うＰＱＩパラメータによって決定される。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値または最も低いＰＱＩ状態値などと定義できる。
【０３６４】
フォールバックモードにおけるＰＱＩパラメータの適用に関する本発明の第２実施例として、非ＭＢＳＦＮサブフレームで端末固有探索空間上で送信されるＤＣＩによってＰＤＳＣＨがスケジューリングされる場合にもフォールバックモードとして動作できるように次の端末動作を定義することができる。これによって、ＭＢＳＦＮサブフレームである場合と非ＭＢＳＦＮサブフレームである場合とに条件を分け、次のように端末動作を定義することもできる。
【０３６５】
−  非ＭＢＳＦＮサブフレームにおいてＤＣＩフォーマット１ＡによってＰＤＳＣＨがスケジューリングされる場合、該ＰＤＳＣＨの開始シンボルはＤＬサービングセルのＰＣＦＩＣＨ情報（すなわち、ＣＦＩ）に基づいて決定される。
【０３６６】
−  ＭＢＳＦＮサブフレームにおいてＤＣＩフォーマット１ＡによってＰＤＳＣＨがスケジューリングされる場合、該ＰＤＳＣＨの開始シンボルは、ＤＣＩフォーマット２Ｄに対して設定されたＰＱＩ状態値のうち予め決定された一つに従うＰＱＩパラメータによって決定される。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値または最も低いＰＱＩ状態値などと定義できる。
【０３６７】
前述した本発明の実施例で提案する事項は、ＣＲＳベースでＰＤＳＣＨ復調を行う場合には、サービングセルのＰＣＦＩＣＨ情報（すなわち、ＣＦＩ）に基づいてＰＤＳＣＨ開始シンボルを決定すべきだということである。また、ＴＭ１０の場合にも、ＴＭ９と同様、非ＭＢＳＦＮサブフレームでＤＣＩフォーマット１ＡによってＰＤＳＣＨがスケジューリングされる場合、共通探索空間でＤＣＩフォーマット１Ａが検出されるかまたは端末固有探索空間でＤＣＩフォーマット１Ａが検出されるかにかかわらず、ＣＲＳベースのＰＤＳＣＨ送信（例えば、アンテナポート０送信または送信ダイバーシチモード）が行われるとすれば、上記のフォールバックモードでＰＱＩパラメータ適用に関する本発明の第２実施例で説明したようにＰＱＩパラメータを適用するのではなく、サービングセルのＰＣＦＩＣＨ情報（すなわち、ＣＦＩ）に基づいてＰＤＳＣＨ開始シンボルを決定することができる。一方、非ＭＢＳＦＮサブフレームでＥＰＤＣＣＨを介して送信されるＤＣＩフォーマット１Ａは端末固有探索空間のみを通して送信されるため、上記フォールバックモードにおけるＰＱＩパラメータ適用に関する本発明の第１実施例で説明した通り、非ＭＢＳＦＮサブフレームで共通探索空間を通して受信されたＤＣＩフォーマット１ＡによってスケジューリングされたＰＤＳＣＨに関しては、サービングセルのＰＣＦＩＣＨ情報（すなわち、ＣＦＩ）に基づいてＰＤＳＣＨ開始シンボルを決定し、その他のＤＣＩフォーマット１ＡによってスケジューリングされたＰＤＳＣＨに関しては、特定のＰＱＩ状態値に対応するＰＱＩパラメータを適用することができる。
【０３６８】
上記のフォールバックモードにおけるＰＱＩパラメータ適用に関する本発明の第１および第２実施例について、ＤＣＩフォーマット１ＡがＥＰＤＣＣＨ上で送信されるかまたはＰＤＣＣＨ上で送信されるかの詳細な条件を考慮した本発明の追加の実施例による端末動作は、次のように定義できる。
【０３６９】
上記フォールバックモードにおけるＰＱＩパラメータ適用に関する本発明の第１実施例は、次のような変形例として定義することもできる。
【０３７０】
−  非ＭＢＳＦＮサブフレームで共通探索空間上のＥＰＤＣＣＨを介して送信されるＤＣＩフォーマット１ＡによってＰＤＳＣＨがスケジューリングされる場合、該ＰＤＳＣＨの開始シンボルは、ＥＰＤＣＣＨ開始シンボルによって決定する。ここで、ＥＰＤＣＣＨ開始シンボルは、サービングセルのＰＣＦＩＣＨ情報（すなわち、ＣＦＩ）に基づいて決定してもよく、または、ＲＲＣ設定されたＥＰＤＣＣＨ開始シンボル値によって決定してもよい。
【０３７１】
−  非ＭＢＳＦＮサブフレームで共通探索空間上のＰＤＣＣＨを介して送信されるＤＣＩフォーマット１ＡによってＰＤＳＣＨがスケジューリングされる場合、該ＰＤＳＣＨの開始シンボルは、ＤＬサービングセルのＰＣＦＩＣＨ情報（すなわち、ＣＦＩ）に基づいて決定する。
【０３７２】
−  ＰＤＣＣＨを介した送信かＥＰＤＣＣＨを介した送信かにかかわらず、ＭＢＳＦＮサブフレームまたは非ＭＢＳＦＮサブフレームで端末固有探索空間上のＤＣＩフォーマット１ＡによってＰＤＳＣＨがスケジューリングされる場合、該ＰＤＳＣＨの開始シンボルは、ＤＣＩフォーマット２Ｄに対して設定されたＰＱＩ状態値のうち予め決定された一つに従うＰＱＩパラメータによって決定する。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、または、最も低いＰＱＩ状態値などと定義できる。
【０３７３】
上記フォールバックモードにおけるＰＱＩパラメータ適用に関する本発明の第２実施例は、次のような変形例として定義することもできる。
【０３７４】
−  非ＭＢＳＦＮサブフレームでＥＰＤＣＣＨを介して送信されるＤＣＩフォーマット１ＡによってＰＤＳＣＨがスケジューリングされる場合、該ＰＤＳＣＨの開始シンボルは、ＥＰＤＣＣＨ開始シンボルによって決定する。ここで、ＥＰＤＣＣＨ開始シンボルは、サービングセルのＰＣＦＩＣＨ情報（すなわち、ＣＦＩ）に基づいて決定してもよく、または、ＲＲＣ設定されたＥＰＤＣＣＨ開始シンボル値によって決定してもよい。
【０３７５】
−  非ＭＢＳＦＮサブフレームでＰＤＣＣＨを介して送信されるＤＣＩフォーマット１ＡによってＰＤＳＣＨがスケジューリングされる場合、該ＰＤＳＣＨの開始シンボルは、ＤＬサービングセルのＰＣＦＩＣＨ情報（すなわち、ＣＦＩ）に基づいて決定する。
【０３７６】
−  ＰＤＣＣＨを介した送信かまたはＥＰＤＣＣＨを介した送信かにかかわらず、ＭＢＳＦＮサブフレームでＤＣＩフォーマット１ＡによってＰＤＳＣＨがスケジューリングされる場合、該ＰＤＳＣＨの開始シンボルは、ＤＣＩフォーマット２Ｄに対して設定されたＰＱＩ状態値のうち予め決定された一つにマッチするＰＱＩパラメータによって決定する。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、または、最も低いＰＱＩ状態値などと定義できる。
【０３７７】
前述したように、フォールバックモード（例えば、ＤＣＩフォーマット１ＡによってＰＤＳＣＨがスケジューリングされる場合）でＰＤＳＣＨ開始シンボルを決定する方法に関する本発明の様々な実施例は、ＣＲＳ ＲＭ（Rate Matching）パターン（例えば、ＣＲＳポート数、ＣＲＳ周波数シフト情報、ＭＢＳＦＮ設定情報など）を決定する動作についても同様に適用することができる。これは、フォールバックモードＤＣＩフォーマット１ＡによってスケジューリングされるＣＲＳベースＰＤＳＣＨ送信（例えば、アンテナポート０送信または送信ダイバーシチモード）に対してはサービングセルのＰＣＦＩＣＨ情報（すなわち、ＣＦＩ）によってＰＤＳＣＨ開始シンボルを決定し、不明瞭性の除去および安全性を図るということであるから、ＣＲＳ ＲＭパターンの決定も、これと同様の目的で、サービングセルのＣＲＳ ＲＭパターンによってＰＤＳＣＨ ＲＥマッピングを決定することが適切である。すなわち、ＤＣＩフォーマット２Ｄに対して設定された特定のＰＱＩ状態値（例えば、最初のＰＱＩ状態値または最も低いＰＱＩ状態値）に対応するＰＱＩパラメータ（例えば、ＰＤＳＣＨ開始シンボル情報またはＣＲＳ ＲＭパターンなど）は、ＣＲＳベースＰＤＳＣＨ送信（例えば、アンテナポート０送信または送信ダイバーシチモード）に対しては適用せず、その他のＰＤＳＣＨ送信（例えば、ＤＭＲＳベースＰＤＳＣＨ送信）のみに対して限定的に適用することが好ましい。このようにＣＲＳ ＲＭパターンが決定される場合、それに従ってＰＤＳＣＨ ＲＥマッピングを決定してもよい。
【０３７８】
ここで、ＣＲＳベースで送信されるＰＤＳＣＨの復調については、ＰＱＩパラメータのうち一部は用いるが、その他のパラメータはＰＱＩパラメータに従わず、サービングセルの情報に従うように動作することもできる。例えば、ＣＲＳベースで送信されるＰＤＳＣＨの復調については、ＰＱＩパラメータセットに含まれるパラメータのうちＺＰ ＣＳＩ−ＲＳ設定および／またはＰＤＳＣＨ開始シンボルに関する情報のみを適用し、ＣＲＳ ＲＭパターンに関する情報は適用しないように（すなわち、ＣＲＳ ＲＭパターンに関してはサービングセルの情報に従うように）することができる。これによる端末動作を次のように定義することができる。
【０３７９】
−  非ＭＢＳＦＮサブフレームで共通探索空間上のＤＣＩフォーマット１ＡによってＰＤＳＣＨがスケジューリングされる場合、ＣＲＳ ＲＭパターンは、ＤＬサービングセルのＣＲＳ ＲＭパターン情報によって決定する。ここで、サービングセルのＣＲＳ ＲＭパターン情報は、例えば、サービングセルのＣＲＳポート数、サービングセルのＣＲＳ周波数シフト、サービングセルのＭＢＳＦＮサブフレーム設定などを含むことができる。
【０３８０】
−  ＭＢＳＦＮサブフレームまたは非ＭＢＳＦＮサブフレームで端末固有探索空間上のＤＣＩフォーマット１ＡによってＰＤＳＣＨがスケジューリングされる場合、ＣＲＳ ＲＭパターンは、ＤＣＩフォーマット２Ｄに対して設定されたＰＱＩ状態値のうち予め決定された一つに従うＰＱＩパラメータのうちＣＲＳ ＲＭパターンに関連付けられたパラメータによって決定する。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、または、最も低いＰＱＩ状態値などとして定義できる。また、ＰＱＩパラメータのうちＣＲＳ ＲＭパターンに関連付けられたパラメータは、ＣＲＳポート数（例えば、１、２、４またはリザーブされた値）、ＣＲＳ周波数シフト、ＭＢＳＦＮサブフレーム設定などに対応する。
【０３８１】
上記のＣＲＳ ＲＭパターンの決定に関する本発明の実施例では、非ＭＢＳＦＮサブフレームにおいて端末固有探索空間上で送信されるＤＣＩによってＰＤＳＣＨがスケジューリングされる場合にもフォールバックモードとして動作できるように、下記の端末動作を定義することができる。これによって、ＭＢＳＦＮサブフレームである場合と非ＭＢＳＦＮサブフレームである場合とに条件を分けて、次のように端末動作を定義することもできる。
【０３８２】
−  非ＭＢＳＦＮサブフレームでＤＣＩフォーマット１ＡによってＰＤＳＣＨがスケジューリングされる場合、ＣＲＳ ＲＭパターンは、ＤＬサービングセルのＣＲＳ ＲＭパターン情報によって決定する。ここで、サービングセルのＣＲＳ ＲＭパターン情報は、例えば、サービングセルのＣＲＳポート数、サービングセルのＣＲＳ周波数シフト、サービングセルのＭＢＳＦＮサブフレーム設定などを含むことができる。
【０３８３】
−  ＭＢＳＦＮサブフレームでＤＣＩフォーマット１ＡによってＰＤＳＣＨがスケジューリングされる場合、ＣＲＳ ＲＭパターンは、ＤＣＩフォーマット２Ｄに対して設定されたＰＱＩ状態値のうち予め決定された一つに従うＰＱＩパラメータのうちＣＲＳ ＲＭパターンに関連付けられたパラメータによって決定する。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、または、最も低いＰＱＩ状態値などとして定義できる。また、ＰＱＩパラメータのうちＣＲＳ ＲＭパターンに関連したパラメータは、ＣＲＳポート数（例えば、１、２、４またはリザーブされた値）、ＣＲＳ周波数シフト、ＭＢＳＦＮサブフレーム設定などに対応する。
【０３８４】
本発明の他の変形例として、サブフレームタイプ（例えば、ＭＢＳＦＮまたは非ＭＢＳＦＮ）および探索空間のタイプ（例えば、共通探索空間または端末固有探索空間）に対する条件にかかわらず、ＤＣＩフォーマット１ＡによってＰＤＳＣＨがスケジューリングされる場合には、常にＤＣＩフォーマット２Ｄに対して設定されたＰＱＩ状態値のうち予め決定された一つ（例えば、最も低いＰＱＩ状態値）に対応するＰＱＩパラメータに従うようにするが、ＣＲＳ−ベースＰＤＳＣＨがスケジューリングされた場合には、上記のＰＱＩパラメータのうちＰＤＳＣＨ開始シンボル情報および／またはＣＲＳ ＲＭパターン情報は、サービングセル以外の他のセルの情報によってＲＲＣ設定されると予想することができないと定義することもできる。これによる端末動作を次のようにまとめることができる。
【０３８５】
まず、ＣＲＳ ＲＭ情報に関する端末動作を次のように定義できる。
【０３８６】
−  非ＭＢＳＦＮサブフレームでＤＣＩフォーマット１ＡによってＰＤＳＣＨがスケジューリングされる場合、端末は、ＤＣＩフォーマット２Ｄに対して設定されたＰＱＩ状態値のうち予め決定された一つによって指示されるＣＲＳ ＲＭパターンに関連付けられたパラメータが、当該端末のサービングセルのＣＲＳ ＲＭ情報と異なると予想する（expect）ことができない。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、または、最も低いＰＱＩ状態値などとして定義できる。また、ＰＱＩパラメータのうちＣＲＳ ＲＭパターンに関連したパラメータは、ＣＲＳポート数（例えば、１、２、４またはリザーブされた値）、ＣＲＳ周波数シフト、ＭＢＳＦＮサブフレーム設定などに対応する。
【０３８７】
上記の端末動作を次のように表現することもできる。
【０３８８】
−  ＴＭ１０に設定された端末がポート０乃至３で復調されるＰＤＳＣＨを受信する場合、端末は、当該ＰＤＳＣＨのＲＥマッピングを定義するＰＱＩ状態のＣＲＳポート数、ｖ−ｓｈｉｆｔ（または、周波数シフト）、ＭＢＳＦＮサブフレーム設定情報がサービングセルと同一になるよう与えられると仮定することができる。ここで、ポート０乃至３は、ＣＲＳアンテナポートインデックスを意味する。
【０３８９】
次に、ＰＤＳＣＨ開始シンボル情報に関する端末動作は、次のように定義できる。
【０３９０】
−  非ＭＢＳＦＮサブフレームでＤＣＩフォーマット１ＡによってＰＤＳＣＨがスケジューリングされる場合、端末は、ＤＣＩフォーマット２Ｄに対して設定されたＰＱＩ状態値のうち予め決定された一つによって指示されるＰＤＳＣＨ開始シンボル情報が、当該端末のサービングセルのＰＤＳＣＨ開始シンボル情報と異なると予想する（expect）ことができない。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、または、最も低いＰＱＩ状態値などとして定義できる。
【０３９１】
上記の端末動作を次のように表現することもできる。
【０３９２】
−ＴＭ１０に設定された端末がポート０乃至３で復調されるＰＤＳＣＨを受信する場合、端末は、当該ＰＤＳＣＨの開始シンボルを定義するＰＱＩ状態の開始シンボル情報がサービングセルと同一になるよう与えられると仮定することができる。ここで、ポート０乃至３は、ＣＲＳアンテナポートインデックスを意味する。
【０３９３】
本発明の他の変形例として、ＤＣＩフォーマット１ＡによってＰＤＳＣＨがスケジューリングされる場合には、ＤＣＩフォーマット２Ｄに対して設定されたＰＱＩ状態値のうち予め決定された一つ（例えば、最も低いＰＱＩ状態値）に対応するＰＱＩパラメータに従うようにするが、非ＭＢＳＦＮサブフレームで共通探索空間上で送信されるＤＣＩフォーマット１ＡによってＰＤＳＣＨがスケジューリングされる場合には、上記ＰＱＩパラメータのうちＰＤＳＣＨ開始シンボル情報および／またはＣＲＳ ＲＭパターン情報はサービングセル以外の他のセルの情報によってＲＲＣ設定されると予想することができないと定義されてもよい。これによる端末動作は、次のように整理できる。
【０３９４】
まず、ＣＲＳ ＲＭ情報に関する端末動作は、次のように定義できる。
【０３９５】
−  非ＭＢＳＦＮサブフレームで共通探索空間上のＤＣＩフォーマット１ＡによってＰＤＳＣＨがスケジューリングされる場合、端末は、ＤＣＩフォーマット２Ｄに対して設定されたＰＱＩ状態値のうち予め決定された一つによって示されるＣＲＳ ＲＭパターンに関連付けられたパラメータが、当該端末のサービングセルのＣＲＳ ＲＭ情報と異なると予想する（expect）ことができない。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、または、最も低いＰＱＩ状態値などとして定義できる。また、ＰＱＩパラメータのうちＣＲＳ ＲＭパターンに関連したパラメータは、ＣＲＳポート数（例えば、１、２、４またはリザーブされた値）、ＣＲＳ周波数シフト、ＭＢＳＦＮサブフレーム設定などに対応する。
【０３９６】
次に、ＰＤＳＣＨ開始シンボル情報に関する端末動作を次のように定義できる。
【０３９７】
−  非ＭＢＳＦＮサブフレームで共通探索空間上のＤＣＩフォーマット１ＡによってＰＤＳＣＨがスケジューリングされる場合、端末は、ＤＣＩフォーマット２Ｄに対して設定されたＰＱＩ状態値のうち予め決定された一つによって示されるＰＤＳＣＨ開始シンボル情報が、当該端末のサービングセルのＰＤＳＣＨ開始シンボル情報と異なると予想する（expect）ことができない。ここで、ＤＣＩフォーマット２Ｄは、ＰＱＩフィールドを含むＤＣＩフォーマットを例示的に称するものである。また、ＰＱＩ状態値のうち予め決定された一つは、デフォルトＰＱＩ状態値を意味するものであり、例えば、最初のＰＱＩ状態値、または、最も低いＰＱＩ状態値などとして定義できる。
【０３９８】
ＰＤＳＣＨ ＱＣＬ動作方式（Behavior）とＥＰＤＣＣＨ ＱＣＬ動作方式
前述した本発明の様々な提案のうち、ＰＤＳＣＨに関するＱＣ動作方式（または、ＰＤＳＣＨ ＱＣＬ動作方式）としてＢｅｈａｖｉｏｒ Ａ、Ｂｅｈａｖｉｏｒ Ｂを定義した。簡略に再び整理すると、ＰＤＳＣＨ ＱＣＬ Ｂｅｈａｖｉｏｒ Ａは、サービングセルＣＲＳとＣＳＩ−ＲＳとＰＤＳＣＨ ＤＭＲＳとの間のＱＣＬを仮定する動作方式であり、ＰＤＳＣＨ ＱＣＬ Ｂｅｈａｖｉｏｒ Ｂは、ＣＳＩ−ＲＳ（例えば、特定のセルのＣＲＳとＱＣＬされたＣＳＩ−ＲＳ）とＰＤＳＣＨ ＤＭＲＳとの間のＱＣＬを仮定する動作方式である。
【０３９９】
前述した本発明の様々な提案のうち、ＥＰＤＣＣＨに関するＱＣ動作方式（または、ＥＰＤＣＣＨ ＱＣＬ動作方式）としてＢｅｈａｖｉｏｒ Ａ、Ｂｅｈａｖｉｏｒ Ｂを定義した。簡略に再び整理すると、ＥＰＤＣＣＨ ＱＣＬ Ｂｅｈａｖｉｏｒ Ａは、ＥＰＤＣＣＨ ＤＭＲＳとサービングセルＣＲＳとの間のＱＣＬを仮定する動作方式であり、ＥＰＤＣＣＨ ＱＣＬ Ｂｅｈａｖｉｏｒ Ｂは、ＥＰＤＣＣＨ ＤＭＲＳとＣＳＩ−ＲＳとの間のＱＣＬを仮定する動作方式である。
【０４００】
本発明の追加の提案として、ＥＰＤＣＣＨ ＱＣＬ Ｂｅｈａｖｉｏｒ ＡとＥＰＤＣＣＨ ＱＣＬ Ｂｅｈａｖｉｏｒ Ｂとは、いずれのＰＤＳＣＨ ＱＣＬ ＢｅｈａｖｉｏｒがＲＲＣ設定されるかによって、制約（restriction）を伴って設定されるようにすることができる。
【０４０１】
例えば、端末にＰＤＳＣＨ ＱＣＬ Ｂｅｈａｖｉｏｒ Ａ（すなわち、サービングセルＣＲＳとＣＳＩ−ＲＳとＤＭＲＳとの間のＱＣＬ）が設定される場合、ＥＰＤＣＣＨ ＱＣＬ Ｂｅｈａｖｉｏｒ Ａ（すなわち、サービングセルＣＲＳとＥＰＤＣＣＨ ＤＭＲＳとの間のＱＣＬ）が自動的に設定されるようにすることができる。いい換えると、端末にＰＤＳＣＨ ＱＣＬ Ｂｅｈａｖｉｏｒ Ａが設定される場合、ＥＰＤＣＣＨ ＱＣＬ Ｂｅｈａｖｉｏｒは、必ずＥＰＤＣＣＨ ＱＣＬ Ｂｅｈａｖｉｏｒ Ａのみが設定されなければならない。すなわち、端末にＰＤＳＣＨ ＱＣＬ Ｂｅｈａｖｉｏｒ Ａが設定される場合、当該端末にＥＰＤＣＣＨ ＱＣＬ Ｂｅｈａｖｉｏｒ Ｂ（すなわち、ＣＳＩ−ＲＳとＥＰＤＣＣＨ ＤＭＲＳとの間のＱＣＬ）が設定されると予想することができない。端末にＰＤＳＣＨ ＱＣＬ Ｂｅｈａｖｉｏｒ Ａが設定されると、ＰＱＩパラメータにＱＣＬに関するＮＺＰ ＣＳＩ−ＲＳ設定に関する情報が含まれないこともあるため、ＥＰＤＣＣＨ ＱＣＬ Ｂｅｈａｖｉｏｒ Ｂが設定された場合、いずれのＣＳＩ−ＲＳとＥＰＤＣＣＨ ＤＭＲＳとがＱＣＬであるかを特定できなくなる。そのため、このような不明瞭性を防止するために、ＰＤＳＣＨ ＱＣＬ Ｂｅｈａｖｉｏｒ Ａが設定される場合、ＥＰＤＣＣＨ ＱＣＬ Ｂｅｈａｖｉｏｒ Ａが設定されることが適切である。これと同様の目的で、ＥＰＤＣＣＨ Ｂｅｈａｖｉｏｒ Ａが設定される場合には、ＰＤＳＣＨＢｅｈａｖｉｏｒ Ａが設定されるようにすることもできる。
【０４０２】
追加の例示として、端末にＰＤＳＣＨ ＱＣＬ Ｂｅｈａｖｉｏｒ Ｂ（すなわち、ＣＳＩ−ＲＳとＤＭＲＳとの間のＱＣＬ）が設定される場合、ＥＰＤＣＣＨ ＱＣＬ Ｂｅｈａｖｉｏｒ Ｂ（すなわち、ＣＳＩ−ＲＳとＥＰＤＣＣＨ ＤＭＲＳとの間のＱＣＬ）が自動的に設定されるようにすることができる。いい換えると、端末にＰＤＳＣＨ ＱＣＬ Ｂｅｈａｖｉｏｒ Ｂが設定される場合、ＥＰＤＣＣＨ ＱＣＬ Ｂｅｈａｖｉｏｒは、必ずＥＰＤＣＣＨ ＱＣＬ Ｂｅｈａｖｉｏｒ Ｂのみが設定されなければならない。すなわち、端末にＰＤＳＣＨ ＱＣＬ Ｂｅｈａｖｉｏｒ Ｂが設定される場合、当該端末にＥＰＤＣＣＨ ＱＣＬ Ｂｅｈａｖｉｏｒ Ａ（すなわち、サービングセルＣＲＳとＥＰＤＣＣＨ ＤＭＲＳとの間のＱＣＬ）が設定されると予想することができない。これは、ＰＤＳＣＨ ＱＣＬ ＢｅｈａｖｉｏｒとＥＰＤＣＣＨ ＱＣＬ Ｂｅｈａｖｉｏｒとの統一性を維持するためである。同様に、ＥＰＤＣＣＨ Ｂｅｈａｖｉｏｒ Ｂが設定される場合にはＰＤＳＣＨＢｅｈａｖｉｏｒ Ｂが設定されるようにすることもできる。
【０４０３】
このような本発明の提案を次のように表現することもできる。すなわち、ＰＤＳＣＨ ＱＣＬ ＢｅｈａｖｉｏｒとＥＰＤＣＣＨ ＱＣＬ Ｂｅｈａｖｉｏｒとが、いずれもＱＣＬ Ｂｅｈａｖｉｏｒ Ａに設定されたり、または、いずれもＱＣＬ Ｂｅｈａｖｉｏｒ Ｂに設定されるように制約をおくことができる。すなわち、ＰＤＳＣＨ ＱＣＬ ＢｅｈａｖｉｏｒとＥＰＤＣＣＨ ＱＣＬ Ｂｅｈａｖｉｏｒとを、互いに連結したりまたは依存したりするようにＲＲＣ設定することができる。
【０４０４】
一方、端末にＰＤＳＣＨ ＱＣＬ Ｂｅｈａｖｉｏｒ Ｂ（すなわち、ＣＳＩ−ＲＳとＤＭＲＳとの間のＱＣＬ）が設定される場合、ＥＰＤＣＣＨ ＱＣＬ Ｂｅｈａｖｉｏｒは、ＥＰＤＣＣＨ ＱＣＬ Ｂｅｈａｖｉｏｒ Ａ（すなわち、サービングセルＣＲＳとＥＰＤＣＣＨ ＤＭＲＳとの間のＱＣＬ）、または、ＥＰＤＣＣＨ ＱＣＬ Ｂｅｈａｖｉｏｒ Ｂ（すなわち、ＣＳＩ−ＲＳとＥＰＤＣＣＨ ＤＭＲＳとの間のＱＣＬ）のいずれか一つが設定されてもよい。すなわち、ＰＤＳＣＨ ＱＣＬ Ｂｅｈａｖｉｏｒ Ｂである場合にのみ、ＥＰＤＣＣＨ ＱＣＬ Ｂｅｈａｖｉｏｒは、ＡまたはＢのいずれかがＲＲＣ設定されるように制約を緩和することもできる。
【０４０５】
これと同様に、ＥＰＤＣＣＨ ＱＣＬ Ｂｅｈａｖｉｏｒ Ｂが設定される場合には、ＰＤＳＣＨ ＱＣＬ Ｂｅｈａｖｉｏｒ ＡまたはＢのいずれか一つが設定されてもよい。
【０４０６】
或いは、ＰＤＳＣＨ ＱＣＬ ＢｅｈａｖｉｏｒとＥＰＤＣＣＨ ＱＣＬ Ｂｅｈａｖｉｏｒとの間の設定上の独立性を提供するためには、前述したような制約を置かなくてもよい。すなわち、端末にＰＤＳＣＨ ＱＣＬ Ｂｅｈａｖｉｏｒ Ａ（すなわち、サービングセルＣＲＳとＣＳＩ−ＲＳとＤＭＲＳとの間のＱＣＬ）が設定される場合、ＥＰＤＣＣＨ ＱＣＬ Ｂｅｈａｖｉｏｒは、ＥＰＤＣＣＨ ＱＣＬ Ｂｅｈａｖｉｏｒ Ａ（すなわち、サービングセルＣＲＳとＥＰＤＣＣＨ ＤＭＲＳとの間のＱＣＬ）またはＥＰＤＣＣＨ ＱＣＬ Ｂｅｈａｖｉｏｒ Ｂ（すなわち、ＣＳＩ−ＲＳとＥＰＤＣＣＨ ＤＭＲＳとの間のＱＣＬ）のいずれか一つが設定されてもよい。
【０４０７】
同様に、ＥＰＤＣＣＨ ＱＣＬ Ｂｅｈａｖｉｏｒ Ａが設定される場合には、ＰＤＳＣＨ ＱＣＬ Ｂｅｈａｖｉｏｒ ＡまたはＢのうちいずれか一つが設定されてもよい。
【０４０８】
一方、それぞれのＥＰＤＣＣＨセット別に適用される（ＥＰＤＣＣＨを介して送信されるＤＣＩによってスケジューリングされるＰＤＳＣＨの復調のため、および／または、ＥＰＤＣＣＨ自体のデコーディングのため、に用いられる）特定の一つのＰＱＩ状態値がＲＲＣ設定されてもよい。この場合、ＥＰＤＣＣＨ Ｂｅｈａｖｉｏｒ Ａ（すなわち、サービングセルＣＲＳとＥＰＤＣＣＨ ＤＭＲＳとの間のＱＣＬ）が設定されていると、端末は、ＰＤＳＣＨ復調および／またはＥＰＤＣＣＨデコーディングのために、上記指示された特定の一つのＰＱＩ状態値にリンクされたＰＱＩパラメータセットに含まれるＰＱＩパラメータのうち一部には従うが、他のＰＱＩパラメータはＤＬサービングセルのものに従うように動作できる。
【０４０９】
ここで、ＲＲＣ指示された特定の一つのＰＱＩ状態値にリンクされたＰＱＩパラメータセットに含まれるＰＱＩパラメータは、ＣＲＳポートの数、ＣＲＳ周波数シフト、ＭＢＳＦＮサブフレーム設定情報、ＮＺＰ ＣＳＩ−ＲＳ設定情報、ＺＰ ＣＳＩ−ＲＳ設定情報、ＰＤＳＣＨ開始シンボル情報などを含むことができる。
【０４１０】
例えば、ＲＲＣ指示された特定の一つのＰＱＩ状態値にリンクされたＰＱＩパラメータセットに含まれるＰＱＩパラメータのうち、端末は、ＰＤＳＣＨ開始シンボル情報のみに従い、他のパラメータはサービングセルのものに従うように動作できる。
【０４１１】
他の実施例として、ＲＲＣ指示された特定の一つのＰＱＩ状態値にリンクされたＰＱＩパラメータセットに含まれるＰＱＩパラメータのうち、端末は、ＣＲＳ ＲＭパターン情報（例えば、サービングセルのＣＲＳポート数、サービングセルのＣＲＳ周波数シフト、および、サービングセルのＭＢＳＦＮサブフレーム設定）のみに従い、他のパラメータはサービングセルのものに従うように動作してもよい。
【０４１２】
他の実施例として、ＲＲＣ指示された特定の一つのＰＱＩ状態値にリンクされたＰＱＩパラメータセットに含まれるＰＱＩパラメータのうち、端末は、一つのＺＰ ＣＳＩ−ＲＳ設定情報のみに従い、他のパラメータはサービングセルのものに従うように動作してもよい。
【０４１３】
他の実施例として、ＲＲＣ指示された特定の一つのＰＱＩ状態値にリンクされたＰＱＩパラメータセットに含まれるＰＱＩパラメータのうち、端末は、ＰＤＳＣＨ開始シンボル情報およびＣＲＳ ＲＭパターン情報（例えば、サービングセルのＣＲＳポート数、サービングセルのＣＲＳ周波数シフト、および、サービングセルのＭＢＳＦＮサブフレーム設定）のみに従い、他のパラメータはサービングセルのものに従うように動作してもよい。
【０４１４】
他の実施例として、ＲＲＣ指示された特定の一つのＰＱＩ状態値にリンクされたＰＱＩパラメータセットに含まれるＰＱＩパラメータのうち、端末は、ＰＤＳＣＨ開始シンボル情報および一つのＺＰ ＣＳＩ−ＲＳ設定情報のみに従い、他のパラメータはサービングセルのものに従うように動作してもよい。
【０４１５】
他の実施例として、ＲＲＣ指示された特定の一つのＰＱＩ状態値にリンクされたＰＱＩパラメータセットに含まれるＰＱＩパラメータのうち、端末は、ＣＲＳ ＲＭパターン情報（例えば、サービングセルのＣＲＳポート数、サービングセルのＣＲＳ周波数シフト、および、サービングセルのＭＢＳＦＮサブフレーム設定）並びに一つのＺＰ ＣＳＩ−ＲＳ設定情報のみに従い、他のパラメータはサービングセルのものに従うように動作してもよい。
【０４１６】
他の実施例として、ＲＲＣ指示された特定の一つのＰＱＩ状態値にリンクされたＰＱＩパラメータセットに含まれるＰＱＩパラメータのうち、端末は、ＰＤＳＣＨ開始シンボル情報、ＣＲＳ ＲＭパターン情報（例えば、サービングセルのＣＲＳポート数、サービングセルのＣＲＳ周波数シフト、および、サービングセルのＭＢＳＦＮサブフレーム設定）並びに一つのＺＰ ＣＳＩ−ＲＳ設定情報のみに従い、他のパラメータはサービングセルのものに従うように動作してもよい。
【０４１７】
ＰＱＩフィールドの構成
ＣｏＭＰ動作をサポートすることを大きな特徴とする新しい送信モード（例えば、ＴＭ１０）に対するＤＣＩフォーマット２Ｄは、ＰＱＩフィールドを含むことができる。ＰＱＩフィールドはＮビットサイズで定義でき、これによって２＾Ｎ個の状態値のうち一つを示すことができる。２＾Ｎ個のＰＱＩ状態値のそれぞれに対応するＰＱＩパラメータセットがＲＲＣ設定されてもよい。一つのＰＱＩパラメータセットには、ＣＲＳポートの数、ＣＲＳ周波数シフト、ＭＢＳＦＮサブフレーム設定情報、ＮＺＰ ＣＳＩ−ＲＳ設定情報、ＺＰ ＣＳＩ−ＲＳ設定情報、ＰＤＳＣＨ開始シンボル情報などが含まれてもよい。したがって、ＰＱＩ状態値によって２＾Ｎ個のＰＱＩパラメータセットのいずれか一つを動的に指示またはスイッチングすることができる。
【０４１８】
一方、ＴＭ１０におけるフォールバック動作のためのＤＣＩフォーマット１Ａには、ＰＱＩフィールドが含まれないように定義される。すなわち、ＴＭ１０におけるＤＣＩフォーマット１ＡにＰＱＩフィールドがないということは、ＤＣＩフォーマット１Ａによっては非ＣｏＭＰ動作がサポートされるという意味であり、例えば、ＤＬサービングセルからの非ＣｏＭＰ送信のみがスケジューリングされるという意味として解釈できる。
【０４１９】
他の例示として、共通探索空間上で送信されるＤＣＩフォーマット１Ａは他のＤＣＩフォーマットとの長さを同一に維持するためにＰＱＩフィールドを含まないと定義するが、端末固有探索空間上で送信されるＤＣＩフォーマット１Ａは、ＤＣＩフォーマット２Ｄと同様に、ＰＱＩフィールドを含むと定義でき、これによってＣｏＭＰ動作をサポートすることができる。
【０４２０】
他の実施例として、非ＭＢＳＦＮサブフレームで送信されるＤＣＩフォーマット１ＡはＰＱＩフィールドを含まず、ＭＢＳＦＮサブフレームで送信されるＤＣＩフォーマット１ＡはＤＣＩフォーマット２Ｄと同様に、ＰＱＩフィールドを含むとして定義でき、これによってＣｏＭＰ動作をサポートすることができる。
【０４２１】
他の実施例として、非ＭＢＳＦＮサブフレームにおいて共通探索空間上で送信されるＤＣＩフォーマット１ＡはＰＱＩフィールドを含まず、ＭＢＳＦＮサブフレームで送信されるＤＣＩフォーマット１Ａおよび非ＭＢＳＦＮサブフレームにおいて端末固有探索空間上で送信されるＤＣＩフォーマット１Ａは、ＤＣＩフォーマット２Ｄと同様に、ＰＱＩフィールドを含むと定義でき、これによってＣｏＭＰ動作をサポートすることができる。
【０４２２】
他の実施例として、非ＭＢＳＦＮサブフレームで送信されるＤＣＩフォーマット１ＡおよびＭＢＳＦＮサブフレームにおいて共通探索空間上で送信されるＤＣＩフォーマット１Ａは、ＰＱＩフィールドを含まず、ＭＢＳＦＮサブフレームにおいて端末固有探索空間上で送信されるＤＣＩフォーマット１Ａは、ＤＣＩフォーマット２Ｄと同様に、ＰＱＩフィールドを含むと定義でき、これによってＣｏＭＰ動作をサポートすることができる。
【０４２３】
一方、ＰＱＩビット幅（すなわち、Ｎ）は、端末の性能（UE capability）によって別々に定義することができる。例えば、（ＴＭ１０で）最大限にサポートされるＣＳＩプロセスの数（Ｎ＿Ｐ）に関する端末の性能が定義され、端末はそれを基地局に知らせることができる。例えば、Ｎ＿Ｐ＝１、３または４として定義できる。
【０４２４】
本発明では、Ｎ＿Ｐ値によってＰＱＩビット幅（Ｎ）が決定されることを提案する（Ｎは、ＰＱＩビット幅、ＰＱＩ状態の数、または、ＰＱＩ状態のエンコーディングパターンなどを示す値として定義されてもよい）。
【０４２５】
Ｎ＿Ｐ＝１の場合に、ＰＱＩのための明示的なビットは、ＤＣＩフォーマット上に存在しないと定義可能である（すなわち、Ｎ＝０）。この場合、ＰＱＩのための明示的なビットはないが、一つのデフォルトＰＱＩ状態に対するＰＱＩパラメータセットは、デフォルト情報としてＲＲＣシグナリングされたり、別のＲＲＣシグナリングを用いずに、ＤＣＩフォーマット１Ａで用いるデフォルトＰＱＩ状態に対応するＲＲＣ設定されたパラメータが、ＤＣＩフォーマット２Ｄでもそのまま用いられると定義されてもよい。
【０４２６】
或いは、Ｎ＿Ｐ＝１の場合に、ＰＱＩのための明示的なビットを定義しない一方、ｎＳＣＩＤフィールドの値によって連携される２個の状態値（０または１）をＰＱＩ状態値として用いることもできる。
【０４２７】
或いは、Ｎ＿Ｐ＝１の場合に、ＰＱＩのための明示的な１ビットをＤＣＩフォーマットに含めてもよい。これによって、２個のＰＱＩ状態値を表現することができる。
【０４２８】
Ｎ＿Ｐ＝３または４の場合に、ＰＱＩのための明示的な２ビットがＤＣＩフォーマットに含まれると定義することもできる。
【０４２９】
或いは、Ｎ＿Ｐ＝３または４の場合に、ＰＱＩのための明示的な１ビットがＤＣＩフォーマットに含まれ、この１ビットとｎＳＣＩＤフィールドの値とによって、関連付けられた２個の状態値（０または１）を組み合わせて３個または４個のＰＱＩ状態のうちいずれか一つが指示されるようにすることもできる。
【０４３０】
或いは、Ｎ＿Ｐ＝３の場合は、ＰＱＩのための明示的なビットを１ビットのみ適用し、２個の状態値のみを制限的に用いるようにする方法も適用可能である。
【０４３１】
前述した実施例のように、最大限にサポートされるＣＳＩプロセス数に関する端末性能値Ｎ＿Ｐによって、静的にＰＱＩビット幅（または、ＰＱＩ状態の数）Ｎを決定する方法と同様に、Ｎ＿Ｐ値によってＰＱＩビット幅（または、ＰＱＩ状態の数）の最大値を決定することもできる。すなわち、ＰＱＩビット幅の最大値以内でＰＱＩパラメータセットがＲＲＣ設定されてもよい。
【０４３２】
一方、ＤＣＩフォーマット１Ａで用いるＰＱＩ状態のＲＲＣパラメータセット情報は、ＤＣＩフォーマット２Ｄの特定のＰＱＩ状態（例えば、最も低い状態インデックス）を静的に用いるようにすることもできる。また、ＤＣＩフォーマット１Ａの場合に適用するＰＱＩパラメータとしてＤＣＩフォーマット２Ｄの特定のＰＱＩ状態によって指示されるＰＱＩパラメータを用いるようにする動作を適用するか否かが、ＲＲＣ設定されてもよい。
【０４３３】
図１２は、本発明に係るＰＤＳＣＨ信号送受信方法を説明するためのフローチャートである。
【０４３４】
ステップＳ１２１０で、端末は、基地局からＤＣＩフォーマット１ＡによってＰＤＳＣＨが割り当てられうる。端末がＴＭ１０に設定された場合、ＤＣＩフォーマット１Ａによって割り当てられるＰＤＳＣＨは、フォールバックモードでスケジューリングされたＰＤＳＣＨに対応する。また、図１２の例では、端末が非ＭＢＳＦＮサブフレーム上でＰＤＳＣＨを受信すると仮定する。
【０４３５】
ステップＳ１２２０で、端末は、ＰＤＳＣＨを割り当てるＤＣＩフォーマット１ＡがＥＰＤＣＣＨを介して受信されたか否かを決定することができる。
【０４３６】
ステップＳ１２２０の結果、ＥＰＤＣＣＨを介してＤＣＩフォーマット１Ａが受信された場合には、ステップＳ１２３０に進むことができる。
【０４３７】
ステップＳ１２３０で、端末は、ＥＰＤＣＣＨ開始シンボル値によってＰＤＳＣＨ開始シンボルインデックスを決定することができる。ここで、ＥＰＤＣＣＨ開始シンボル値は、上位層によってＥＰＤＣＣＨセット別に設定される値であってもよい。端末は、ＥＰＤＣＣＨが検出されたＥＰＤＣＣＨセットに対して割り当てられたＥＰＤＣＣＨ開始シンボル値によって、ＰＤＳＣＨ開始シンボルインデックスを決定することができる。
【０４３８】
ステップＳ１２２０の結果、ＤＣＩフォーマット１ＡがＥＰＤＣＣＨを介して受信されていない場合（例えば、ＰＤＣＣＨを介して受信された場合）には、ステップＳ１２４０に進むことができる。
【０４３９】
ステップＳ１２４０で、端末は、ＣＦＩ値に基づいてＰＤＳＣＨ開始シンボルを決定することができる。
【０４４０】
図１２を参照して説明した本発明の実施例において、非ＭＢＳＦＮサブフレームにおいてＰＤＳＣＨが受信される場合に、ＰＤＳＣＨと、該ＰＤＳＣＨを割り当てるＤＣＩフォーマット１Ａが送信されるＰＤＣＣＨ／ＥＰＤＣＣＨと、は同一のサービングセルから送信されるものであってもよい。
【０４４１】
このように、ＤＣＩフォーマット１Ａによって割り当てられるＰＤＳＣＨに関して、端末は、ＤＣＩフォーマット１Ａが受信される制御チャネルのタイプ（例えば、ＥＰＤＣＣＨか否か）によってＰＤＳＣＨ開始シンボルを決定でき、これによってＰＤＳＣＨ信号を受信することができる。
【０４４２】
図１２を参照して説明したＰＤＳＣＨ信号送受信方法に関して、前述した本発明の様々な実施例で説明した事項が独立して適用されてもよく、２つ以上の実施例が同時に適用されてもよい。ここで、重複する説明は省略する。
【０４４３】
図１３は、本発明に係る端末装置および基地局装置の好適な実施例の構成を示す図である。
【０４４４】
図１３を参照すると、本発明に係る基地局装置１０は、受信モジュール１１、送信モジュール１２、プロセッサ１３、メモリ１４および複数のアンテナ１５を含むことができる。受信モジュール１１は、外部装置（例えば、端末）から各種の信号、データおよび情報を受信することができる。送信モジュール１２は、外部装置（例えば、端末）に各種の信号、データおよび情報を送信することができる。プロセッサ１３は、基地局装置１０の動作全般を制御することができる。複数のアンテナ１５は、基地局装置１０がＭＩＭＯ送受信をサポートすることを意味する。
【０４４５】
本発明の一例に係る基地局装置１０は、端末装置２０にＰＤＳＣＨ信号を送信するように構成できる。プロセッサ１３は、ＰＤＳＣＨ割当に関する情報をＤＣＩフォーマット１Ａを介して端末装置２０に知らせるように送信モジュール１２を制御できる。プロセッサ１３は、ＰＤＳＣＨが送信されるサブフレームが非ＭＢＳＦＮサブフレームである場合に、ＤＣＩフォーマット１ＡをＥＰＤＣＣＨを介して送信するときには、上位層シグナリングによって端末に設定されたＥＰＤＣＣＨ開始シンボル値によってＰＤＳＣＨ開始シンボルインデックスを決定し、これによってＰＤＳＣＨ信号を下りリンクサブフレームにマッピングし、送信モジュール１２を通して端末装置２０に送信することができる。プロセッサ１３は、ＰＤＳＣＨが送信されるサブフレームが非ＭＢＳＦＮサブフレームである場合に、ＤＣＩフォーマット１ＡをＰＤＣＣＨを介して送信するときは、ＰＣＦＩＣＨを介して端末装置２０に提供されるＣＦＩ値によってＰＤＳＣＨ開始シンボルインデックスを決定し、これによってＰＤＳＣＨ信号を下りリンクサブフレームにマッピングし、送信モジュール１２を通して端末装置２０に送信することができる。
【０４４６】
基地局装置１０のプロセッサ１３は、その他にも、基地局装置１０が受信した情報、外部に送信する情報などを演算処理する機能を果たし、メモリ１４は、演算処理された情報などを所定の時間記憶することができ、バッファ（図示せず）などの構成要素に置き替えられてもよい。
【０４４７】
図１３を参照すると、本発明に係る端末装置２０は、受信モジュール２１、送信モジュール２２、プロセッサ２３、メモリ２４および複数のアンテナ２５を含むことができる。受信モジュール２１は、外部装置（例えば、基地局）から各種の信号、データおよび情報を受信することができる。送信モジュール２２は、外部装置（例えば、基地局）に各種の信号、データおよび情報を送信することかできる。プロセッサ２３は、端末装置２０の動作全般を制御することができる。複数のアンテナ２５は、端末装置２０がＭＩＭＯ送受信をサポートすることを意味する。
【０４４８】
本発明の一例に係る端末装置２０は、基地局装置１０からＰＤＳＣＨ信号を受信するように構成できる。プロセッサ２３は、下りリンクサブフレームでＰＤＳＣＨの開始シンボルインデックスを決定するように設定できる。プロセッサ２３は、開始シンボルインデックスに基づいて、ＰＤＳＣＨ信号を受信モジュール２１を用いて受信するように設定できる。プロセッサ２３は、ＰＤＳＣＨ割当情報を、下りリンク制御情報（ＤＣＩ）を介して受信することができる。ＤＣＩがＥＰＤＣＣＨを介して送信されるＤＣＩフォーマット１Ａによって構成され、下りリンクサブフレームが非ＭＢＳＦＮサブフレームである場合に、プロセッサ２３は、開始シンボルインデックスを、上位層によって設定されたＥＰＤＣＣＨ開始シンボル値によって決定することができる。ＤＣＩがＰＤＣＣＨを介して送信されるＤＣＩフォーマット１Ａによって構成され、下りリンクサブフレームが非ＭＢＳＦＮサブフレームである場合に、プロセッサ２３は、開始シンボルインデックスをＣＦＩ値によって決定することができる。
【０４４９】
端末装置２０のプロセッサ２３は、その他にも、端末装置２０が受信した情報、外部に送信する情報などを演算処理する機能を果たし、メモリ２４は、演算処理された情報などを所定の時間記憶することができ、バッファ（図示せず）などの構成要素に置き換えられてもよい。
【０４５０】
このような基地局装置１０および端末装置２０の具体的な構成は、前述した本発明の様々な実施例で説明した事項が独立して適用されたり、または、２以上の実施例が同時に適用されたりするように具現することができ、重複する内容については説明を省略する。
【０４５１】
また、本発明の様々な実施例の説明において、下りリンク送信主体（entity）または上りリンク受信主体は主に基地局を例に挙げて説明し、下りリンク受信主体または上りリンク送信主体は主に端末を例に挙げて説明したが、本発明の範囲はこれに制限されるものではない。例えば、基地局に関する説明は、セル、アンテナポート、アンテナポートグループ、ＲＲＨ、送信ポイント、受信ポイント、アクセスポイント、中継機などが端末への下りリンク送信主体となったり、端末からの上りリンク受信主体となる場合にも同様に適用することができる。また、中継機が端末への下りリンク送信主体となったり端末からの上りリンク受信主体となる場合、または中継機が基地局への上りリンク送信主体となったり基地局からの下りリンク受信主体となる場合にも、本発明の様々な実施例で説明した本発明の原理を同様に適用することができる。
【０４５２】
上述した本発明の実施例は、様々な手段によって具現することができる。例えば、本発明の実施例は、ハードウェア、ファームウェア（firmware）、ソフトウェアまたはこれらの組み合わせなどによって具現することができる。
【０４５３】
ハードウェアによる具現の場合、本発明の実施例に係る方法は、一つまたは複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現することができる。
【０４５４】
ファームウェアやソフトウェアによる具現の場合、本発明の一実施例は、以上で説明された機能または動作を実行するモジュール、手順、関数などの形態として具現することができる。ソフトウェアコードは、メモリユニットに記憶させ、プロセッサによって駆動することができる。メモリユニットは、プロセッサの内部または外部に設けられ、公知の様々な手段によってプロセッサとデータを授受することができる。
【０４５５】
以上開示した本発明の好ましい実施例についての詳細な説明は、当業者が本発明を具現して実施できるように提供された。以上では本発明の好適な実施例を参照して説明したが、当該技術の分野における熟練した当業者にとっては、本発明の領域から逸脱しない範囲内で本発明を様々に修正および変更できるということは明らかである。例えば、当業者は、上記の実施例に記載された各構成を互いに組み合わせる方式で用いることができる。したがって、本発明は、ここに開示されている実施形態に制限されるものではなく、ここに開示されている原理および新規な特徴と一致する最も広い範囲を与えるためのものである。
【０４５６】
本発明は、本発明の精神および必須の特徴から逸脱しない範囲で他の特定の形態として具体化できる。したがって、上記の詳細な説明は、いずれの面においても制約的に解釈してはならず、例示として考慮しなければならない。本発明の範囲は、添付した請求項の合理的な解釈によって決定しなければならず、本発明の等価的範囲内における変更は、いずれも本発明の範囲に含まれる。本発明は、ここに開示されている実施形態に制限されるものではなく、ここに開示されている原理および新規な特徴と一致する最も広い範囲を与えるためのものである。また、特許請求の範囲で明示的な引用関係にない請求項を組み合わせて実施例を構成してもよく、出願後の補正によって新しい請求項として含めてもよい。
【産業上の利用可能性】
【０４５７】
上述したような本発明の実施の形態は、様々な移動通信システムに適用可能である。
【図１】
0006342904.tif 000041
【図２】
0006342904.tif 000042
【図３】
0006342904.tif 000043
【図４】
0006342904.tif 000044
【図５（ａ）】
0006342904.tif 000045
【図５（ｂ）】
0006342904.tif 000046
【図６】
0006342904.tif 000047
【図７】
0006342904.tif 000048
【図８】
0006342904.tif 000049
【図９】
0006342904.tif 000050
【図１０】
0006342904.tif 000051
【図１１】
0006342904.tif 000052
【図１２】
0006342904.tif 000053
【図１３】
0006342904.tif 000054